(57)【特許請求の範囲】
【請求項１】
方法であって、
１ギガヘルツ（ＧＨｚ）未満の無線ネットワークを介して信号（ＳＩＧ）ユニットを、第１の無線デバイスにおいて第２の無線デバイスから受信することと、
前記ＳＩＧユニットの９ビットの長さフィールドを解釈することと、
ここにおいて、前記９ビットの長さフィールドは、前記ＳＩＧユニットの１ビットのアグリゲーションフィールドが第１の値を有すると決定したことに応答してシンボル数として解釈され、
前記９ビットの長さフィールドは、前記１ビットのアグリゲーションフィールドが第２の値を有すると決定したことに応答してバイト数として解釈され、
前記ＳＩＧユニットは、短いフォーマットのプリアンブルと２メガヘルツ（ＭＨｚ）以上の帯域幅とに対応し、
前記ＳＩＧユニットは、
１ビットの第１の予約されたフィールドと、
１ビットの空間−時間ブロックコード（ＳＴＢＣ）フィールドと、
１ビットの第２の予約されたフィールドと、
２ビットの帯域幅フィールドと、
２ビットの空間時間ストリーム数フィールドと、
９ビットの部分的関連付け識別子フィールドと、
１ビットのショートガード間隔（ＳＧＩ）フィールドと、
２ビットのコーディングフィールドと、
４ビットの変調コーディング方式（ＭＣＳ）フィールドと、
１ビットの平滑化フィールドと、
前記１ビットのアグリゲーションフィールドと、
前記９ビットの長さフィールドと、
２ビットの肯定応答（ＡＣＫ）表示フィールドと、
４ビットの巡回冗長性検査（ＣＲＣ）フィールドと、
６ビットのテールフィールドと
を備える、
を備える、方法。
【請求項２】
前記１ＧＨｚ未満の無線ネットワークは、米国電気電子学会（ＩＥＥＥ）８０２．１１ａｈプロトコルに準拠して動作する請求項１に記載の方法。
【請求項３】
前記１ビットのＳＴＢＣフィールドと前記１ビットのＳＧＩフィールドは、前記１ビットの平滑化フィールドに先行する請求項２に記載の方法。
【請求項４】
前記１ビットのアグリゲーションフィールドは、前記第２の無線デバイスがアグリゲーションされたメディアアクセス制御（ＭＡＣ）プロトコルデータユニット（Ａ−ＭＰＤＵ）を前記第１の無線デバイスに送信中であるかどうかを示す請求項１に記載の方法。
【請求項５】
前記ＳＩＧユニットは、２つの直交周波数分割多重（ＯＦＤＭ）シンボルを備え、前記ＳＩＧユニットは、半分のレートで符号化され、前記ＳＩＧユニットは、２位相偏移変調（ＢＰＳＫ）信号点配置に対応する請求項１に記載の方法。
【請求項６】
前記ＳＩＧユニットは、パケットのプリアンブル内に含められる請求項１に記載の方法。
【請求項７】
装置であって、
１ギガヘルツ（ＧＨｚ）未満の無線ネットワークを介して信号（ＳＩＧ）ユニットを受信するように構成された受信機と、
前記ＳＩＧユニットの１ビットのアグリゲーションフィールドが第１の値を有すると決定したことに応答して前記ＳＩＧユニットの９ビットの長さフィールドをシンボル数として解釈し、及び
前記１ビットのアグリゲーションフィールドが第２の値を有すると決定したことに応答して前記９ビットの長さフィールドをバイト数として解釈するように構成されたプロセッサと、
ここにおいて、前記ＳＩＧユニットは、短いフォーマットのプリアンブルと２メガヘルツ（ＭＨｚ）以上の帯域幅とに対応し、
前記ＳＩＧユニットは、
１ビットの第１の予約されたフィールドと、
１ビットの空間−時間ブロックコード（ＳＴＢＣ）フィールドと、
１ビットの第２の予約されたフィールドと、
２ビットの帯域幅フィールドと、
２ビットの空間時間ストリーム数フィールドと、
９ビットの部分的関連付け識別子フィールドと、
１ビットのショートガード間隔（ＳＧＩ）フィールドと、
２ビットのコーディングフィールドと、
４ビットの変調コーディング方式（ＭＣＳ）フィールドと、
１ビットの平滑化フィールドと、
前記１ビットのアグリゲーションフィールドと、
前記９ビットの長さフィールドと、
２ビットの肯定応答（ＡＣＫ）表示フィールドと、
４ビットの巡回冗長性検査（ＣＲＣ）フィールドと、
６ビットのテールフィールドと
を備える、
を備える、装置。
【請求項８】
前記１ビットのアグリゲーションフィールドは、前記受信機によって受信されたデータが１つ以上のアグリゲーションされたメディアアクセス制御（ＭＡＣ）プロトコルデータユニット（Ａ−ＭＰＤＵ）に対応するかどうかを示す請求項７に記載の装置。
【請求項９】
装置であって、
１ギガヘルツ（ＧＨｚ）未満の無線ネットワークを介して信号（ＳＩＧ）ユニットを受信するための手段と、
前記ＳＩＧユニットの９ビットの長さフィールドを解釈するための手段と、
ここにおいて、前記解釈するための手段は、１ビットのアグリゲーションフィールドが第１の値を有すると決定したことに応答して前記９ビットの長さフィールドをシンボル数として解釈し、
前記解釈するための手段は、前記１ビットのアグリゲーションフィールドが第２の値を有すると決定したことに応答して前記９ビットの長さフィールドをバイト数として解釈し、
前記ＳＩＧユニットは、短いフォーマットのプリアンブルと２メガヘルツ（ＭＨｚ）以上の帯域幅とに対応し、
前記ＳＩＧユニットは、
１ビットの第１の予約されたフィールドと、
１ビットの空間−時間ブロックコード（ＳＴＢＣ）フィールドと、
１ビットの第２の予約されたフィールドと、
２ビットの帯域幅フィールドと、
２ビットの空間時間ストリーム数フィールドと、
９ビットの部分的関連付け識別子フィールドと、
１ビットのショートガード間隔（ＳＧＩ）フィールドと、
２ビットのコーディングフィールドと、
４ビットの変調コーディング方式（ＭＣＳ）フィールドと、
１ビットの平滑化フィールドと、
前記１ビットのアグリゲーションフィールドと、
前記９ビットの長さフィールドと、
２ビットの肯定応答（ＡＣＫ）表示フィールドと、
４ビットの巡回冗長性検査（ＣＲＣ）フィールドと、
６ビットのテールフィールドと
を備える、
を備える、装置。
【請求項１０】
コンピュータによって読み取り可能な記憶媒体であって、
コンピュータによって実行されたときに、
１ギガヘルツ（ＧＨｚ）未満の無線ネットワークを介して信号（ＳＩＧ）ユニットを受信することと、
前記ＳＩＧユニットの９ビットの長さフィールドを解釈することと、
ここにおいて、前記９ビットの長さフィールドは、前記ＳＩＧユニットの１ビットのアグリゲーションフィールドが第１の値を有すると決定したことに応答してシンボル数として解釈され、
前記９ビットの長さフィールドは、前記１ビットのアグリゲーションフィールドが第２の値を有すると決定したことに応答してバイト数として解釈され、
前記ＳＩＧユニットは、短いフォーマットのプリアンブルと２メガヘルツ（ＭＨｚ）以上の帯域幅とに対応し、
前記ＳＩＧユニットは、
１ビットの第１の予約されたフィールドと、
１ビットの空間−時間ブロックコード（ＳＴＢＣ）フィールドと、
１ビットの第２の予約されたフィールドと、
２ビットの帯域幅フィールドと、
２ビットの空間時間ストリーム数フィールドと、
９ビットの部分的関連付け識別子フィールドと、
１ビットのショートガード間隔（ＳＧＩ）フィールドと、
２ビットのコーディングフィールドと、
４ビットの変調コーディング方式（ＭＣＳ）フィールドと、
１ビットの平滑化フィールドと、
前記１ビットのアグリゲーションフィールドと、
前記９ビットの長さフィールドと、
２ビットの肯定応答（ＡＣＫ）表示フィールドと、
４ビットの巡回冗長性検査（ＣＲＣ）フィールドと、
６ビットのテールフィールドと
を備える、
を前記コンピュータに行わせる命令を備える、コンピュータによって読み取り可能な記憶媒体。
【請求項１１】
方法であって、
１ギガヘルツ（ＧＨｚ）未満の無線ネットワークを介して信号（ＳＩＧ）ユニットを、第１の無線デバイスにおいて第２の無線デバイスから受信することと、
前記ＳＩＧユニットの９ビットの長さフィールドを解釈することと、
ここにおいて、前記９ビットの長さフィールドは、前記ＳＩＧユニットの１ビットのアグリゲーションフィールドが第１の値を有すると決定したことに応答してシンボル数として解釈され、
前記９ビットの長さフィールドは、前記１ビットのアグリゲーションフィールドが第２の値を有すると決定したことに応答してバイト数として解釈され、
前記ＳＩＧユニットは、長いフォーマットの単一ユーザ（ＳＵ）プリアンブルと２メガヘルツ（ＭＨｚ）以上の帯域幅とに対応し、
前記ＳＩＧユニットは、
１ビットのマルチユーザ（ＭＵ）／ＳＵフィールドと、
１ビットの空間−時間ブロックコード（ＳＴＢＣ）フィールドと、
１ビットの予約されたフィールドと、
２ビットの帯域幅フィールドと、
２ビットの空間時間ストリーム数フィールドと、
９ビットの部分的関連付け識別子フィールドと、
１ビットのショートガード間隔（ＳＧＩ）フィールドと、
２ビットのコーディングフィールドと、
４ビットの変調コーディング方式（ＭＣＳ）フィールドと、
１ビットのビーム変化表示フィールドと、
前記１ビットのアグリゲーションフィールドと、
前記９ビットの長さフィールドと、
２ビットの肯定応答（ＡＣＫ）表示フィールドと、
４ビットの巡回冗長性検査（ＣＲＣ）フィールドと、
６ビットのテールフィールドと
を備える、
を備える、方法。
【請求項１２】
前記ＳＩＧユニットは、２つの直交周波数分割多重（ＯＦＤＭ）シンボルを備え、前記ＳＩＧユニットは、半分のレートで符号化され、前記ＳＩＧユニットは、２位相偏移変調（ＢＰＳＫ）信号点配置に対応する請求項１１に記載の方法。
【請求項１３】
方法であって、
１ギガヘルツ（ＧＨｚ）未満の無線ネットワークを介して信号（ＳＩＧ）ユニットを、第１の無線デバイスにおいて第２の無線デバイスから受信することと、
前記ＳＩＧユニットの９ビットの長さフィールドをシンボル数として解釈することと、
ここにおいて、前記ＳＩＧユニットは、長いフォーマットのマルチユーザ（ＭＵ）プリアンブルと２メガヘルツ（ＭＨｚ）以上の帯域幅とに対応し、
前記ＳＩＧユニットは、
１ビットのＭＵ／単一ユーザ（ＳＵ）フィールドと、
１ビットの空間−時間ブロックコード（ＳＴＢＣ）フィールドと、
１ビットの第１の予約されたフィールドと、
８ビットの空間時間ストリーム数フィールドと、ここにおいて、前記空間時間ストリーム数フィールドは、４人のユーザに対応する４つの２ビット値を含む、
２ビットの帯域幅フィールドと、
６ビットのグループ識別子（ＧＩＤ）と、
１ビットのショートガード間隔（ＳＧＩ）フィールドと、
４ビットの第１のコーディングフィールドと、
１ビットの第２のコーディングフィールドと、
１ビットの第２の予約されたフィールドと、
前記９ビットの長さフィールドと、
２ビットの肯定応答（ＡＣＫ）表示フィールドと、
４ビットの巡回冗長性検査（ＣＲＣ）フィールドと、
６ビットのテールフィールドと
を備える、
を備える、方法。
【請求項１４】
前記ＳＩＧユニットは、２つの直交周波数分割多重（ＯＦＤＭ）シンボルを備え、前記ＳＩＧユニットは、半分のレートで符号化され、前記ＳＩＧユニットは、２位相偏移変調（ＢＰＳＫ）信号点配置に対応する請求項１３に記載の方法。
【請求項１５】
方法であって、
１ギガヘルツ（ＧＨｚ）未満の無線ネットワークを介して信号（ＳＩＧ）ユニットを、第１の無線デバイスにおいて第２の無線デバイスから受信することと、
前記ＳＩＧユニットの９ビットの長さフィールドを解釈することと、
ここにおいて、前記９ビットの長さフィールドは、前記ＳＩＧユニットの１ビットのアグリゲーションフィールドが第１の値を有すると決定したことに応答してシンボル数として解釈され、
前記９ビットの長さフィールドは、前記１ビットのアグリゲーションフィールドが第２の値を有すると決定したことに応答してバイト数として解釈され、
前記ＳＩＧユニットは、１メガヘルツ（ＭＨｚ）の帯域幅と対応し、
前記ＳＩＧユニットは、
２ビットの空間時間ストリーム数フィールドと、
１ビットのショートガード間隔（ＳＧＩ）フィールドと、
２ビットのコーディングフィールドと、
１ビットの空間−時間ブロックコード（ＳＴＢＣ）フィールドと、
１ビットの第１の予約されたフィールドと、
４ビットの変調コーディング方式（ＭＣＳ）フィールドと、
前記１ビットのアグリゲーションフィールドと、
前記９ビットの長さフィールドと、
２ビットの肯定応答（ＡＣＫ）表示フィールドと、
４ビットの巡回冗長性検査（ＣＲＣ）フィールドと、
６ビットのテールフィールドと
を備える、
を備える、方法。
【請求項１６】
前記ＳＩＧユニットは、６つの直交周波数分割多重（ＯＦＤＭ）シンボルを備え、前記ＳＩＧユニットは、半分のレートで符号化され、前記ＳＩＧユニットは、２位相偏移変調（ＢＰＳＫ）信号点配置に対応する請求項１５に記載の方法。
【発明の詳細な説明】
【技術分野】
【０００１】
関連出願の相互参照
本出願は、ここにおける引用によってここにおいて全体が明示で組み入れられている、次の共通所有される米国仮特許出願からの優先権を主張するものである。すなわち、第６１／５３１，５８４号（出願日：２０１１年９月６日）、第６１／５６２，０６３号（出願日：２０１１年１１月２１日）、第６１／５６４，１７７号（出願日：２０１１年１１月２８日）、第６１／５６６，９６１号（出願日：２０１１年１２月５日）、第６１／５８０，６１６号（出願日：２０１１年１２月２７日）、第６１／５８５，４７９号（出願日：２０１２年１月１１日、第６１／５８５，５７３号（出願日：２０１２年１月１１日）、第６１／６７０，０９２号（出願日：２０１２年７月１０日）、及び第６１／６８４，２４８号（出願日：２０１２年８月１７日）。
【０００２】
本開示は、概して、無線通信に関するものである。より具体的には、本開示は、無線ネットワークを介して通信されるＳＩＧＮＡＬ（ＳＩＧ）ユニットに関するものである。
【背景技術】
【０００３】
多くの電気通信システムでは、幾つかの対話する空間分離されたデバイス間でメッセージをやり取りするために通信ネットワークが使用される。ネットワークは、地理上のエリアに従って分類することができ、地理上のエリアは、例えば、ワイドエリア、メトロポリタンエリア、ローカルエリア、またはパーソナルエリアであることができる。該ネットワークは、ワイドエリアネットワーク（ＷＡＮ）、メトロポリタンエリアネットワーク（ＭＡＮ）、ローカルエリアネットワーク（ＬＡＮ）、又はパーソナルエリアネットワーク（ＰＡＮ）と呼ぶことができる。ネットワークは、様々なネットワークノード及びデバイスを相互接続するために使用される交換／ルーティング技法（例えば、回線交換対パケット交換）、送信のために採用される物理的媒体のタイプ（例えば、有線対無線）、及び使用される通信プロトコルの組（例えば、インターネットプロトコルスィート、ＳＯＮＥＴ（同期光ネットワーキング）、イーサネット（登録商標）、等）によっても異なる。
【０００４】
ネットワーク要素がモバイルであり、従って動的な接続性のニーズを有するときには、またはネットワークアーキテクチャが固定されたトポロジーではなくアドホックのトポロジーで形成された場合は、無線ネットワークがしばしば好まれる。無線ネットワークは、無線、マイクロ波、赤外線、光、例えば、周波数帯域、で電磁波を用いて無誘導伝播モードで無形の物理媒体を採用する。無線ネットワークは、有利なことに、固定された有線ネットワークと比較してユーザの移動性及び素早い現場での展開を容易にする。
【０００５】
無線ネットワークにおけるデバイスは、互いに情報を送信／受信することができる。情報は、パケットを含むことができ、それらは、幾つかの態様ではデータユニットは呼ばれる。パケットは、ネットワークを通じてのパケットのルーティング、パケット内のデータの識別、パケットの処理、等に役立つオーバーヘッド情報（ヘッダ情報、パケットプロパティ、等）、及び、パケットのペイロードで搬送されるデータ、例えば、ユーザデータ、マルチメディアコンテンツ、等を含むことができる。
【発明の概要】
【０００６】
本開示のシステム、方法、及びデバイスは、各々が幾つかの態様を有しており、それらのいずれの単一のそれも、望ましい属性に関して単独で担当しているわけではない。後続する請求項によって表される本開示の適用範囲を制限することなしに、幾つかの特徴が簡単に説明される。この説明を検討後に、そして特に“発明を実施するための形態”の節を読んだ後に、本開示の特徴が、データパケットでペイロードを送信する際にオーバーヘッドを低減させることを含む利点を提供することを理解するであろう。
【０００７】
特定の実施形態において、方法は、長さフィールドとアグリゲーション（ａｇｇｒｅｇａｔｉｏｎ）フィールドとを含む信号（ＳＩＧ）ユニットを、第１の無線デバイスにおいて第２の無線デバイスから受信することを含む。方法は、アグリゲーションフィールドが第１の値を有すると決定したことに応答して長さフィールドをシンボル数として解釈することと、アグリゲーションフィールドが第２の値を有すると決定したことに応答して長さフィールドをバイト数として解釈することとも含む。
【０００８】
他の特定の実施形態において、方法は、第２の無線デバイスにおいて、第１の無線デバイスに送信されるべきＳＩＧユニットを生成することを含み、ＳＩＧユニットは、長さフィールドと、アグリゲーションフィールドと、を含む。方法は、第１の無線デバイスに対してアグリゲーションされた送信を使用すると決定したことに応答して、アグリゲーションフィールドを第１の値に設定することと、長さフィールドをシンボル数に設定することと、も含む。方法は、第１の無線デバイスに対してアグリゲーションされた送信を使用しないと決定したことに応答して、アグリゲーションフィールドを第２の値に設定することと、長さフィールドをバイト数に設定することと、をさらに含む。
【０００９】
他の特定の実施形態において、方法は、無線デバイスにおいて、１ギガヘルツ（ＧＨｚ）未満の無線ネットワークを介してフレームを受信することを含む。フレームは、長さフィールド及びアグリゲーションフィールドを有するＳＩＧユニットを含む。方法は、フレームが１メガヘルツ（ＭＨｚ）帯域幅モードと関連付けられていると決定したことに応答して、アグリゲーションフィールドの値に基づいて長さフィールドをバイト数またはシンボル数として解釈することも含む。方法は、フレームが１ＭＨｚ帯域幅モードと関連付けられていないと決定したことに応答して、フレームが短いフォーマットのプリアンブル又は長いフォーマットのプリアンブルのいずれを有するかを決定することをさらに含む。方法は、フレームが短いフォーマットのプリアンブルを含むと決定したことに応答して、アグリゲーションフィールドの値に基づいて長さフィールドをバイト数またはシンボル数として解釈することを含む。方法は、フレームが長いフォーマットのプリアンブルを含むと決定したことに応答して、フレームが単一ユーザ（ＳＵ）フレームであるかまたはマルチユーザ（ＭＵ）フレームであるかを決定することも含む。方法は、フレームがＳＵフレームであると決定したことに応答して、アグリゲーションフィールドの値に基づいて長さフィールドをバイト数又はシンボル数として解釈することをさらに含む。方法は、フレームがＭＵフレームであると決定したことに応答して、長さフィールドをシンボル数として解釈することを含む。
【００１０】
他の特定の実施形態では、装置は、長さフィールド及びアグリゲーションフィールドを有するＳＩＧユニットを受信するように構成された受信機を含む。装置は、アグリゲーションフィールドが第１の値を有すると決定したことに応答して長さフィールドをシンボル数として解釈し及びアグリゲーションフィールドが第２の値を有すると決定したことに応答して長さフィールドをバイト数として解釈するように構成されたプロセッサも含む。
【００１１】
他の特定の実施形態では、装置は、長さフィールド及びアグリゲーションフィールドを有するＳＩＧユニットを生成するように構成されたプロセッサを含む。プロセッサは、アグリゲーションされた送信を使用すると決定したことに応答して、アグリゲーションフィールドを第１の値に設定し及び長さフィールドをシンボル数に設定するようにも構成される。プロセッサは、アグリゲーションされた送信を使用しないと決定したことに応答して、アグリゲーションフィールドを第２の値に設定し及び長さフィールドをバイト数に設定するようにさらに構成される。装置は、ＳＩＧユニットを送信するように構成された送信機も含む。
【図面の簡単な説明】
【００１２】
【図１】本開示の態様を採用することができる無線通信システムの例を示した図である。
【図２】図１の無線通信システム内で採用することができる典型的な無線デバイスの機能ブロック図を示した図である。
【図３】無線通信を送信するために図２の無線デバイスで利用することができる典型的なコンポーネントの機能ブロック図を示した図である。
【図４】無線通信を受信するために図２の無線デバイスで利用することができる典型的なコンポーネントの機能ブロック図を示した図である。
【図５】物理層データユニットの例を示した図である。
【図６】データユニットを生成及び送信するための典型的な方法の一態様のフローチャートを示した図である。
【図７】信号ユニットを含むデータユニットを受信及び処理するための典型的な方法の他の態様のフローチャートを示した図である。
【図８】データユニットを生成及び送信するための典型的な方法の他の態様のフローチャートを示した図である。
【図９】信号ユニットを含むデータユニットを受信及び処理するための典型的な方法の他の態様のフローチャートを示した図である。
【図１０】図１の無線通信システム内で採用することができる他の典型的な無線デバイスの機能ブロック図である。
【図１１】図１の無線通信システム内で採用することができるさらに他の典型的な無線デバイスの機能ブロック図である。
【発明を実施するための形態】
【００１３】
システム、装置、及び方法の様々な態様が以下において添付図を参照してさらに詳細に説明される。しかしながら、本開示の教示は、数多くの異なる形態で具現化することができ、本開示全体を通じて提示される特定の構造または機能に限定されるべきでない。むしろ、これらの態様は、本開示が徹底的かつ完全であるようにするために提供されるものであり、本開示の適用範囲を当業者に対してより十分に伝えるであろう。ここにおける教示に基づき、当業者は、本開示の適用範囲は、独立して実装されるかまたは本開示のその他の態様と結合されるかにかかわらず、ここにおいて開示される新規のシステム、装置、及び方法のいずれかの態様を網羅することが意図されることを評価すべきである。例えば、装置は、ここにおいて説明される態様のうちのあらゆる数の態様を用いて実装すること及び方法を実践することができる。さらに、本開示の適用範囲は、ここにおいて説明される本開示の様々な態様に加えて又は様々な態様以外にその他の構造、機能、又は構造と機能を用いて実践される装置又は方法を網羅することが意図される。ここにおいて開示されるいずれの態様も、請求項の１つ以上の要素によって具現化することができることが理解されるべきである。
【００１４】
ここでは特定の態様が説明されるが、これらの態様の数多くの変形及び置換が本開示の適用範囲内に入る。特定の態様の幾つかの利益及び利点が述べられているが、本開示の適用範囲は、特定の利益、用途、又は目標に限定することは意図されない。むしろ、本開示の態様は、異なる無線技術、システム構成、ネットワーク、及び送信プロトコルに広範囲にわたって適用可能であることが意図され、そのうちの一部は、図において及び以下の説明において例として示される。詳細な説明及び図面は、制限するのではなく、単に本開示を例示するものであるにすぎず、本開示の適用範囲は、添付された請求項及びそれらの同等物によって定義される。
【００１５】
無線ネットワーク技術は、様々なタイプの無線ローカルエリアネットワーク（ＷＬＡＮ）を含むことができる。ＷＬＡＮは、幅広く使用されるネットワーク化プロトコルを採用する近傍のデバイスを相互接続するために使用することができる。ここにおいて説明される様々な態様は、あらゆる通信規格、例えば、ＷｉＦｉであり、より一般的にはＩＥＥＥ８０２．１１無線プロトコル系統のあらゆるメンバーに適用することができる。例えば、ここにおいて説明される様々な態様は、１ＧＨｚ未満の帯域を使用するＩＥＥＥ８０２．１１ａｈプロトコルの一部として使用することができる。
【００１６】
幾つかの態様では、ギガヘルツ未満の帯域内の無線信号は、直交周波数分割多重（ＯＦＤＭ）、直接シーケンス拡散スペクトル（ＤＳＳＳ）通信、ＯＦＤＭとＤＳＳＳ通信の組み合わせ、又はその他の方式を用いて８０２．１１ａｈプロトコルに従って送信することができる。８０２．１１ａｈプロトコルの実装は、センサ、計量、及びスマートグリッドネットワークのために使用することができる。有利なことに、８０２．１１ａｈプロトコルを実装する幾つかのデバイスの態様は、その他の無線プロトコルを実装するデバイスよりも少ない電力を消費することができ、及び／又は相対的に長い範囲、例えば、約１キロメートル以上、にわたって無線信号を送信するために使用することができる。
【００１７】
幾つかの実装においては、ＷＬＡＮは、無線ネットワークにアクセスするコンポーネントである様々なデバイスを含む。例えば、２つのタイプのデバイスが存在することができる。すなわち、アクセスポイント（“ＡＰ”）及びクライアント（局、又は“ＳＴＡ”とも呼ばれる）。概して、ＡＰは、ＷＬＡＮに関するハブ又は基地局として働き、ＳＴＡは、ＷＬＡＮのユーザとして働く。例えば、ＳＴＡは、ラップトップコンピュータ、パーソナルデジタルアシスタント（ＰＤＡ）、携帯電話、等であることができる。一例では、ＳＴＡは、インターネット又はその他のワイドエリアネットワークへの一般的接続性を得るためにＷｉＦｉ（例えば、ＩＥＥＥ８０２．１１ａｈプロトコル、例えば、８０２．１１ａｈ）に準拠した無線リンクを介してＡＰに接続する。幾つかの実装においては、ＳＴＡは、ＡＰとして使用することもできる。
【００１８】
アクセスポイント（“ＡＰ”）は、ノードＢ、無線ネットワークコントローラ（“ＲＮＣ”）、ｅＮｏｄｅＢ、基地局コントローラ（“ＢＳＣ”）、ベーストランシーバ局（“ＢＴＳ”）、基地局（“ＢＳ”）、トランシーバ機能（“ＴＦ”）、無線ルータ、無線トランシーバ、又は何らかのその他の用語を含むこと、ノードＢ、無線ネットワークコントローラ（“ＲＮＣ”）、ｅＮｏｄｅＢ、基地局コントローラ（“ＢＳＣ”）、ベーストランシーバ局（“ＢＴＳ”）、基地局（“ＢＳ”）、トランシーバ機能（“ＴＦ”）、無線ルータ、無線トランシーバ、又は何らかのその他の用語として実装すること、又はノードＢ、無線ネットワークコントローラ（“ＲＮＣ”）、ｅＮｏｄｅＢ、基地局コントローラ（“ＢＳＣ”）、ベーストランシーバ局（“ＢＴＳ”）、基地局（“ＢＳ”）、トランシーバ機能（“ＴＦ”）、無線ルータ、無線トランシーバ、又は何らかのその他の用語と呼ぶこともできる。
【００１９】
局（“ＳＴＡ”）は、アクセス端末（“ＡＴ”）、加入者局、加入者ユニット、移動局、遠隔局、遠隔端末、ユーザ端末、ユーザエージェント、ユーザデバイス、ユーザ装置、又は何らかのその他の用語を含むこと、アクセス端末（“ＡＴ”）、加入者局、加入者ユニット、移動局、遠隔局、遠隔端末、ユーザ端末、ユーザエージェント、ユーザデバイス、ユーザ装置、又は何らかのその他の用語として実装すること、又はアクセス端末（“ＡＴ”）、加入者局、加入者ユニット、移動局、遠隔局、遠隔端末、ユーザ端末、ユーザエージェント、ユーザデバイス、ユーザ装置、又は何らかのその他の用語と呼ぶこともできる。幾つかの実装においては、アクセス端末は、携帯電話、コードレスフォン、セッション開始プロトコル（“ＳＩＰ”）フォン、ワイヤレスローカルループ（“ＷＬＬ”）局、パーソナルデジタルアシスタント（“ＰＤＡ”）、無線接続能力を有するハンドヘルドデバイス、又は無線モデムに接続された何らかのその他の適切な処理デバイスを含むことができる。従って、ここにおいて教示される１つ以上の態様は、電話（例えば、携帯電話又はスマートフォン）、コンピュータ（例えば、ラップトップ）、ポータブル通信デバイス、ヘッドセット、ポータブルコンピューティングデバイス（例えば、パーソナルデータアシスタント）、娯楽機器（例えば、音楽又はビデオ機器、又は衛星無線）、ゲームプレイ機器またはシステム、全地球測位システムデバイス、又は無線媒体を介して通信するように構成されたその他の適切なデバイス内に組み入れることができる。
【００２０】
上述されるように、ここにおいて説明されるデバイスのうちの幾つかは、例えば、８０２．１１  ａｈ規格を実装することができる。該デバイスは、ＳＴＡ又はＡＰ又はその他のデバイスとして使用されるかどうかにかかわらず、スマート計量のために又はスマートグリッドネットワークにおいて使用することができる。該デバイスは、センサ用途を提供すること又は家庭オートメーションにおいて使用することができる。それらのデバイスは、代わりに又はさらに加えて、ヘルスケア関係で、例えば、個人的なヘルスケアのために使用することができる。それらは、監視のために、範囲が拡大されたインターネット接続性を可能にするために（例えば、ホットスポットとともに使用）、又は機械間の通信を実装するために使用することもできる。
【００２１】
図１は、本開示の態様を採用することができる無線通信システム１００の例を示す。無線通信システム１００は、無線規格、例えば、８０２．１１ａｈ規格、に準拠して動作することができる。無線通信システム１００は、ＡＰ１０４を含むことができ、それは、ＳＴＡ１０６と通信する。
【００２２】
無線通信システム１００におけるＡＰ１０４とＳＴＡ１０６との間での送信のために様々なプロセス及び方法を使用することができる。例えば、ＯＦＤＭ／ＯＦＤＭＡ技法に従ってＡＰ１０４とＳＴＡ１０６との間で信号を送信及び受信することができる。この場合は、無線通信システム１００は、ＯＦＤＭ／ＯＦＤＭＡシステムと呼ぶことができる。代替として、ＣＤＭＡ技法に従ってＡＰ１０４とＳＴＡ１０６との間で信号を送信及び受信することができる。この場合は、無線通信システム１００は、ＣＤＭＡシステムと呼ぶことができる。
【００２３】
ＡＰ１０４から１つ以上のＳＴＡ１０６への送信を容易にする通信リンクはダウンリンク（ＤＬ）１０８と呼ぶことができ、１つ以上のＳＴＡ１０６からＡＰ１０４への送信を容易にする通信リンクはアップリンク（ＵＬ）１１０と呼ぶことができる。代替として、ダウンリンク１０８は、順方向リンク又は順方向チャネルと呼ばれることがあり、アップリンク１１０は、逆方向リンク又は逆方向チャネルと呼ばれることがある。
【００２４】
ＡＰ１０４は、基地局として機能し、ベーシックサービスエリア（ＢＳＡ）１０２内で無線通信カバレッジを提供する。ＡＰ１０４は、ＡＰ１０４と関連付けられ、ＡＰ１０４を通信のために使用するＳＴＡ１０６ともに、ベーシックサービスセット（ＢＳＳ）と呼ぶことができる。無線通信システム１００は、中央ＡＰ１０４を有することができず、むしろ、ＳＴＡ１０６間のピアツーピアネットワークとして機能することができる。従って、ここにおいて説明されるＡＰ１０４の機能は、代替で、１つ以上のＳＴＡ１０６によって実施することができる。
【００２５】
ここにおいてさらに説明されるように、ＡＰ１０４とＳＴＡ１０６との間で送信されるパケット（例えば、例示パケット１４０）（代替としてデータユニット又はフレームとも呼ばれる）は、ＳＩＧＮＡＬ（ＳＩＧ）ユニット（代替としてＳＩＧフィールドと呼ばれる）を含むことができる。例えば、ＳＩＧユニットは、パケットの物理層（ＰＨＹ）プリアンブル内に含めることができる。ＳＩＧユニットは、パケット又はそのデータペイロードを復号するために使用することができる制御情報を含むことができる。特定の実施形態では、ＳＩＧユニットの長さフィールドは、パケット又はそのデータペイロードの長さを示すことができる。長さフィールドは、固定されたサイズ、例えば、９ビット、を有することができる。しかしながら、長さフィールドによって表される測定単位は、変動することができる。例えば、（ＳＩＧユニットのアグリゲーションフィールドが第１の値を有することによって示されるように）データアグリゲーションが使用されていない場合は、長さフィールドは、バイト数を表すことができる。２９＝５１２であるため、ＳＩＧユニットは、０乃至５１１バイトの範囲のパケットサイズを示すことができる。（ＳＩＧユニットのアグリゲーションフィールドが第２の値を有することによって示されるように）データアグリゲーションが使用されている場合は、長さフィールドは、シンボル数を表すことができ、従って、５１１バイトよりも大きいサイズを表すことができる。
【００２６】
特定の実施形態では、ここにおいてさらに説明されるように、ＳＩＧユニットの１つ以上のフィールドは、代替データフォーマット、ペイロード長、及びタイプを示すための“例外”値の使用をサポートすることができる。例えば、ＳＩＧユニットの特定のフィールドの特定の値は、ＳＩＧユニットの他フィールドが従来と異なった形で解釈されるべきであること、ＳＩＧユニットは、ゼロの長さのペイロードを有するパケットの一部であること、又はＳＩＧユニットは、特定のタイプのパケットの一部であることを示すことができる。例えば、変調及びコーディング方式（ＭＣＳ）フィールドの特定の値は、ＳＩＧユニットが、ゼロの長さのペイロードを有する肯定応答（ＡＣＫ）パケット（例えば、ＰＨＹデータによって１００％表されるＡＣＫ／ＮＡＣＫパケット）の一部であることを示すことができる。
【００２７】
図２は、無線通信システム１００内で採用することができる無線デバイス２０２で利用することができる様々なコンポーネントを例示する。無線デバイス２０２は、ここにおいて説明される様々な方法を実装するように構成することができるデバイスの例である。例えば、無線デバイス２０２は、ＡＰ１０４又はＳＴＡ１０６のうちの１つを含むことができる。
【００２８】
無線デバイス２０２は、無線デバイス２０２の動作を制御するプロセッサ２０４を含むことができる。プロセッサ２０４は、中央処理装置（ＣＰＵ）と呼ぶこともできる。メモリ２０６は、読み取り専用メモリ（ＲＯＭ）及びランダムアクセスメモリ（ＲＡＭ）の両方を含むことができ、命令及びデータをプロセッサ２０４に提供する。メモリ２０６の一部分は、非揮発性ランダムアクセスメモリ（ＮＶＲＡＭ）を含むこともできる。プロセッサ２０４は、典型的には、メモリ２０６内に格納されたプログラム命令に基づいて論理演算及び算術演算を実施する。メモリ２０６内の命令は、ここにおいて説明される方法を実装するために実行可能である。
【００２９】
プロセッサ２０４は、１つ以上のプロセッサとともに実装される処理システムのコンポーネントを含むこと又はコンポーネントであることができる。１つ以上のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲーテッド（ｇａｔｅｄ）ロジック、ディスクリートハードウェアコンポーネント、専用ハードウェア有限状態マシン、又は、計算又は情報のその他の処理を実施することができるその他の適切なエンティティのあらゆる組み合わせとともに実装することができる。
【００３０】
処理システムは、ソフトウェアを格納するための機械によって読み取り可能な媒体も含むことができる。ソフトウェアは、ソフトウェア、ファームウェア、ミドルウェア、マイクロコード、ハードウェア記述言語、その他のいずれで呼ばれるかにかかわらず、あらゆるタイプの命令を意味するように広義で解釈するものとする。命令は、コード（例えば、ソースコードフォーマット、バイナリコードフォーマット、実行可能なコードフォーマット、その他の適切なコードフォーマット）を含むことができる。命令は、１つ以上のプロセッサによって実行されたときに、ここにおいて説明される様々な機能を実施することを処理システムに行わせる。
【００３１】
無線デバイス２０２は、無線デバイス２０２と遠隔場所との間でのデータの送信及び受信を可能にするための送信機２１０及び受信機２１２を含むことができるハウジング２０８を含むこともできる。送信機２１０及び受信機２１２は、結合してトランシーバ２１４にすることができる。アンテナ２１６をハウジング２０８に取り付けること及びトランシーバ２１４に電気的に結合することができる。無線デバイス２０２は、複数の送信機、複数の受信機、複数のトランシーバ、及び／又は複数のアンテナを含むこともできる（示されていない）。ここにおいてさらに説明されるように、送信機２１０は、ＳＩＧユニットを送信するための手段であることができ、受信機２１２は、ＳＩＧユニットを受信するための手段であることができる。
【００３２】
無線デバイス２０２は、トランシーバ２１４によって受信された信号のレベルを検出及び定量化しようとして使用することができる信号検出器２１８も含むことができる。信号検出器２１８は、信号の特性、例えば、総エネルギー、エネルギー／副搬送波／シンボル、電力スペクトル密度、を検出することができる。無線デバイス２０２は、信号を処理する際に使用するためのデジタル信号プロセッサ（ＤＳＰ）２２０も含むことができる。ＤＳＰ２２０は、送信のためのデータユニットを生成するように構成することができる。幾つかの態様では、データユニットは、物理層データユニット（ＰＰＤＵ）を含むことができる。幾つかの態様では、ＰＰＤＵは、パケットと呼ばれる。ここにおいてさらに説明されるように、プロセッサ２０４、信号検出器２１８、及びＤＳＰ２２０のうちの１つ以上は、ＳＩＧユニットを生成するための手段、ＳＩＧユニットの長さフィールドを解釈するための手段、ＳＩＧユニットのフィールドがゼロ長ペイロードを示す値を有するかどうかを決定するための手段、及び／又はその決定に基づいてＳＩＧユニットを復号するための手段であることができる。
【００３３】
無線デバイス２０２は、幾つかの態様ではユーザインタフェース２２２をさらに含むことができる。ユーザインタフェース２２２は、キーパッド、マイク、スピーカー、及び／又はディスプレイを含むことができる。ユーザインタフェース２２２は、無線デバイス２０２のユーザに情報を搬送する及び／又はユーザから入力を受信する要素又はコンポーネントを含むことができる。
【００３４】
無線デバイス２０２の様々なコンポーネントは、バスシステム２２６によってまとめて結合することができる。バスシステム２２６は、例えば、データバス、電力バス、制御信号バス、及び状態信号バスをデータバスに加えて含むことができる。無線デバイス２０２のコンポーネントはまとめて結合するか又はその他の何らかのメカニズムを用いて互いに入力を受け入れる又は提供することができることを当業者は評価するであろう。
【００３５】
図２では幾つかの別々のコンポーネントが例示されるが、それらのコンポーネントのうちの１つ以上は結合させること又は共通して実装することができることを当業者は認識するであろう。例えば、プロセッサ２０４は、プロセッサ２０４に関して上述される機能を実装するだけでなく、信号検出器２１８及び／又はＤＳＰ２２０に関して上述される機能を実装するためにも使用することができる。さらに、図２において例示されるコンポーネントの各々は、複数の別々の要素を用いて実装することができる。
【００３６】
上述されるように、無線デバイス２０２は、ＡＰ１０４又はＳＴＡ１０６を含むことができ、及び、通信を送信する及び／又は受信するために使用することができる。例えば、無線デバイス２０２は、ＳＩＧユニットを含むパケット２４０を通信することができる。ここにおいてさらに説明されるように、パケット２４０は、ＳＩＧユニット内の他のフィールドの値に基づいて複数の方法で解釈することができる長さフィールドを有するＳＩＧユニットを含むことができる。例えば、長さフィールドは、アグリゲーションフィールドの値に基づいてバイト数又はシンボル数として解釈することができる。代替として、又はさらに加えて、ＳＩＧユニットの特定のフィールド内の特定の値の存在は、ゼロの長さのペイロードを有する（例えば、ＰＨＹデータによって完全に表される短いＡＣＫである）ことを示すことができる。
【００３７】
図３は、無線通信を送信するために無線デバイス２０２で利用することができる様々なコンポーネントを例示する。図３において例示されるコンポーネントは、例えば、ＯＦＤＭ通信を送信するために使用することができる。幾つかの態様では、図３において例示されるコンポーネントは、以下においてさらに詳細に説明されるように、ＳＩＧＮＡＬユニット（例えば、図２のパケット２４０）が様々な通信モード状態でデータユニットを送信するために使用される。参照を容易にするために、図３において例示されるコンポーネントで構成された無線デバイス２０２は、以後は無線デバイス２０２ａと呼ばれる。
【００３８】
無線デバイス２０２ａは、送信のためにビットを変調するように構成された変調器３０２を含むことができる。例えば、変調器３０２は、例えば、信号点配置（ｃｏｎｓｔｅｌｌａｔｉｏｎ）により複数のシンボルにビットをマッピングすることによって、プロセッサ２０４又はユーザインタフェース２２２から受信されたビットから複数のシンボルを決定することができる。ビットは、ユーザデータ又は制御情報に対応することができる。幾つかの態様では、ビットは、コードワードで受信される。一態様では、変調器３０２は、ＱＡＭ（直交振幅変調）変調器、例えば、１６−ＱＡＭ変調器又は６４−ＱＡＭ変調器、を含む。その他の態様では、変調器３０２は、２位相偏移変調（ＢＰＳＫ）変調器又は四位相偏移変調（ＱＰＳＫ）変調器を含む。
【００３９】
無線デバイス２０２ａは、シンボル又はその他の方法で変調されたビットを変調器３０２から時間領域内に変換するように構成された変換モジュール３０４をさらに含むことができる。図３では、変換モジュール３０４は、逆高速フーリエ変換（ＩＦＦＴ）モジュールによって実装されるとして例示される。幾つかの実装においては、異なるサイズのデータのユニットを変換する複数の変換モジュール（示されていない）が存在することができる。
【００４０】
図３では、変調器３０２及び変換モジュール３０４は、ＤＳＰ２２０において実装されるとして例示される。しかしながら、幾つかの態様では、変調器３０２及び変換モジュール３０４のうちの１つ又は両方がプロセッサ２０４内で又は無線デバイス２０２の他の要素内で実装される。
【００４１】
上述されるように、ＤＳＰ２２０は、送信のためにデータユニットを生成するように構成することができる。幾つかの態様では、変調器３０２及び変換モジュール３０４は、制御情報と複数のデータシンボルとを含む複数のフィールドを含むデータユニットを生成するように構成することができる。制御情報を含むフィールドは、例えば、１つ以上のトレーニングフィールドと、１つ以上の信号（ＳＩＧ）フィールドと、を含むことができる。トレーニングフィールドの各々は、既知のシーケンスのビット又はシンボルを含むことができる。ＳＩＧフィールドの各々は、データユニットに関する情報、例えば、データユニットの長さ又はデータレートの記述、を含むことができる。
【００４２】
図３の説明に戻り、無線デバイス２０２ａは、変換モジュールの出力をアナログ信号に変換するように構成されたデジタル−アナログ変換器（ＤＡＣ、図３では“Ｄ／Ａ”）３０６をさらに含むことができる。例えば、変換モジュール３０４の時間領域出力は、デジタル−アナログ変換器３０６によってベースバンドＯＦＤＭ信号に変換することができる。デジタル−アナログ変換器３０６は、プロセッサ２０４内に又は無線デバイス２０２の他の要素内に実装することができる。幾つかの態様では、デジタル−アナログ変換器３０６は、トランシーバ２１４内又はデータ送信プロセッサ内に実装される。
【００４３】
アナログ信号は、送信機２１０によって無線で送信することができる。アナログ信号は、例えば、フィルタリングすることによって又は中間周波数又は搬送波周波数にアップコンバージョンすることによって、送信機２１０によって送信される前にさらに処理することができる。図３において例示される態様では、送信機２１０は、送信増幅器３０８を含む。アナログ信号は、送信される前に、送信増幅器３０８によって増幅することができる。幾つかの態様では、増幅器３０８は、低雑音増幅器（ＬＮＡ）を含む。
【００４４】
送信機２１０は、アナログ信号に基づいて１つ以上のパケット又はデータユニットを無線信号で送信するように構成される。データユニットは、プロセッサ２０４及び／又はＤＳＰ２２０を用いて、例えば、上述されるように変調器３０２及び変調器モジュール３０４を用いて生成することができる。上述されるように生成し及び送信することができるデータユニットは、以下において図５乃至１１に関してさらに詳細に説明される。
【００４５】
図４は、無線通信を受信するために無線デバイス２０２で利用することができる様々なコンポーネントを例示する。図４において例示されるコンポーネントは、例えば、ＯＦＤＭ通信を受信するために使用することができる。幾つかの態様では、図４において例示されるコンポーネントは、以下においてさらに詳細に説明されるように、１つ以上のＳＩＧＮＡＬユニット（例えば、図２のパケット２４０）を含むデータユニットを受信するために使用される。例えば、図４において例示されるコンポーネントは、図３に関して上述されるコンポーネントによって送信されたデータユニットを受信するために使用することができる。参照を容易にするために、図４において例示されるコンポーネントで構成された無線デバイス２０２は、以後は無線デバイス２０２ｂと呼ばれる。
【００４６】
受信機２１２は、１つ以上のパケット又はデータユニットを無線信号で受信するように構成される。以下において説明されるように受信及び復号するか又はその他の方法で処理することができるデータユニットが、図５乃至１１に関してさらに詳細に説明される。
【００４７】
図４において例示される態様では、受信機２１２は、受信増幅器４０１を含む。受信増幅器４０１は、受信機２１２によって受信された無線信号を増幅するように構成することができる。幾つかの態様では、受信機２１２は、自動利得制御（ＡＧＣ）手順を用いて受信増幅器４０１の利得を調整するように構成される。幾つかの態様では、自動利得制御は、利得を調整するために、１つ以上の受信されたトレーニングフィールド、例えば、受信されたショートトレーニングフィールド（ＳＴＦ）、内の情報を使用する。当業者は、ＡＧＣを実施するための方法を理解するであろう。幾つかの態様では、増幅器４０１は、ＬＮＡを含む。
【００４８】
無線デバイス２０２ｂは、受信機２１２からの増幅された無線信号をデジタル表現に変換するように構成されたアナログ−デジタル変換器（ＡＤＣ、図４では“Ａ／Ｄ”）４０２を含むことができる。増幅されるために、無線信号は、例えば、フィルタリングすることによって又は中間周波数又はベースバンド周波数にダウンコンバージョンすることによって、アナログ−デジタル変換器４０２によって変換される前に処理することができる。アナログ−デジタル変換器４０２は、プロセッサ２０４内に又は無線デバイス２０２の他の要素内に実装することができる。幾つかの態様では、アナログ−デジタル変換器４０２は、トランシーバ２１４内又はデータ受信プロセッサ内に実装される。
【００４９】
無線デバイス２０２ｂは、無線信号の表現を周波数スペクトルに変換するように構成された変換モジュール４０４をさらに含むことができる。図４において、変換モジュール４０４は、高速フーリエ変換（ＦＦＴ）モジュールによって実装されるとして例示される。変換モジュール４０４は、プログラミング可能であり、異なる構成でＦＦＴを実施するように構成することができる。例えば、一態様では、変換モジュール４０４は、３２点ＦＦＴ又は６４点ＦＦＴを実施するように構成することができる。幾つかの態様では、変換モジュール４０４は、使用する各点に関するシンボルを識別することができる。
【００５０】
無線デバイス２０２ｂは、データユニットが受信されるチャネルの推定を形成するように、及びチャネル推定に基づいてチャネルの幾つかの影響を除去するように構成されたチャネル推定器及び等化器４０５をさらに含むことができる。例えば、チャネル推定器は、チャネルの関数を概算するように構成することができ、チャネル等化器は、その関数の逆数を周波数スペクトル内のデータに適用するように構成することができる。
【００５１】
幾つかの態様では、チャネル推定器及び等化器４０５は、例えば、チャネルを推定するために、１つ以上の受信されたトレーニングフィールド、例えば、ロングトレーニングフィールド（ＬＴＦ）、内の情報を使用する。チャネル推定は、データユニットの始めに受信された１つ以上のＬＴＦに基づいて形成することができる。このチャネル推定は、その後は、１つ以上のＬＴＥに後続するデータシンボルを等化するために使用することができる。一定の期間後に又は一定の数のデータシンボル後に、１つ以上の追加のＬＴＦをデータユニットで受信することができる。チャネル推定は更新することができ又は追加のＬＴＦを用いて新しい推定を形成することができる。この新しい又は更新されたチャネル推定は、追加のＬＴＦを使用して形成することができる。この新しい又は更新されたチャネル推定は、追加のＬＴＦに後続するデータシンボルを等化するために使用することができる。幾つかの態様では、新しい又は更新されたチャネル推定は、追加のＬＴＦに先行するデータシンボルを再等化するために使用される。当業者は、チャネル推定を形成するための方法を理解するであろう。
【００５２】
無線デバイス２０２ｂは、等化されたデータを復調するように構成された復調器４０６をさらに含むことができる。例えば、復調器４０６は、例えば、信号点配置内でのシンボルへのビットのマッピングを反転させることによって、変換モジュール４０４及びチャネル推定器及び等化器４０５によって出力されたシンボルから複数のビットを決定することができる。ビットは、プロセッサ２０４によって処理又は評価すること、又は、情報を表示するか又はユーザインタフェース２２２に出力するために使用することができる。このようにして、データ及び／又は情報を復号することができる。幾つかの態様では、ビットは、コードワードに対応する。一態様では、復調器４０６は、ＱＡＭ（直交振幅変調）復調器、例えば、１６−ＱＡＭ復調器又は６４−ＱＡＭ復調器、を含む。その他の態様では、復調器４０６は、２位相偏移変調（ＢＰＳＫ）復調器又は四位相偏移変調（ＱＰＳＫ）復調器を含む。
【００５３】
図４では、変換モジュール４０４、チャネル推定器及び等化器４０５、及び復調器４０６は、ＤＳＰ２２０内に実装されているとして例示される。しかしながら、幾つかの態様では、変換モジュール４０４、チャネル推定器及び等化器４０５、及び復調器４０６のうのち１つ以上は、プロセッサ２０４内に又は無線デバイス２０２の他の要素内に実装される。
【００５４】
上述されるように、受信機２１２で受信された無線信号は、１つ以上のデータユニットを含む。上述される機能又はコンポーネントを用いて、データユニット又はそれらの中のデータシンボルは、復号及び評価すること又は評価又は処理することができる。例えば、プロセッサ２０４及び／又はＤＳＰ２２０は、変換モジュール４０４、チャネル推定器及び等化器４０５、及び復調器４０６を用いてデータユニット内のデータシンボルを復号するために使用することができる。
【００５５】
上述されるように、ＡＰ１０４及びＳＴＡ１０６によってやり取りされるデータユニットは、制御情報又はデータを含むことができる。物理（ＰＨＹ）層においては、これらのデータユニットは、物理層プロトコルデータユニット（ＰＰＤＵ）と呼ぶことができる。幾つかの態様では、ＰＰＤＵは、パケット又は物理層パケットと呼ばれることがある。各ＰＰＤＵは、プリアンブルと、ペイロードと、を含むことができる。プリアンブルは、トレーニングフィールドと、ＳＩＧフィールドと、を含むことができる。ペイロードは、メディアアクセス制御（ＭＡＣ）ヘッダ又はその他の層に関するデータ、及び／又は例えば、ユーザデータを含むことができる。様々な実施形態において、データユニットは、マックプロトコルデータユニット（ＭＰＤＵ）及び／又はアグリゲーテッド（ａｇｇｒｅｇａｔｅｄ）マックプロトコルデータユニット（Ａ−ＭＰＤＵ）を含むことができる。ペイロードは、１つ以上のデータシンボルを用いて送信することができる。ここにおけるシステム、方法、及びデバイスは、ピーク対電力比が最小化されているトレーニングフィールドを有するデータユニットを利用することができる。
【００５６】
データユニットは、例えば、１ＭＨｚモード又は２ＭＨｚモードで送信することができる。プリアンブルは、１ＭＨｚ通常モード及び１ＭＨｚ  ２ｘ繰り返しモードにとって共通であることができる。２ＭＨｚモードでは、ＳＩＧフィールドは、５２のデータトーンにまたがることができる。幾つかの実施形態では、ＳＩＧフィールドは、２ＭＨｚよりも大きい送信に関しては２ＭＨｚごとに複製することができる。さらに、２ＭＨｚよりも大きい送信に関しては、ＭＵモードに関して２つのＳＩＧ−Ａフィールド及び１つのＳＩＧ−Ｂフィールドが存在することができる。幾つかの実施形態では、１ＭＨｚモードでは、６つのＳＩＧ  Ａフィールドが存在することができる。１ＭＨｚモードでは、ＳＩＧフィールドは、２４のデータトーンにまたがることができる。幾つかの実施形態では、２ＭＨｚ  ＰＨＹ送信は、６４のトーン（５２のデータトーン、４つのパイロットトーン、７つのガードトーン、及び１つのＤＣトーン）から成るＯＦＤＭに基づく波形である。その他の帯域幅モードに関するトーン間隔は、２ＭＨｚモードに関するトーン間隔と同じであることができる。幾つかの実施形態では、１ＭＨｚモードは、３２のトーン（２４のデータトーン、２つのパイロットトーン、５つのガードトーン、及び１つのＤＣトーン）を含む。
【００５７】
図５は、データユニット５００の例を示す。データユニット５００は、無線デバイス２０２とともに使用するためのＰＰＤＵを含むことができる。一実施形態では、データユニット５００は、レガシーデバイス又はレガシー規格を実装するデバイス又はそのダウンクロックされたバージョンによって使用することができる。
【００５８】
データユニット５００は、プリアンブル５１０を含む。プリアンブル５１０は、可変数の繰り返しＳＴＦ５１２シンボルと、１つ以上のＬＴＦ５１４シンボルと、を含むことができる。一実装において、１０の繰り返されるＳＴＦ５１２シンボルを送信し、２つのＬＴＦ５１２シンボルによって後続することができる。ＳＴＦ５１２は、上述されるように、受信増幅器４０１の利得を調整するために自動利得制御を行うために受信機２１２によって使用することができる。さらに、ＳＴＦ５１２シーケンスは、パケット検出、粗いタイミング、及びその他の設定のために受信機２１２によって使用することができる。ＬＴＦ５１４は、データユニット５００が受信されるチャネルの推定を形成するためにチャネル推定器及び等化器４０５によって使用することができる。
【００５９】
データユニット５００内のプリアンブル５１０の後にはＳＩＧＮＡＬユニット５２０が続く。ＳＩＧＮＡＬ５２０ユニットは、ＯＦＤＭを用いて表すことができ及び送信レート、データユニット５００の長さ、等に関連する情報を含むことができる。データユニット５００は、可変数のデータシンボル５３０、例えば、ＯＦＤＭデータシンボル、をさらに含む。一実施形態では、プリアンブル５１０は、ＳＩＧＮＡＬユニット５２０を含むことができる。一実施形態では、データシンボル５３０のうちの１つ以上がペイロードであることができる。
【００６０】
無線デバイス２０２ｂにおいてデータユニット５００が受信されるときには、ＬＴＦ５１４を含むデータユニット５００のサイズは、ＳＩＧＮＡＬユニット５２０に基づいて計算することができ、ＳＴＦ５１２は、受信増幅器４０１の利得を調整するために受信機３１２によって使用することができる。さらに、ＬＴＦは、データユニット５００が受信されるチャネルの推定を形成するためにチャネル推定器及び等化器４０５によって使用することができる。チャネル推定は、プリアンブル５１０に後続する複数のデータシンボル５３０を復号するためにＤＳＰ２２０によって使用することができる。
【００６１】
図５において例示されるデータユニット５００は、システム１００において及び／又は無線デバイス２０２とともに使用することができるデータユニットの一例であるにすぎない。データユニット５００内にはより少ない数の又はより多い数のＳＴＦ４１２又はＬＴＦ５１４及び／又はデータシンボル５３０を含めることができることを当業者は評価するであろう。さらに、図５には示されていない１つ以上のシンボル又はフィールドをデータユニット５００に含めることができ、及び、例示されるフィールド又はシンボルのうちの１つ以上を省くことができる。
【００６２】
ＯＦＤＭを使用するときには、周波数帯域の直交副搬送波数を使用することができる。使用される副搬送波の数は、利用可能な周波数帯域、帯域幅及び関連する規制上の制約事項を含む様々な考慮事項に依存することができる。各々の変調された副搬送波は、送信されるべきＯＦＤＭ信号を生成するためのＩＦＦＴモジュールへの入力であるため、使用される副搬送波数は、ＦＦＴモジュールのサイズと相関関係にある。従って、幾つかの実装においては、より大きいＦＦＴサイズ（例えば、６４、１２８、２５６、又は５１２）は、より多くの副搬送波を用いてデータを送信することに対応し、より大きい帯域幅を達成させるために希望することができる。その他の実装では、狭い帯域幅でデータを送信するためにより小さいＦＦＴサイズを使用することができる。副搬送波数、そして従ってＦＦＴサイズ、は、帯域幅に関する幾つかの制約を有する規制領域に準拠するために選択することができる。例えば、３２のＦＦＴサイズを幾つかの実装のために（例えば、ダウンクロックされた実装のために）提供することができ、及び、８０２．１１ａｈのために提供することができる。従って、無線デバイス２０２ａは、幾つかの変換モジュール３０４を含むことができ、各々がＦＦＴ又はＩＦＦＴモジュールとして実装され、各々が使用するために指定される副搬送波数に準拠するために異なるサイズを有する。ここにおいて説明される幾つかの態様により、変換モジュール３０４のうちの少なくとも１つは、３２点サイズのＩＦＦＴ又はＦＦＴモジュールであることができる。一実施形態では、変換モジュール３０４は、検出されたＦＦＴモードに基づいて複数の異なるサイズで選択的にＦＦＴを行うように構成することができる。一態様では、マルチモード変換モジュールは、複数のＦＦＴモジュールを含むことができ、各々が異なるＦＦＴサイズを使用するように構成され、各々のＦＦＴモジュールの出力は、検出されたＦＦＴモードに基づいて選択することができる。
【００６３】
図２及び３に関して上述されるように、無線デバイス２０２ａは、様々なＦＦＴモードで動作するように構成することができる。様々な実施形態において、無線デバイス２０２ａは、３２点ＦＦＴチャネルよりも高い帯域幅のチャネルとともに６４点ＦＦＴサイズを使用するように構成することができる。例えば、６４点ＦＦＴチャネルは、３２点ＦＦＴチャネルの帯域幅の２倍の帯域幅を有することができる。一実施形態では、変換モジュール３０４は、２ＭＨｚと関連して６４点ＦＦＴサイズを使用するように構成することができ、及び、変換モジュール３０４は、１ＭＨｚと関連して３２点ＦＦＴサイズを使用するように構成することができる。一実施形態では、変換モジュール３０４は、複数の異なるＦＦＴサイズを選択的に使用するように構成することができる。他の実施形態では、複数の異なるＩＦＦＴが異なるＦＦＴサイズを使用するように各々構成することができ、それらの出力は、ＤＡＣ３０６に選択的にルーティングすることができる。
【００６４】
幾つかの実施形態では、データユニット５００は、パーシャル（Ｐａｒｔｉａｌ）エア識別子（ＡＩＤ）すなわちＰＡＩＤフィールドを含むことができる。ＰＡＩＤフィールドは、１つ以上の受信機又はＳＴＡ１０６のための部分的識別子を含む。ＰＡＩＤフィールドは、ＳＴＡ１０６がデータユニット５００の残りの部分を受信及び復号すべきかどうかを示す早期インジケータとして各ＳＴＡ１０６によって使用することができる。例えば、データユニット５００が特定のＳＴＡ１０６を意図していないことをＰＡＩＤフィールドが示す場合は、そのＳＴＡ１０６は、電力を節約するためにデータユニット５００の処理を中止することができる。
【００６５】
幾つかの実施形態では、ＰＡＩＤフィールドは、ＳＴＡ１０６の一意の識別、例えば、ＳＴＡ１０６のフルローカル識別子（例えば、ＡＩＤ）、を含む。幾つかの実施形態では、ＰＡＩＤフィールドは、ＳＴＡ１０６のパーシャルローカル識別子、例えば、ＡＩＤの一部分、例えば、ＡＩＤのある数の最下位ビット（ＬＳＢ）、を含む。幾つかの実施形態では、ＰＡＩＤフィールドは、ＳＴＡ１０６のパーシャルローカル識別子と、関連付けられたＢＳＳ又はＡＰ１０４のパーシャルローカル識別子と、を含む。
【００６６】
幾つかの実施形態では、ＰＡＩＤフィールドは、明示では送信されず、他のフィールド、例えば、巡回冗長性検査（ＣＲC）フィールド、で符号化される。例えば、ＣＲＣは、送信されるデータユニット５００のＰＡＩＤフィールド及びその他のフィールドを用いて計算することができる。ＳＴＡ１０６は、送信されたフィールド及びＣＲＣフィールドを受信する。次に、ＳＴＡ１０６は、受信されたフィールド及びＳＴＡ１０６がデータユニット５００の処理を継続すべきであることを示すＰＡＩＤフィールドに基づいてＣＲＣを計算する。ＳＴＡ１０６によって計算されたＣＲＣが受信されたＣＲＣとマッチする場合は、ＳＴＡ１０６は、データユニット５００の処理を継続する。
【００６７】
幾つかの実施形態では、データユニット５００は、パラメータの複数の組を含む。パラメータの第１の組は、データユニット５００がＳＴＡ１０６を意図しない場合にＳＴＡ１０６がどのくらいの時間パワーダウンモードにあるかを決定するために使用されるパラメータを含むことができる。パラメータの第２の組は、データユニット５００のその他のパラメータ、例えば、後述されるそれら、を含むことができる。ＰＡＩＤフィールドは、第２の組内に含めることができる。幾つかの実施形態では、パラメータの組の各々は、その組専用の独立したＣＲＣによって網羅される。各ＳＴＡ１０６は、ＰＡＩＤフィールドに基づいて、データユニット５００が復号されるべきかどうかを決定する。データユニット５００が復号されるべきでない場合は、ＳＴＡ１０６は、パラメータの第１の組内の情報に基づいてある時間の間延期する。幾つかの実施形態では、ＣＲＣは、ＳＩＧフィールド内に存在する。幾つかの実施形態では、例えば、データユニット５００が非ＡＭＰＤＵ用である場合は、パラメータの第２の組のＣＲＣは、プリアンブルの後のサービスフィールド内に存在する。
【００６８】
幾つかの実施形態では、ＰＡＩＤフィールドは、サービスフィールド内に存在する。該実施形態では、ＰＡＩＤフィールドは、ＳＩＧフィールド内のデータと同じＭＣＳで送信することができる。幾つかの実施形態では、ＰＡＩＤフィールドは、ＭＡＣヘッダの直前に存在することができる。
【００６９】
幾つかの実施形態では、データユニット５００は、データをスクランブル解除するためにＳＴＡ１０６によって使用するためのランダムシード（ｒａｎｄｏｍ  ｓｅｅｄ）を含む。幾つかの実施形態では、ＰＡＩＤフィールドの少なくとも一部分もシードであることができる。幾つかの実施形態では、ＳＴＡ１０６は、複数の、例えば、連続するＰＡＩＤフィールドを再送信のための新しいシードとして認識することができる。
【００７０】
幾つかの実施形態では、データユニット５００は、サービスフィールドを含まない。該実施形態では、帯域幅は、例えば、ＳＩＧフィールド内で又はＭＡＣヘッダ内で示すことができる。同様に、ＣＲＣは、例えば、ＳＩＧフィールド内又はＭＡＣヘッダ内に含めることができる。さらに加えて、又は代替で、ランダムシードは、例えば、ＳＩＧフィールド内又はＭＡＣヘッダ内に含めることができる。幾つかの実施形態では、ランダムシードは、ＰＡＩＤフィールドに含めることもできる。
【００７１】
幾つかの実施形態では、ＰＡＩＤフィールドは、ＳＩＧフィールド内のデータとともにスクランブリングされ、スクランブリングされたシーケンスは、ＣＲＣによってカバーされる。代替で、ＰＡＩＤフィールドは、ＳＩＧフィールドに添付することができ、組はＣＲＣによってカバーされる。
【００７２】
幾つかの実施形態では、ＰＡＩＤフィールドは、ＳＴＡ１０６への複数の送信にわたって静的でない。例えば、ＰＡＩＤフィールドは、各送信ごとに変化することができ又は各送信数後に変化することができる。ＰＡＩＤフィールドは、送信デバイス及び受信ＳＴＡ１０６の両方に共通のアルゴリズムに従って変化させることができる。例えば、一連の数の中の次を使用することができる。幾つかの実施形態では、次のＰＡＩＤフィールド値は、前のＰＡＩＤフィールド値＋１に等しい。幾つかの実施形態では、アルゴリズムは、タイミング同期化関数（ＴＳＦ）又はネットワークのＴＳＦのハッシュに部分的に基づいてＰＡＩＤフィールドを生成することを含む。ＰＡＩＤフィールドの計算は、例えば、１秒ごとに、２秒、３秒、４秒、５秒、又はその他の秒数ごとに、１分ごとに、２分、３分、４分、５分、又はその他の分数ごとに生じることができる。従って、ＴＳＦ不整合に起因する誤りは稀になる。
【００７３】
幾つかの実施形態では、受信ＳＴＡ１０６は、ＰＡＩＤフィールド値又は次の送信のために使用すべきＰＡＩＤフィールド値の表示を送信デバイスに通信する。例えば、次のＰＡＩＤフィールド値又は次のＰＡＩＤフィールド値の表示は、送信デバイスからの受信された送信に応答して送信されるＡＣＫ内に含めることができる。
【００７４】
例えば、第１のデータユニットでは、ＡＰ１０４は、デフォルトのＰＡＩＤフィールド値を使用し、ＳＴＡ１０６は、第１のデータユニットを復号することによってそれに応答する。ＳＴＡ１０６は、第１のデータユニットの受信に肯定応答するためのＡＣＫを送信する。ＡＣＫ通信では、ＳＴＡ１０６は、次のＰＡＩＤフィールド値を示す。後続して、第２のデータユニットでは、ＡＰ１０４は、次のＰＡＩＤフィールド値を使用し、ＳＴＡ１０６は、第２のデータユニットを復号することによってそれに応答する。
【００７５】
デフォルトのＰＡＩＤフィールド値は、例えば、ブロードキャストＰＡＩＤフィールド値であることができ、又は、例えば、第１及び第２のデータユニットの対象となる特定のＳＴＡ１０６と関連付けられたＰＡＩＤフィールドであることができる。次のＰＡＩＤフィールド値は、例えば、一連の数字の内の次であることができ、又は、例えば、第１のデータユニットの少なくとも一部分のハッシュ、例えば、第１のデータユニットのデータ、であることができる。
【００７６】
幾つかの実施形態では、ＡＰ１０４がＡＣＫを受信しない場合は、ＡＰ１０４は、デフォルトのＰＡＩＤフィールド値又はＡＣＫが受信された最新のＰＡＤＩ値を用いて第２のデータユニットを送信することができる。従って、ＳＴＡ１０６は、複数のＰＡＩＤフィールド値のうちのいずれかを含むデータユニットを復号するように構成することができる。例えば、ＳＴＡ１０６は、デフォルトのＰＡＩＤフィールド値、最新の受信されて復号されたデータユニットに関するＰＡＩＤフィールド値、及びＳＴＡ１０６によって送信された最新のＡＣＫ内で示されたＰＡＩＤフィールド値のうちのいずれかを含むデータユニットを復号するように構成することができる。該実施形態では、ＡＰ１０４は、ＳＴＡ１０６に関する複数のＰＡＩＤフィールド値のうちの１つを選択するように構成することができる。該選択は、例えば、ランダム又は擬似ランダムであることができる。
【００７７】
幾つかの実施形態では、ＰＡＩＤフィールドは、例えば、管理交換（ｍａｎａｇｅｍｅｎｔ  ｅｘｃｈａｎｇｅ）を用いてＡＰ１０４によって割り当てられる。例えば、ＰＡＩＤフィールドは、定期的に再割り当てることができる。幾つかの実施形態では、ＳＴＡ１０６は、ＡＰ１０４からの次の送信のための新しいＰＡＩＤフィールドを要求又は割り当てることができる。例えば、ＳＴＡ１０６が、そのＳＴＡ１０６を対象としていない複数のデータユニットを復号する場合は、ＳＴＡ１０６は、新しいＰＡＩＤフィールド値を要求又は指定することができる。
【００７８】
幾つかのシステムでは、ＭＡＣアドレスを通じてユニキャストパケットフィルタリングが可能である。該システムでは、ＰＡＩＤフィールドは、パケット内容に基づいてパケットフィルタリングを向上させる上で役立つことができる。
【００７９】
幾つかの実施形態では、ＰＡＩＤフィールドは、データユニットのタイプを識別することができる。幾つかの実施形態では、ＰＡＩＤフィールドは、データユニットの内容を追加で識別することができる。例えば、データユニットが、ＳＴＡのグループに関するトラフィック表示マップ（ＴＩＭ）を含む場合は、ＰＡＩＤフィールドは、データユニットの対象となるＳＴＡのグループを識別することができる。幾つかの実施形態では、データユニットがビーコンであることを示すために及びビーコン変更シーケンス番号を識別するためにＰＡＩＤフィールドの幾つかの値を使用することができる。ＳＴＡが既に最新である場合は、ＳＴＡは、ＰＡＩＤフィールドを処理後はデータユニットの残りの部分を無視することができる。
【００８０】
一実施形態では、６４点ＦＦＴ信号に関しては、データユニット５００は、２４０μｓプリアンブル５１０を含むことができる。プリアンブル５１０は、単一の２シンボルＳＴＦ５１２と、単一の２シンボルＳＴＦ５１４と、２シンボルＳＩＧＮＡＬユニット５２０と、を含むことができる。ＳＩＧＮＡＬユニット５２０は、以下の表１に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表１に示される全フィールドを有する。幾つかの実施形態では、ＳＩＧＮＡＬユニット５２０は、表１に示されるフィールドのみを有する。幾つかの実施形態では、ＳＩＧＮＡＬユニット５２０は、表１に示されるフィールドを有し、表１に示される順序である。幾つかの実施形態では、表１に示される複数のフィールドの情報の少なくとも一部分は、単一のフィールドに含められる。例えば、表１の第１及び第２のフィールドは、第１及び第２の両方のフィールドの情報を含む単一のフィールドにまとめることができる。
【表１】
0005937215.tif 000002
【００８１】
表１に示される態様では、ＳＩＧＮＡＬユニット５２０は、使用される変調コーディング方式（ＭＣＳ）を示す“ＭＣＳ”フィールドを含むことができる。“ＭＣＳ”フィールドは、長さが４ビットであることができる。一実施形態では、“ＭＣＳ”フィールドは、例えば、四位相偏移変調（ＱＰＳＫ）が使用されることを示すことができる。ＳＩＧＮＡＬユニット５２０は、使用される空間ストリーム数を示す“Ｎｕｍ  ＳＳ”フィールドをさらに含むことができる。“Ｎｕｍ  ＳＳ”フィールドは、長さが２ビットであることができる。ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【００８２】
ＳＩＧＮＡＬユニット５２０は、ペイロード５３０の長さを示す“長さ”フィールドをさらに含むことができる。“長さ”フィールドは、長さが１２ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、４０９５バイトよりも大きいパケットサイズに関して使用される。ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。
【００８３】
ＳＩＧＮＡＬユニット５２０は、使用される帯域幅（ＢＷ）を示す“ＢＷ”フィールドをさらに含むことができる。“ＢＷ”フィールドは、長さが２ビットであることができる。様々な実施形態において、２ビットの“ＢＷ”フィールドは、帯域幅が２ＭＨｚ、４ＭＨｚ、８ＭＨｚ、又は１６ＭＨｚのいずれであるかを示すことができる。ＳＩＧＮＡＬユニット５２０は、使用される符号化のタイプを示す“コーディング”フィールドをさらに含むことができる。“コーディング”フィールドは、長さが１ビットであることができる。
【００８４】
ＳＩＧＮＡＬユニット５２０は、データユニット５００と関連付けられたエア識別（ａｉｒ  ｉｄｅｎｔｉｆｉｃａｔｉｏｎ）（ＡＩＤ）を示す“ＡＩＤ”フィールドをさらに含むことができる。“ＡＩＤ”フィールドは、長さが１２ビットであることができる。ＳＩＧＮＡＬユニット５２０は、空間−時間ブロックコーディング（ＳＴＢＣ）が使用されるかどうかを示す“ＳＴＢＣ”フィールドをさらに含むことができる。“ＳＴＢＣ”フィールドは、長さが１ビットであることができる。ＳＩＧＮＡＬユニット５２０は、チャネル推定に関して平滑化（ｓｍｏｏｔｈｉｎｇ）が推奨されるかどうかを示す“平滑化”フィールドをさらに含むことができる。“平滑化”フィールドは、長さが１ビットであることができる。
【００８５】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【００８６】
ＳＩＧＮＡＬユニット５２０は、１つ以上の予約されたビットをさらに含むことができる。表１の実装において示されるように、ＳＩＧＮＡＬユニット５２０は、１つの予約されたビットを含むことができる。以下において説明されるように、様々な実施形態において、予約されたビットは、異なるパケットタイプのための追加情報を搬送するために使用することができる。例えば、予約されたビットは、肯定応答（ＡＣＫ）パケットに関連する追加情報を含むことができる。幾つかの実施形態では、予約されたビットのうちの１つ以上は、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための１つ以上のドップラ軽減ビット（Ｄｏｐｐｌｅｒ  ｍｉｔｉｇａｔｉｏｎ  ｂｉｔ）として使用される。
【００８７】
一実施形態では、ＳＩＧＮＡＬユニット５２０は、表２に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表２に示される全フィールドを有する。幾つかの実施形態では、ＳＩＧＮＡＬユニット５２０は、表２に示されるフィールドのみを有する。幾つかの実施形態では、ＳＩＧＮＡＬユニット５２０は、表２に示されるフィールドを有し、表２に示される順序である。幾つかの実施形態では、表２に示される複数のフィールドの情報の少なくとも一部分は、単一のフィールドに含められる。例えば、表２の第１及び第２のフィールドは、第１及び第２の両方のフィールドの情報を含む単一のフィールドにまとめることができる。
【表２】
0005937215.tif 000003
【００８８】
表２に示される態様では、ＳＩＧＮＡＬユニット５２０は、使用される変調コーディング方式（ＭＣＳ）を示す“ＭＣＳ”フィールドを含むことができる。“ＭＣＳ”フィールドは、長さが４ビットであることができる。一実施形態では、“ＭＣＳ”フィールドは、例えば、四位相偏移変調（ＱＰＳＫ）が使用されることを示すことができる。ＳＩＧＮＡＬユニット５２０は、使用される空間ストリーム数を示す“Ｎｕｍ  ＳＳ”フィールドをさらに含むことができる。“Ｎｕｍ  ＳＳ”フィールドは、長さが２ビットであることができる。ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【００８９】
ＳＩＧＮＡＬユニット５２０は、ペイロード５３０の長さを示す“長さ”フィールドをさらに含むことができる。“長さ”フィールドは、長さが１２ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、４０９５バイトよりも大きいパケットサイズに関して使用される。ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。
【００９０】
ＳＩＧＮＡＬユニット５２０は、使用される帯域幅（ＢＷ）を示す“ＢＷ”フィールドをさらに含むことができる。“ＢＷ”フィールドは、長さが２ビットであることができる。様々な実施形態において、２ビットの“ＢＷ”フィールドは、帯域幅が２ＭＨｚ、４ＭＨｚ、８ＭＨｚ、又は１６ＭＨｚのいずれであるかを示すことができる。ＳＩＧＮＡＬユニット５２０は、使用される符号化のタイプを示す“コーディング”フィールドをさらに含むことができる。“コーディング”フィールドは、長さが１ビットであることができる。
【００９１】
ＳＩＧＮＡＬユニット５２０は、データユニット５００と関連付けられたエア識別（ＡＩＤ）を示す“ＡＩＤ”フィールドをさらに含むことができる。“ＡＩＤ”フィールドは、長さが１３ビットであることができる。幾つかの実施形態では、“ＡＩＤ”フィールドは、ＳＵに関するＡＩＤを搬送し、他方、ＭＵに関しては、最初のビットが予約され、次の６ビットがグループ識別子（ＧＩＤ）を搬送し、最後の６ビットが第２、第３及び第４のユーザに関する空間時間ストリーム数（Ｎｓｔｓ）を搬送する。幾つかの実施形態では、パケットの特定の内容、例えば、パケットがマルチキャスト用であるか又はブロードキャスト用であるか、を識別するために “ＡＩＤ”フィールドの幾つかの例外値を使用することができる。ＳＩＧＮＡＬユニット５２０は、空間−時間ブロックコーディング（ＳＴＢＣ）が使用されるかどうかを示す“ＳＴＢＣ”フィールドをさらに含むことができる。“ＳＴＢＣ”フィールドは、長さが１ビットであることができる。ＳＩＧＮＡＬユニット５２０は、ＳＵ送信における波形にビーム形成ステアリング行列が適用されるかどうかを示す“ビーム形成”フィールドをさらに含むことができる。“ビーム形成”フィールドは、長さが１ビットであることができる。
【００９２】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが８ビット又は４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【００９３】
ＳＩＧＮＡＬユニット５２０は、１つ以上の予約されたビットをさらに含むことができる。ＳＩＧＮＡＬユニット５２０は、例えば、０又は４つの予約されたビットを含むことができる。以下において説明されるように、様々な実施形態において、予約されたビットは、異なるパケットタイプのための追加情報を搬送するために使用することができる。例えば、予約されたビットは、肯定応答（ＡＣＫ）パケットに関連する追加情報を含むことができる。幾つかの実施形態では、予約されたビットのうちの１つ以上は、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための１つ以上のドップラ軽減ビットとして使用される。
【００９４】
一実施形態では、３２点ＦＦＴ信号に関しては、データユニット５００は、３６０μｓプリアンブルを含むことができる。プリアンブルは、単一の４シンボルＳＴＦ５１２と、単一の２シンボルＳＴＦ５１４と、３シンボルＳＩＧＮＡＬユニット５２０と、を含むことができる。ＳＩＧＮＡＬユニット５２０は、以下の表３に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表３に示される全フィールドを有する。幾つかの実施形態では、ＳＩＧＮＡＬユニット５２０は、表３に示されるフィールドのみを有する。幾つかの実施形態では、ＳＩＧＮＡＬユニット５２０は、表３に示されるフィールドを有し、表３に示される順序である。幾つかの実施形態では、表３に示される複数のフィールドの情報の少なくとも一部分は、単一のフィールドに含められる。例えば、表３の第１及び第２のフィールドは、第１及び第２の両方のフィールドの情報を含む単一のフィールドにまとめることができる。
【表３】
0005937215.tif 000004
【００９５】
表３に示される態様では、ＳＩＧＮＡＬユニット５２０は、使用される変調コーディング方式（ＭＣＳ）を示す“ＭＣＳ”フィールドを含むことができる。“ＭＣＳ”フィールドは、長さが４ビットであることができる。一実施形態では、“ＭＣＳ”フィールドは、例えば、四位相偏移変調（ＱＰＳＫ）が使用されることを示すことができる。ＳＩＧＮＡＬユニット５２０は、使用される空間ストリーム数を示す“Ｎｕｍ  ＳＳ”フィールドをさらに含むことができる。“Ｎｕｍ  ＳＳ”フィールドは、長さが２ビットであることができる。ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【００９６】
ＳＩＧＮＡＬユニット５２０は、ペイロード５３０の長さを示す“長さ”フィールドをさらに含むことができる。“長さ”フィールドは、長さが１１ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、４０９５バイトよりも大きいパケットサイズに関して使用される。ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。
【００９７】
ＳＩＧＮＡＬユニット５２０は、使用される符号化のタイプを示す“コーディング”フィールドをさらに含むことができる。“コーディング”フィールドは、長さが１ビットであることができる。ＳＩＧＮＡＬユニット５２０は、空間−時間ブロックコーディング（ＳＴＢＣ）が使用されるかどうかを示す“ＳＴＢＣ”フィールドをさらに含むことができる。“ＳＴＢＣ”フィールドは、長さが１ビットであることができる。
【００９８】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【００９９】
ＳＩＧＮＡＬユニット５２０は、１つ以上の予約されたビットをさらに含むことができる。表３の実装において示されるように、ＳＩＧＮＡＬユニット５２０は、５つの予約されたビットを含むことができる。以下において説明されるように、様々な実施形態において、予約されたビットは、異なるパケットタイプのための追加情報を搬送するために使用することができる。例えば、予約されたビットは、肯定応答（ＡＣＫ）パケットに関連する追加情報を含むことができる。幾つかの実施形態では、予約されたビットのうちの１つ以上は、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための１つ以上のドップラ軽減ビットとして使用される。
【０１００】
表３に示される実装では、３２点ＦＦＴに関するＳＩＧＮＡＬユニット５２０は、上記の表１において示される６４点ＦＦＴに関するＳＩＧＮＡＬユニット５２０内で使用される１つ以上のフィールドを省略することができる。例えば、“ＢＷ”、“ＡＩＤ”、及び“平滑化”フィールドが省略されている。一実施形態では、受信デバイスは幾つかのフィールドで示されるパラメータを暗黙に知っていることができるためそれらのフィールドは省略することができる。
【０１０１】
様々な実施形態において、送信の有効な信号対雑音比（ＳＮＲ）を向上させるためにシンボル、フィールド、及び／又はデータユニットを繰り返すことができる。例えば、３２点ＦＦＴ送信は、２回、３回、４回、８回、等繰り返すことができる。一実施形態では、繰り返しは、送信のダウンクロックと関係させて実施することができる。
【０１０２】
一実施形態では、２回の繰り返しモードを有する３２点ＦＦＴ信号に関して、データユニット５００は、４４０μｓのプリアンブルを含むことができる。プリアンブルは、単一の４シンボルＳＴＦ５１２と、単一の３シンボルＬＴＦ５１４と、４シンボルＳＩＧＮＡＬユニット５２０と、を含むことができる。ＳＩＧＮＡＬユニット５２０は、以下の表４に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表４に示される全フィールドを有する。幾つかの実施形態では、ＳＩＧＮＡＬユニット５２０は、表４に示されるフィールドのみを有する。幾つかの実施形態では、ＳＩＧＮＡＬユニット５２０は、表４に示されるフィールドを有し、表４に示される順序である。幾つかの実施形態では、表４に示される複数のフィールドの情報の少なくとも一部分は、単一のフィールドに含められる。例えば、表４の第１及び第２のフィールドは、第１及び第２の両方のフィールドの情報を含む単一のフィールドにまとめることができる。
【表４】
0005937215.tif 000005
【０１０３】
表４に示される態様では、ＳＩＧＮＡＬユニット５２０は、ペイロード５３０の長さを示す“長さ”フィールドを含むことができる。“長さ”フィールドは、長さが９ビットであることができる。一実施形態では、“長さフィールド”は、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、４０９５バイトよりも大きいパケットサイズに関して使用される。
【０１０４】
ＳＩＧＮＡＬユニット５２０は、ＳＩＧＮＡＬユニット５２０の１つ以上のフィールドに関して計算されたパリティの結果を示す“パリティ”フィールドをさらに含むことができる。“パリティ”フィールドは、長さが１ビットであることができる。一実施形態では、パリティビットの代わりに、又はパリティビットに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０１０５】
ＳＩＧＮＡＬユニット５２０は、１つ以上の予約されたビットをさらに含むことができる。表４の実装において示されるように、ＳＩＧＮＡＬユニット５２０は、８つの予約されたビットを含むことができる。以下において説明されるように、様々な実施形態において、予約されたビットは、異なるパケットタイプのための追加情報を搬送するために使用することができる。例えば、予約されたビットは、肯定応答（ＡＣＫ）パケットに関連する追加情報を含むことができる。幾つかの実施形態では、予約されたビットのうちの１つ以上は、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための１つ以上のドップラ軽減ビットとして使用される。
【０１０６】
表４に示される実装では、３２点ＦＦＴに関するＳＩＧＮＡＬユニット５２０は、上記の表１において示される６４点ＦＦＴに関するＳＩＧＮＡＬユニット５２０内で使用される１つ以上のフィールドを省略することができる。例えば、“ＭＣＳ”、“ＮｕｍＳＳ”、“ＳＧＩ”“ＢＷ”、“ＡＩＤ”、“アグリゲーション”、“コーディング”、及び“ＳＴＢＣ”フィールドが省略されている。一実施形態では、受信デバイスは幾つかのフィールドで示されるパラメータを暗黙に知っていることができるためそれらのフィールドは省略することができる。
【０１０７】
一実施形態では、非繰り返しモード及び２回繰り返しモードの両方において３２点ＦＦＴに関して単一のＳＩＧＮＡＬユニット５２０フォーマットを使用することができる。単一のＳＩＧＮＡＬユニット５２０は、“結合された”プリアンブル内に含めることができる。一実施形態では、結合されたプリアンブルは、長さが５２０μｓであることができる。プリアンブルは、単一の４シンボルＳＴＦ５１２と、単一の３シンボルＬＴＦ５１４と、６シンボルＳＩＧＮＡＬユニット５２０と、を含むことができる。ＳＩＧＮＡＬユニット５２０は、以下の表５に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表５に示される全フィールドを有する。幾つかの実施形態では、ＳＩＧＮＡＬユニット５２０は、表５に示されるフィールドのみを有する。幾つかの実施形態では、ＳＩＧＮＡＬユニット５２０は、表５に示されるフィールドを有し、表５に示される順序である。幾つかの実施形態では、表５に示される複数のフィールドの情報の少なくとも一部分は、単一のフィールドに含められる。例えば、表５の第１及び第２のフィールドは、第１及び第２の両方のフィールドの情報を含む単一のフィールドにまとめることができる。
【表５】
0005937215.tif 000006
【０１０８】
表５に示される態様では、ＳＩＧＮＡＬユニット５２０は、使用される変調コーディング方式（ＭＣＳ）を示す“ＭＣＳ”フィールドを含むことができる。“ＭＣＳ”フィールドは、長さが４ビットであることができる。一実施形態では、“ＭＣＳ”フィールドは、例えば、四位相偏移変調（ＱＰＳＫ）が使用されることを示すことができる。ＳＩＧＮＡＬユニット５２０は、使用される空間ストリーム数を示す“Ｎｕｍ  ＳＳ”フィールドをさらに含むことができる。“Ｎｕｍ  ＳＳ”フィールドは、長さが２ビットであることができる。ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０１０９】
ＳＩＧＮＡＬユニット５２０は、ペイロード５３０の長さを示す“長さ”フィールドをさらに含むことができる。“長さ”フィールドは、長さが１１ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、４０９５バイトよりも大きいパケットサイズに関して使用される。ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。
【０１１０】
ＳＩＧＮＡＬユニット５２０は、使用される符号化のタイプを示す“コーディング”フィールドをさらに含むことができる。“コーディング”フィールドは、長さが１ビットであることができる。ＳＩＧＮＡＬユニット５２０は、空間−時間ブロックコーディング（ＳＴＢＣ）が使用されるかどうかを示す“ＳＴＢＣ”フィールドをさらに含むことができる。“ＳＴＢＣ”フィールドは、長さが１ビットであることができる。ＳＩＧＮＡＬユニット５２０は、チャネル推定に関して平滑化が推奨されるかどうかを示す“平滑化”フィールドをさらに含むことができる。“平滑化”フィールドは、長さが１ビットであることができる。
【０１１１】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０１１２】
ＳＩＧＮＡＬユニット５２０は、１つ以上の予約されたビットをさらに含むことができる。表５の実装において示されるように、ＳＩＧＮＡＬユニット５２０は、４つの予約されたビットを含むことができる。以下において説明されるように、様々な実施形態において、予約されたビットは、異なるパケットタイプのための追加情報を搬送するために使用することができる。例えば、予約されたビットは、肯定応答（ＡＣＫ）パケットに関連する追加情報を含むことができる。幾つかの実施形態では、予約されたビットのうちの１つ以上は、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための１つ以上のドップラ軽減ビットとして使用される。
【０１１３】
表５に示される実装では、３２点ＦＦＴに関するＳＩＧＮＡＬユニット５２０は、上記の表１において示される６４点ＦＦＴに関するＳＩＧＮＡＬユニット５２０内で使用される１つ以上のフィールドを省略することができる。例えば、“ＢＷ”及び“ＡＩＤ”フィールドが省略されている。一実施形態では、受信デバイスは幾つかのフィールドで示されるパラメータを暗黙に知っていることができるためそれらのフィールドは省略することができる。
【０１１４】
一実施形態において、通常のモード及び２回繰り返しモードにおいて３２点ＦＦＴに関して単一のＳＩＧＮＡＬユニット５２０フォーマットを使用することができる。ＳＩＧＮＡＬユニット５２０は、以下の表６に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表６に示される全フィールドを有する。幾つかの実施形態では、ＳＩＧＮＡＬユニット５２０は、表６に示されるフィールドのみを有する。幾つかの実施形態では、ＳＩＧＮＡＬユニット５２０は、表６に示されるフィールドを有し、表６に示される順序である。幾つかの実施形態では、表６に示される複数のフィールドの情報の少なくとも一部分は、単一のフィールドに含められる。例えば、表６の第１及び第２のフィールドは、第１及び第２の両方のフィールドの情報を含む単一のフィールドにまとめることができる。
【表６】
0005937215.tif 000007
【０１１５】
表６に示される態様では、ＳＩＧＮＡＬユニット５２０は、使用される変調コーディング方式（ＭＣＳ）を示す“ＭＣＳ”フィールドを含むことができる。“ＭＣＳ”フィールドは、長さが４ビットであることができる。一実施形態では、“ＭＣＳ”フィールドは、例えば、四位相偏移変調（ＱＰＳＫ）が使用されることを示すことができる。ＳＩＧＮＡＬユニット５２０は、使用される空間ストリーム数を示す“Ｎｕｍ  ＳＳ”フィールドをさらに含むことができる。“Ｎｕｍ  ＳＳ”フィールドは、長さが２ビットであることができる。ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０１１６】
ＳＩＧＮＡＬユニット５２０は、ペイロード５３０の長さを示す“長さ”フィールドをさらに含むことができる。“長さ”フィールドは、長さが１１ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、２０４７バイトよりも大きいパケットサイズに関して使用される。ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。
【０１１７】
ＳＩＧＮＡＬユニット５２０は、使用される符号化のタイプを示す“コーディング”フィールドをさらに含むことができる。“コーディング”フィールドは、長さが１ビットであることができる。ＳＩＧＮＡＬユニット５２０は、空間−時間ブロックコーディング（ＳＴＢＣ）が使用されるかどうかを示す“ＳＴＢＣ”フィールドをさらに含むことができる。“ＳＴＢＣ”フィールドは、長さが１ビットであることができる。ＳＩＧＮＡＬユニット５２０は、ＳＵ送信における波形にビーム形成ステアリング行列が適用されるかどうかを示す“ビーム形成”フィールドをさらに含むことができる。“ビーム形成”フィールドは、長さが１ビットであることができる。
【０１１８】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビット又は８ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０１１９】
ＳＩＧＮＡＬユニット５２０は、１つ以上の予約されたビットをさらに含むことができる。ＳＩＧＮＡＬユニット５２０は、例えば、０又は４つの予約されたビットを含むことができる。以下において説明されるように、様々な実施形態において、予約されたビットは、異なるパケットタイプのための追加情報を搬送するために使用することができる。例えば、予約されたビットは、肯定応答（ＡＣＫ）パケットに関連する追加情報を含むことができる。幾つかの実施形態では、予約されたビットのうちの１つ以上は、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための１つ以上のドップラ軽減ビットとして使用される。
【０１２０】
表６に示される実装では、３２点ＦＦＴに関するＳＩＧＮＡＬユニット５２０は、上記の表１において示される６４点ＦＦＴに関するＳＩＧＮＡＬユニット５２０内で使用される１つ以上のフィールドを省略することができる。例えば、“ＢＷ”及び“ＡＩＤ”フィールドが省略されている。一実施形態では、受信デバイスは幾つかのフィールドで示されるパラメータを暗黙に知っていることができるためそれらのフィールドは省略することができる。
【０１２１】
一実施形態では、６４点  ＦＦＴ  ＳＩＧ−Ｂ  ＭＵモードに関して単一のＳＩＧＮＡＬユニット５２０フォーマットを使用することができる。ＳＩＧＮＡＬユニット５２０は、プリコーディングが適用された状態で各ユーザに関して送信することができる。ＳＩＧＮＡＬユニット５２０は、以下の表７に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表７に示される全フィールドを有する。幾つかの実施形態では、ＳＩＧＮＡＬユニット５２０は、表７に示されるフィールドのみを有する。幾つかの実施形態では、ＳＩＧＮＡＬユニット５２０は、表７に示されるフィールドを有し、表７に示される順序である。幾つかの実施形態では、表７に示される複数のフィールドの情報の少なくとも一部分は、単一のフィールドに含められる。例えば、表７の第１及び第２のフィールドは、第１及び第２の両方のフィールドの情報を含む単一のフィールドにまとめることができる。
【表７】
0005937215.tif 000008
【０１２２】
表７に示される態様では、ＳＩＧＮＡＬユニット５２０は、使用される変調コーディング方式（ＭＣＳ）を示す“ＭＣＳ”フィールドを含むことができる。“ＭＣＳ”フィールドは、長さが４ビットであることができる。一実施形態では、“ＭＣＳ”フィールドは、例えば、四位相偏移変調（ＱＰＳＫ）が使用されることを示すことができる。ＳＩＧＮＡＬユニット５２０は、使用される符号化のタイプを示す“コーディング”フィールドをさらに含むことができる。“コーディング”フィールドは、長さが１ビットであることができる。
【０１２３】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０１２４】
ＳＩＧＮＡＬユニット５２０は、１つ以上の予約されたビットをさらに含むことができる。ＳＩＧＮＡＬユニット５２０は、例えば、１１の予約されたビットを含むことができる。以下において説明されるように、様々な実施形態において、予約されたビットは、異なるパケットタイプのための追加情報を搬送するために使用することができる。例えば、予約されたビットは、肯定応答（ＡＣＫ）パケットに関連する追加情報を含むことができる。幾つかの実施形態では、予約されたビットのうちの１つ以上は、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための１つ以上のドップラ軽減ビットとして使用される。
【０１２５】
表７に示される実装では、３２点ＦＦＴに関するＳＩＧＮＡＬユニット５２０は、上記の表１において示される６４点ＦＦＴに関するＳＩＧＮＡＬユニット５２０内で使用される１つ以上のフィールドを省略することができる。例えば、“ＢＷ”及び“ＡＩＤ”フィールドが省略されている。一実施形態では、受信デバイスは幾つかのフィールドで示されるパラメータを暗黙に知っていることができるためそれらのフィールドは省略することができる。
【０１２６】
一実施形態において、２ＭＨｚ、６４点ＦＦＴ信号に関して、データユニット５００は、複数のユーザをサポートすることができる。プリアンブルは、２シンボルＳＩＧＮＡＬユニット５２０を含むことができる。ＳＩＧＮＡＬユニット５２０は、以下の表８に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表８に示される全フィールドを有する。幾つかの実施形態では、ＳＩＧＮＡＬユニット５２０は、表６に示されるフィールドのみを有する。幾つかの実施形態では、ＳＩＧＮＡＬユニット５２０は、表８に示されるフィールドを有し、表８に示される順序である。幾つかの実施形態では、表８に示される複数のフィールドの情報の少なくとも一部分は、単一のフィールドに含められる。例えば、表８の第１及び第２のフィールドは、第１及び第２の両方のフィールドの情報を含む単一のフィールドにまとめることができる。
【表８】
0005937215.tif 000009
【０１２７】
幾つかの実施形態では、ＳＩＧＮＡＬユニット５２０の第１のシンボルは、“ＢＷ”、“第１の予約”、“ＳＴＢＣ”、“ＮｕｍＳＳ”、“ＡＩＤ／ＧＩＤ＋Ｎｓｔｓ”、“第２の予約”、“ＳＧＩ”、“コーディング”、“ＭＣＳ”、及び“ビーム形成”フィールドを含み、ＳＩＧＮＡＬユニット５２０の第２のシンボルは、“アグリゲーション”、“長さ”、“第３の予約”、“ＣＲＣ”、及び“テール”フィールドを含む。
【０１２８】
表８に示される態様では、ＳＩＧＮＡＬユニット５２０は、使用される帯域幅（ＢＷ）を示す“ＢＷ”フィールドを含むことができる。“ＢＷ”フィールドは、長さが２ビットであることができる。様々な実施形態において、２ビットの“ＢＷ”フィールドは、帯域幅が２ＭＨｚ、４ＭＨｚ、８ＭＨｚ、又は１６ＭＨｚのいずれであるかを示すことができる。ＳＩＧＮＡＬユニット５２０は、“第１の予約”ビットをさらに含むことができる。ＳＩＧＮＡＬユニット５２０は、空間−時間ブロックコーディング（ＳＴＢＣ）が使用されるかどうかを示す“ＳＴＢＣ”フィールドをさらに含むことができる。“ＳＴＢＣ”フィールドは、長さが１ビットであることができる。
【０１２９】
ＳＩＧＮＡＬユニット５２０は、使用される空間ストリーム数を示す“ＮｕｍＳＳ”フィールドをさらに含むことができる。ＮｕｍＳＳ”フィールドは、長さが２ビットであることができる。ＳＩＧＮＡＬユニット５２０は、データユニット５００と関連付けられたエア識別（ＡＩＤ）を示す“ＡＩＤ／ＧＩＤ＋Ｎｓｔｓ”フィールドをさらに含むことができる。“ＡＩＤ／ＧＩＤ＋Ｎｓｔｓ”フィールドは、長さが１２ビットであることができる。幾つかの実施形態では、“ＡＩＤ／ＧＩＤ＋Ｎｓｔｓ”フィールドは、ＳＵに関するＡＩＤを搬送し、ＭＵに関しては、最初の６ビットがＧＩＤを搬送し、最後の６ビットが第２、第３及び第４のユーザに関するＮｓｔｓを搬送する。幾つかの実施形態では、パケットの特定の内容、例えば、パケットがマルチキャスト用であるか又はブロードキャスト用であるか、を識別するために “ＡＩＤ／ＧＩＤ＋Ｎｓｔｓ”フィールドの幾つかの例外値を使用することができる。ＳＵモード中には、“ＡＩＤ／ＧＩＤ＋Ｎｓｔｓ”フィールドの“ＡＩＤ”ビットは、セルラーオフロードを使用する実施形態に関して使用することができ、このため、その他のデバイスが送信中に電力を節約することができる。ＳＩＧＮＡＬユニット５２０は、“第２の予約された”ビットをさらに含むことができる。
【０１３０】
ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０１３１】
ＳＩＧＮＡＬユニット５２０は、使用される符号化のタイプを示す“コーディング”フィールドをさらに含むことができる。“コーディング”フィールドは、長さが１ビットであることができる。ＳＩＧＮＡＬユニット５２０は、使用される変調コーディング方式（ＭＣＳ）を示す“ＭＣＳ”フィールドを示すことができる。“ＭＣＳ”フィールドは、長さが４ビットであることができる。一実施形態では、“ＭＣＳ”フィールドは、例えば、四位相偏移変調（ＱＰＳＫ）が使用されることを示すことができる。ＳＩＧＮＡＬユニット５２０は、ＳＵ送信における波形にビーム形成ステアリング行列が適用されるかどうかを示す“ビーム形成”フィールドをさらに含むことができる。“ビーム形成”フィールドは、長さが１ビットであることができる。
【０１３２】
ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。ＳＩＧＮＡＬユニット５２０は、ペイロードの長さを示す“長さ”フィールドをさらに含むことができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、４０９５バイトよりも大きいパケットサイズに関して使用される。ＳＩＧＮＡＬユニット５２０は、３つの“第３の予約”ビットをさらに含むことができる。代替実施形態では、“長さ”フィールドは、長さが９ビットであり、ＳＩＧＮＡＬユニット５２０は、６つの“第３の予約”ビットを含む。
【０１３３】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０１３４】
以下において説明されるように、様々な実施形態において、予約されたビットは、異なるパケットタイプのための追加情報を搬送するために使用することができる。例えば、予約されたビットは、肯定応答（ＡＣＫ）パケットに関連する追加情報を含むことができる。幾つかの実施形態では、予約されたビットは、先行フィールドを拡張するために使用することができる。例えば、表８に示される例では、“第１の予約された”ビットは、“ＢＷ”フィールドに関する第３のビットとして使用することができ、“第２の予約された”ビットは、“ＡＩＤ／ＧＩＤ＋Ｎｓｔｓ”フィールドに関する第１３のビットとして使用することができ、及び／又は“第３の予約された”ビットのうちの１つ以上は、“長さ”フィールドに関する追加ビットとして使用することができる。幾つかの実施形態では、予約されたビットのうちの１つ以上は、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための１つ以上のドップラ軽減ビットとして使用される。
【０１３５】
一実施形態では、単一のＳＩＧＮＡＬユニット５２０フォーマットは、６４点ＦＦＴ  ＳＩＧ−Ｂ  ＭＵモードに関して使用することができる。ＳＩＧＮＡＬユニット５２０は、以下の表９に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表９に示される全フィールドを有する。幾つかの実施形態では、ＳＩＧＮＡＬユニット５２０は、表９に示されるフィールドのみを有する。幾つかの実施形態では、ＳＩＧＮＡＬユニット５２０は、表９に示されるフィールドを有し、表９に示される順序である。幾つかの実施形態では、表９に示される複数のフィールドの情報の少なくとも一部分は、単一のフィールドに含められる。例えば、表９の第１及び第２のフィールドは、第１及び第２の両方のフィールドの情報を含む単一のフィールドにまとめることができる。
【表９】
0005937215.tif 000010
【０１３６】
表９に示される態様では、ＳＩＧＮＡＬユニット５２０は、使用される変調コーディング方式（ＭＣＳ）を示す“ＭＣＳ”フィールドを含むことができる。“ＭＣＳ”フィールドは、長さが４ビットであることができる。一実施形態では、“ＭＣＳ”フィールドは、例えば、四位相偏移変調（ＱＰＳＫ）が使用されることを示すことができる。ＳＩＧＮＡＬユニット５２０は、使用される符号化のタイプを示す“コーディング”フィールドをさらに含むことができる。“コーディング”フィールドは、長さが１ビットであることができる。
【０１３７】
ＳＩＧＮＡＬユニット５２０は、７つの予約されたビットをさらに含むことができる。ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが８ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０１３８】
以下において説明されるように、様々な実施形態において、予約されたビットは、異なるパケットタイプのための追加情報を搬送するために使用することができる。例えば、予約されたビットは、肯定応答（ＡＣＫ）パケットに関連する追加情報を含むことができる。幾つかの実施形態では、予約されたビットのうちの１つ以上は、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための１つ以上のドップラ軽減ビットとして使用される。
【０１３９】
一実施形態では、１ＭＨｚ  ＳＩＧ−Ａパケットに関して、ＳＩＧＮＡＬユニット５２０は、以下の表１０に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表１０に示される全フィールドを有する。幾つかの実施形態では、ＳＩＧＮＡＬユニット５２０は、表１０に示されるフィールドのみを有する。幾つかの実施形態では、ＳＩＧＮＡＬユニット５２０は、表１０に示されるフィールドを有し、表１に示される順序である。幾つかの実施形態では、表１０に示される複数のフィールドの情報の少なくとも一部分は、単一のフィールドに含められる。例えば、表１０の第１及び第２のフィールドは、第１及び第２の両方のフィールドの情報を含む単一のフィールドにまとめることができる。
【表１０】
0005937215.tif 000011
【０１４０】
表１０に示される態様では、ＳＩＧＮＡＬユニット５２０は、空間−時間ブロックコーディング（ＳＴＢＣ）が使用されるかどうかを示す“ＳＴＢＣ”フィールドを含むことができる。“ＳＴＢＣ”フィールドは、長さが１ビットであることができる。ＳＩＧＮＡＬユニット５２０は、使用される空間ストリーム数を示す“Ｎｕｍ  ＳＳ”フィールドをさらに含むことができる。“Ｎｕｍ  ＳＳ”フィールドは、長さが２ビットであることができる。
【０１４１】
ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０１４２】
ＳＩＧＮＡＬユニット５２０は、使用される符号化のタイプを示す“コーディング”フィールドをさらに含むことができる。“コーディング”フィールドは、長さが１ビットであることができる。ＳＩＧＮＡＬユニット５２０は、ＳＵ送信における波形にビーム形成ステアリング行列が適用されるかどうかを示す“ビーム形成”フィールドをさらに含むことができる。“ビーム形成”フィールドは、長さが１ビットであることができる。
【０１４３】
ＳＩＧＮＡＬユニット５２０は、使用される変調コーディング方式（ＭＣＳ）を示す“ＭＣＳ”フィールドをさらに含むことができる。“ＭＣＳ”フィールドは、長さ４ビットであることができる。一実施形態では、“ＭＣＳ”フィールドは、例えば、四位相偏移変調（ＱＰＳＫ）が使用されることを示すことができる。ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。
【０１４４】
ＳＩＧＮＡＬユニット５２０は、ペイロード５３０の長さを示す“長さ”フィールドをさらに含むことができる。“長さ”フィールドは、長さが１１ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、２０４７バイトよりも大きいパケットサイズに関して使用される。
【０１４５】
ＳＩＧＮＡＬユニット５２０は、４つの予約されたビットをさらに含むことができる。ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０１４６】
以下において説明されるように、様々な実施形態において、予約されたビットは、異なるパケットタイプのための追加情報を搬送するために使用することができる。例えば、予約されたビットは、肯定応答（ＡＣＫ）パケットに関連する追加情報を含むことができる。幾つかの実施形態では、予約されたビットは、先行フィールドを拡張するために使用することができる。例えば、表１０に示される例では、“予約されたビットは、“長さ”フィールドに関する追加ビットとして使用することができる。幾つかの実施形態では、予約されたビットのうちの１つ以上は、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための１つ以上のドップラ軽減ビットとして使用される。
【０１４７】
一実施形態では、１ＭＨｚ  ＳＩＧ−Ａパケットに関して、ＳＩＧＮＡＬユニット５２０は、以下の表１１に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表１１に示される全フィールドを有する。幾つかの実施形態では、ＳＩＧＮＡＬユニット５２０は、表１１に示されるフィールドのみを有する。幾つかの実施形態では、ＳＩＧＮＡＬユニット５２０は、表１１に示されるフィールドを有し、表１１に示される順序である。幾つかの実施形態では、表１１に示される複数のフィールドの情報の少なくとも一部分は、単一のフィールドに含められる。例えば、表１１の第１及び第２のフィールドは、第１及び第２の両方のフィールドの情報を含む単一のフィールドにまとめることができる。
【表１１】
0005937215.tif 000012
【０１４８】
表１１に示される態様では、ＳＩＧＮＡＬユニット５２０は、空間−時間ブロックコーディング（ＳＴＢＣ）が使用されるかどうかを示す“ＳＴＢＣ”フィールドを含むことができる。“ＳＴＢＣ”フィールドは、長さが１ビットであることができる。ＳＩＧＮＡＬユニット５２０は、使用される空間ストリーム数を示す“Ｎｕｍ  ＳＳ”フィールドをさらに含むことができる。“Ｎｕｍ  ＳＳ”フィールドは、長さが２ビットであることができる。
【０１４９】
ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０１５０】
ＳＩＧＮＡＬユニット５２０は、使用される符号化のタイプを示す“コーディング”フィールドをさらに含むことができる。“コーディング”フィールドは、長さが１ビットであることができる。ＳＩＧＮＡＬユニット５２０は、ＳＵ送信における波形にビーム形成ステアリング行列が適用されるかどうかを示す“ビーム形成”フィールドをさらに含むことができる。“ビーム形成”フィールドは、長さが１ビットであることができる。
【０１５１】
ＳＩＧＮＡＬユニット５２０は、使用される変調コーディング方式（ＭＣＳ）を示す“ＭＣＳ”フィールドを含むことができる。“ＭＣＳ”フィールドは、長さが４ビットであることができる。一実施形態では、“ＭＣＳ”フィールドは、例えば、四位相偏移変調（ＱＰＳＫ）が使用されることを示すことができる。ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。
【０１５２】
ＳＩＧＮＡＬユニット５２０は、ペイロード５３０の長さを示す“長さ”フィールドをさらに含むことができる。“長さ”フィールドは、長さが９ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、５１１バイトよりも大きいパケットサイズに関して使用される。
【０１５３】
ＳＩＧＮＡＬユニット５２０は、０の予約されたビットをさらに含むことができる。ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０１５４】
一実施形態では、１ＭＨｚ  ＳＩＧ−Ａパケットに関して、ＳＩＧＮＡＬユニット５２０は、以下の表１２に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表１２に示される全フィールドを有する。幾つかの実施形態では、ＳＩＧＮＡＬユニット５２０は、表１２に示されるフィールドのみを有する。幾つかの実施形態では、ＳＩＧＮＡＬユニット５２０は、表１２に示されるフィールドを有し、表１に示される順序である。幾つかの実施形態では、表１２に示される複数のフィールドの情報の少なくとも一部分は、単一のフィールドに含められる。例えば、表１２の第１及び第２のフィールドは、第１及び第２の両方のフィールドの情報を含む単一のフィールドにまとめることができる。
【表１２】
0005937215.tif 000013
【０１５５】
表１２に示される態様では、ＳＩＧＮＡＬユニット５２０は、空間−時間ブロックコーディング（ＳＴＢＣ）が使用されるかどうかを示す“ＳＴＢＣ”フィールドを含むことができる。“ＳＴＢＣ”フィールドは、長さが１ビットであることができる。ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０１５６】
ＳＩＧＮＡＬユニット５２０は、使用される変調コーディング方式（ＭＣＳ）を示す“ＭＣＳ”フィールドをさらに含むことができる。“ＭＣＳ”フィールドは、長さが４ビットであることができる。一実施形態では、“ＭＣＳ”フィールドは、例えば、四位相偏移変調（ＱＰＳＫ）が使用されることを示すことができる。ＳＩＧＮＡＬユニット５２０は、使用される符号化のタイプを示す“コーディング”フィールドをさらに含むことができる。“コーディング”フィールドは、長さが１ビットであることができる。
【０１５７】
ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。ＳＩＧＮＡＬユニット５２０は、ペイロード５３０の長さを示す“長さ”フィールドをさらに含むことができる。“長さ”フィールドは、長さが９ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、５１１バイトよりも大きいパケットサイズに関して使用される。
【０１５８】
ＳＩＧＮＡＬユニット５２０は、３つの予約されたビットをさらに含むことができる。ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０１５９】
以下において説明されるように、様々な実施形態において、予約されたビットは、異なるパケットタイプのための追加情報を搬送するために使用することができる。例えば、予約されたビットは、肯定応答（ＡＣＫ）パケットに関連する追加情報を含むことができる。幾つかの実施形態では、予約されたビットは、先行フィールドを拡張するために使用することができる。例えば、表１２に示される例では、予約されたビットのうちの１つ以上を、“長さ”フィールドに関する追加ビットとして使用することができる。幾つかの実施形態では、予約されたビットのうちの１つ以上は、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための１つ以上のドップラ軽減ビットとして使用される。
【０１６０】
一実施形態では、１ＭＨｚ  ＳＩＧ−Ａパケットに関して、ＳＩＧＮＡＬユニット５２０は、以下の表１３に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表１３に示される全フィールドを有する。幾つかの実施形態では、ＳＩＧＮＡＬユニット５２０は、表１３に示されるフィールドのみを有する。幾つかの実施形態では、ＳＩＧＮＡＬユニット５２０は、表１３に示されるフィールドを有し、表１３に示される順序である。幾つかの実施形態では、表１３に示される複数のフィールドの情報の少なくとも一部分は、単一のフィールドに含められる。例えば、表１３の第１及び第２のフィールドは、第１及び第２の両方のフィールドの情報を含む単一のフィールドにまとめることができる。
【表１３】
0005937215.tif 000014
【０１６１】
表１３に示される態様では、ＳＩＧＮＡＬユニット５２０は、空間−時間ブロックコーディング（ＳＴＢＣ）が使用されるかどうかを示す“ＳＴＢＣ”フィールドを含むことができる。“ＳＴＢＣ”フィールドは、長さが１ビットであることができる。ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０１６２】
ＳＩＧＮＡＬユニット５２０は、使用される変調コーディング方式（ＭＣＳ）を示す“ＭＣＳ”フィールドをさらに含むことができる。“ＭＣＳ”フィールドは、長さが４ビットであることができる。一実施形態では、“ＭＣＳ”フィールドは、例えば、四位相偏移変調（ＱＰＳＫ）が使用されることを示すことができる。ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。
【０１６３】
ＳＩＧＮＡＬユニット５２０は、ペイロード５３０の長さを示す“長さ”フィールドをさらに含むことができる。“長さ”フィールドは、長さが９ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、５１１バイトよりも大きいパケットサイズに関して使用される。
【０１６４】
ＳＩＧＮＡＬユニット５２０は、１つの予約されたビットをさらに含むことができる。ＳＩＧＮＡＬユニット５２０は、ＳＩＧＮＡＬユニット５２０の１つ以上のフィールドに関して計算されたパリティの結果を示す“パリティ”フィールドをさらに含むことができる。“パリティ”フィールドは、長さが１ビットであることができる。一実施形態では、パリティビットの代わりに、又はパリティビットに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０１６５】
以下において説明されるように、様々な実施形態において、予約されたビットは、異なるパケットタイプのための追加情報を搬送するために使用することができる。例えば、予約されたビットは、肯定応答（ＡＣＫ）パケットに関連する追加情報を含むことができる。幾つかの実施形態では、予約されたビットは、先行フィールドを拡張するために使用することができる。例えば、表１３に示される例では、予約されたビットを、“長さ”フィールドに関する追加ビットとして使用することができる。幾つかの実施形態では、予約されたビットのうちの１つ以上は、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための１つ以上のドップラ軽減ビットとして使用される。
【０１６６】
一実施形態では、単一のＳＩＧＮＡＬユニット５２０フォーマットを６４点ＦＦＴ  ＳＩＧ−Ｂ  ＭＵモードに関して使用することができる。ＳＩＧＮＡＬユニット５２０は、以下の表１４に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表１４に示される全フィールドを有する。幾つかの実施形態では、ＳＩＧＮＡＬユニット５２０は、表１４に示されるフィールドのみを有する。幾つかの実施形態では、ＳＩＧＮＡＬユニット５２０は、表１４に示されるフィールドを有し、表１４に示される順序である。幾つかの実施形態では、表１４に示される複数のフィールドの情報の少なくとも一部分は、単一のフィールドに含められる。例えば、表１４の第１及び第２のフィールドは、第１及び第２の両方のフィールドの情報を含む単一のフィールドにまとめることができる。
【表１４】
0005937215.tif 000015
【０１６７】
表１４に示される態様では、ＳＩＧＮＡＬユニット５２０は、使用される変調コーディング方式（ＭＣＳ）を示す“ＭＣＳ”フィールドを含むことができる。“ＭＣＳ”フィールドは、長さが４ビットであることができる。一実施形態では、“ＭＣＳ”フィールドは、例えば、四位相偏移変調（ＱＰＳＫ）が使用されることを示すことができる。ＳＩＧＮＡＬユニット５２０は、使用される符号化のタイプを示す“コーディング”フィールドをさらに含むことができる。“コーディング”フィールドは、長さが１ビットであることができる。
【０１６８】
ＳＩＧＮＡＬユニット５２０は、ペイロード５３０の長さを示す“長さ”フィールドをさらに含むことができる。“長さ”フィールドは、長さが９乃至１１ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。ＳＩＧＮＡＬユニット５２０は、０乃至２つの予約されたビットをさらに含むことができる。一実施形態では、長さフィールドのために使用されるビット及び予約されたビットの合計は、１１である。該実施形態では、予約されたビットは、先行フィールドを拡張するために使用することができる。例えば、表１４に示される例では、予約されたビットは、“長さ”フィールドに関する追加ビットとして使用することができる。
【０１６９】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０１７０】
以下において説明されるように、様々な実施形態において、予約されたビットは、異なるパケットタイプのための追加情報を搬送するために使用することができる。例えば、予約されたビットは、肯定応答（ＡＣＫ）パケットに関連する追加情報を含むことができる。幾つかの実施形態では、予約されたビットのうちの１つ以上は、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための１つ以上のドップラ軽減ビットとして使用される。
【０１７１】
一実施形態では、２ＭＨｚ、６４点ＦＦＴ信号に関して、データユニット５００は、複数のユーザをサポートすることができる。プリアンブルは、２シンボルＳＩＧＮＡＬユニット５２０を含むことができる。ＳＩＧＮＡＬユニット５２０は、以下の表１５において示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表１５に示される全フィールドを有する。幾つかの実施形態では、ＳＩＧＮＡＬユニット５２０は、表１５に示されるフィールドのみを有する。幾つかの実施形態では、ＳＩＧＮＡＬユニット５２０は、表１５に示されるフィールドを有し、表１５に示される順序である。幾つかの実施形態では、表１５に示される複数のフィールドの情報の少なくとも一部分は、単一のフィールドに含められる。例えば、表１５の第１及び第２のフィールドは、第１及び第２の両方のフィールドの情報を含む単一のフィールドにまとめることができる。
【表１５】
0005937215.tif 000016
【０１７２】
幾つかの実施形態では、ＳＩＧＮＡＬユニット５２０の第１のシンボルは、“ＢＷ”、“第１の予約”、“ＳＴＢＣ”、“ＮｕｍＳＳ”、“ＡＩＤ／ＧＩＤ＋Ｎｓｔｓ”、“第２の予約”、“ＳＧＩ”、“コーディング”、及び“ＭＣＳ”フィールドを含み、ＳＩＧＮＡＬユニット５２０の第２のシンボルは、“ビーム形成”、“アグリゲーション”、“長さ”、“第３の予約”、“ＣＲＣ”、及び“テール”フィールドを含む。
【０１７３】
表１５に示される態様では、ＳＩＧＮＡＬユニット５２０は、使用される帯域幅（ＢＷ）を示す“ＢＷ”フィールドを含むことができる。“ＢＷ”フィールドは、長さが２ビットであることができる。様々な実施形態において、２ビットの“ＢＷ”フィールドは、帯域幅が２ＭＨｚ、４ＭＨｚ、８ＭＨｚ、又は１６ＭＨｚのいずれであるかを示すことができる。ＳＩＧＮＡＬユニット５２０は、“第１の予約”ビットをさらに含むことができる。ＳＩＧＮＡＬユニット５２０は、空間−時間ブロックコーディング（ＳＴＢＣ）が使用されるかどうかを示す“ＳＴＢＣ”フィールドをさらに含むことができる。“ＳＴＢＣ”フィールドは、長さが１ビットであることができる。
【０１７４】
ＳＩＧＮＡＬユニット５２０は、使用される空間ストリーム数を示す“ＮｕｍＳＳ”フィールドをさらに含むことができる。ＮｕｍＳＳ”フィールドは、長さが２ビットであることができる。ＳＩＧＮＡＬユニット５２０は、データユニット５００と関連付けられたエア識別（ＡＩＤ）を示す“ＡＩＤ／ＧＩＤ＋Ｎｓｔｓ”フィールドをさらに含むことができる。“ＡＩＤ／ＧＩＤ＋Ｎｓｔｓ”フィールドは、長さが１２ビットであることができ、及び、上述されるＰＡＩＤフィールドを含むことができる。幾つかの実施形態では、“ＡＩＤ／ＧＩＤ＋Ｎｓｔｓ”フィールドは、ＳＵに関するＡＩＤを搬送し、ＭＵに関しては、最初の６ビットがＧＩＤを搬送し、最後の６ビットが第２、第３及び第４のユーザに関するＮｓｔｓを搬送する。幾つかの実施形態では、パケットの特定の内容、例えば、パケットがマルチキャスト用であるか又はブロードキャスト用であるか、を識別するために“ＡＩＤ”フィールドの幾つかの例外値を使用することができる。ＳＵモード中には、“ＡＩＤ／ＧＩＤ＋Ｎｓｔｓ”フィールドの“ＡＩＤ”ビットは、セルラーオフロードを使用する実施形態に関して使用することができ、このため、その他のデバイスが送信中に電力を節約することができる。ＳＩＧＮＡＬユニット５２０は、“第２の予約された”ビットをさらに含むことができる。
【０１７５】
ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０１７６】
ＳＩＧＮＡＬユニット５２０は、使用される符号化のタイプを示す“コーディング”フィールドをさらに含むことができる。“コーディング”フィールドは、長さが２ビットであることができる。“コーディング”フィールドの第１のビットは、単一のユーザに関する、又はマルチユーザの場合はユーザ０に関する、コーディングタイプを示すことができる。コーディング”フィールドの第２のビットは、ＬＤＰＣ符号化の結果余分のシンボルが得られたかどうかを示すために使用することができる。マルチユーザの場合は、“コーディング”フィールドの第２のビットは、低密度パリティ検査（ＬＤＰＣ）符号化の結果いずれかのユーザに関して余分のシンボルが得られたかどうかを示す“ＭＣＳ”フィールドをさらに含むことができる。“ＭＣＳ”フィールドは、長さが４ビットであることができる。マルチユーザの場合は、ユーザ１乃至３に関するコーディングを示すために“ＭＣＳ”フィールドの幾つかのビットを使用することができる。例えば、“ＭＣＳ”フィールドの第１、第２、及び第３のビットは、ユーザ１、２、及び３のそれぞれに関するコーディングを示すために使用することができる。一実施形態では、“ＭＣＳ”フィールドは、例えば、四位相偏移変調（ＱＰＳＫ）が使用されることを示すことができる。
【０１７７】
ＳＩＧＮＡＬユニット５２０は、ＳＵ送信における波形にビーム形成ステアリング行列が適用されるかどうかを示す“ビーム形成”フィールドをさらに含むことができる。“ビーム形成”フィールドは、長さが１ビットであることができる。ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。ＳＩＧＮＡＬユニット５２０は、ペイロード５３０の長さを示す“長さ”フィールドをさらに含むことができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、５１１バイトよりも大きいパケットサイズに関して使用される。ＳＩＧＮＡＬユニット５２０は、５つの“第３の予約”ビットをさらに含むことができる。
【０１７８】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０１７９】
以下において説明されるように、様々な実施形態において、予約されたビットは、異なるパケットタイプのための追加情報を搬送するために使用することができる。例えば、予約されたビットは、肯定応答（ＡＣＫ）パケットに関連する追加情報を含むことができる。幾つかの実施形態では、予約されたビットは、先行フィールドを拡張するために使用することができる。例えば、表１４に示される例では、“第１の予約された”ビットは、“ＢＷ”フィールドに関する第３のビットとして使用することができ、“第２の予約された”ビットは、“ＡＩＤ／ＧＩＤ＋Ｎｓｔｓ”フィールドに関する第１３のビットとして使用することができ、及び／又は“第３の予約された”ビットのうちの１つ以上は、“長さ”フィールドに関する追加ビットとして使用することができる。幾つかの実施形態では、予約されたビットのうちの１つ以上は、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための１つ以上のドップラ軽減ビットとして使用される。
【０１８０】
一実施形態では、単一のＳＩＧＮＡＬユニット５２０フォーマットは、６４点ＦＦＴ  ＳＩＧ−Ｂ  ＭＵモードに関して使用することができる。ＳＩＧＮＡＬユニット５２０は、プリコーディングが適用された状態で各ユーザに関して送信することができる。ＳＩＧＮＡＬユニット５２０は、以下の表１６に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表１６に示される全フィールドを有する。幾つかの実施形態では、ＳＩＧＮＡＬユニット５２０は、表１６に示されるフィールドのみを有する。幾つかの実施形態では、ＳＩＧＮＡＬユニット５２０は、表１６に示されるフィールドを有し、表１６に示される順序である。幾つかの実施形態では、表１６に示される複数のフィールドの情報の少なくとも一部分は、単一のフィールドに含められる。例えば、表１６の第１及び第２のフィールドは、第１及び第２の両方のフィールドの情報を含む単一のフィールドにまとめることができる。
【表１６】
0005937215.tif 000017
【０１８１】
表１６に示される態様では、ＳＩＧＮＡＬユニット５２０は、使用される変調コーディング方式（ＭＣＳ）を示す“ＭＣＳ”フィールドを含むことができる。“ＭＣＳ”フィールドは、長さ４ビットであることができる。マルチユーザの場合は、ユーザ１乃至３に関するコーディングを示すために“ＭＣＳ”フィールドの幾つかのビットを使用することができる。例えば、“ＭＣＳ”フィールドの第１、第２、及び第３のビットは、ユーザ１、２、及び３のそれぞれに関するコーディングを示すために使用することができる。一実施形態では、“ＭＣＳ”フィールドは、例えば、四位相偏移変調（ＱＰＳＫ）が使用されることを示すことができる。
【０１８２】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが８ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０１８３】
ＳＩＧＮＡＬユニット５２０は、１つ以上の予約されたビットをさらに含むことができる。ＳＩＧＮＡＬユニット５２０は、例えば、８つの予約されたビットを含むことができる。以下において説明されるように、様々な実施形態において、予約されたビットは、異なるパケットタイプのための追加情報を搬送するために使用することができる。例えば、予約されたビットは、肯定応答（ＡＣＫ）パケットに関連する追加情報を含むことができる。幾つかの実施形態では、予約されたビットのうちの１つ以上は、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための１つ以上のドップラ軽減ビットとして使用される。
【０１８４】
表１６に示される実装では、３２点ＦＦＴに関するＳＩＧＮＡＬユニット５２０は、上記の表１において示される６４点ＦＦＴに関するＳＩＧＮＡＬユニット５２０内で使用される１つ以上のフィールドを省略することができる。例えば、“ＢＷ”及び“ＡＩＤ”フィールドが省略されている。一実施形態では、受信デバイスは幾つかのフィールドで示されるパラメータを暗黙に知っていることができるためそれらのフィールドは省略することができる。
【０１８５】
一実施形態では、１ＭＨｚ  ＳＩＧ−Ａパケットに関して、ＳＩＧＮＡＬユニット５２０は、以下の表１７において示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表１７に示される全フィールドを有する。幾つかの実施形態では、ＳＩＧＮＡＬユニット５２０は、表１７に示されるフィールドのみを有する。幾つかの実施形態では、ＳＩＧＮＡＬユニット５２０は、表１７に示されるフィールドを有し、表１７に示される順序である。幾つかの実施形態では、表１７に示される複数のフィールドの情報の少なくとも一部分は、単一のフィールドに含められる。例えば、表１７の第１及び第２のフィールドは、第１及び第２の両方のフィールドの情報を含む単一のフィールドにまとめることができる。
【表１７】
0005937215.tif 000018
【０１８６】
表１７に示される態様では、ＳＩＧＮＡＬユニット５２０は、空間−時間ブロックコーディング（ＳＴＢＣ）が使用されるかどうかを示す“ＳＴＢＣ”フィールドを含むことができる。“ＳＴＢＣ”フィールドは、長さが１ビットであることができる。ＳＩＧＮＡＬユニット５２０は、使用される空間ストリーム数を示す“Ｎｕｍ  ＳＳ”フィールドをさらに含むことができる。“Ｎｕｍ  ＳＳ”フィールドは、長さが２ビットであることができる。
【０１８７】
ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０１８８】
ＳＩＧＮＡＬユニット５２０は、使用される符号化のタイプを示す“コーディング”フィールドをさらに含むことができる。“コーディング”フィールドは、長さが２ビットであることができる。“コーディング”フィールドの第１のビットは、単一のユーザに関する、又はマルチユーザの場合はユーザ０に関する、コーディングタイプを示すことができる。コーディング”フィールドの第２のビットは、ＬＤＰＣ符号化の結果余分のシンボルが得られたかどうかを示すために使用することができる。マルチユーザの場合は、“コーディング”フィールドの第２のビットは、ＬＤＰＣ符号化の結果いずれかのユーザに関して余分のシンボルが得られたかどうかを示すために使用することができる。ＳＩＧＮＡＬユニット５２０は、ＳＵ送信における波形にビーム形成ステアリング行列が適用されるかどうかを示す“ビーム形成”フィールドをさらに含むことができる。“ビーム形成”フィールドは、長さが１ビットであることができる。
【０１８９】
ＳＩＧＮＡＬユニット５２０は、使用される変調コーディング方式（ＭＣＳ）を示す“ＭＣＳ”フィールドをさらに含むことができる。“ＭＣＳ”フィールドは、長さが４ビットであることができる。マルチユーザの場合は、ユーザ１乃至３に関するコーディングを示すために“ＭＣＳ”フィールドの幾つかのビットを使用することができる。例えば、“ＭＣＳ”フィールドの第１、第２、及び第３のビットは、ユーザ１、２、及び３のそれぞれに関するコーディングを示すために使用することができる。一実施形態では、“ＭＣＳ”フィールドは、例えば、四位相偏移変調（ＱＰＳＫ）が使用されることを示すことができる。ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。
【０１９０】
ＳＩＧＮＡＬユニット５２０は、ペイロード５３０の長さを示す“長さ”フィールドをさらに含むことができる。“長さ”フィールドは、長さが９ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、５１１バイトよりも大きいパケットサイズに関して使用される。
【０１９１】
ＳＩＧＮＡＬユニット５２０は、５つの予約されたビットをさらに含むことができる。ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０１９２】
以下において説明されるように、様々な実施形態において、予約されたビットは、異なるパケットタイプのための追加情報を搬送するために使用することができる。例えば、予約されたビットは、肯定応答（ＡＣＫ）パケットに関連する追加情報を含むことができる。幾つかの実施形態では、予約されたビットは、先行フィールドを拡張するために使用することができる。例えば、表１７に示される例では、予約されたビットのうちの１つ以上を、“長さ”フィールドに関する追加ビットとして使用することができる。幾つかの実施形態では、予約されたビットのうちの１つ以上は、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための１つ以上のドップラ軽減ビットとして使用される。
【０１９３】
一実施形態では、１ＭＨｚ  ＳＩＧ−Ａパケットに関して、ＳＩＧＮＡＬユニット５２０は、以下の表１８に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表１８に示される全フィールドを有する。幾つかの実施形態では、ＳＩＧＮＡＬユニット５２０は、表１８に示されるフィールドのみを有する。幾つかの実施形態では、ＳＩＧＮＡＬユニット５２０は、表１８に示されるフィールドを有し、表１６に示される順序である。幾つかの実施形態では、表１８に示される複数のフィールドの情報の少なくとも一部分は、単一のフィールドに含められる。例えば、表１８の第１及び第２のフィールドは、第１及び第２の両方のフィールドの情報を含む単一のフィールドにまとめることができる。
【表１８】
0005937215.tif 000019
【０１９４】
表１８に示される態様では、ＳＩＧＮＡＬユニット５２０は、空間−時間ブロックコーディング（ＳＴＢＣ）が使用されるかどうかを示す“ＳＴＢＣ”フィールドを含むことができる。“ＳＴＢＣ”フィールドは、長さが１ビットであることができる。ＳＩＧＮＡＬユニット５２０は、使用される空間ストリーム数を示す“Ｎｕｍ  ＳＳ”フィールドをさらに含むことができる。“Ｎｕｍ  ＳＳ”フィールドは、長さが２ビットであることができる。
【０１９５】
ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０１９６】
ＳＩＧＮＡＬユニット５２０は、使用される符号化のタイプを示す“コーディング”フィールドをさらに含むことができる。“コーディング”フィールドは、長さが２ビットであることができる。“コーディング”フィールドの第１のビットは、単一のユーザに関する、又はマルチユーザの場合はユーザ０に関する、コーディングタイプを示すことができる。コーディング”フィールドの第２のビットは、ＬＤＰＣ符号化の結果余分のシンボルが得られたかどうかを示すために使用することができる。マルチユーザの場合は、“コーディング”フィールドの第２のビットは、ＬＤＰＣ符号化の結果いずれかのユーザに関して余分のシンボルが得られたかどうかを示すために使用することができる。ＳＩＧＮＡＬユニット５２０は、ＳＵ送信における波形にビーム形成ステアリング行列が適用されるかどうかを示す“ビーム形成”フィールドをさらに含むことができる。“ビーム形成”フィールドは、長さが１ビットであることができる。
【０１９７】
ＳＩＧＮＡＬユニット５２０は、使用される変調コーディング方式（ＭＣＳ）を示す“ＭＣＳ”フィールドをさらに含むことができる。“ＭＣＳ”フィールドは、長さが４ビットであることができる。マルチユーザの場合は、ユーザ１乃至３に関するコーディングを示すために“ＭＣＳ”フィールドの幾つのビットを使用することができる。例えば、“ＭＣＳ”フィールドの第１、第２、及び第３のビットは、ユーザ１、２、及び３のそれぞれに関するコーディングを示すために使用することができる。一実施形態では、“ＭＣＳ”フィールドは、例えば、四位相偏移変調（ＱＰＳＫ）が使用されることを示すことができる。ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。
【０１９８】
ＳＩＧＮＡＬユニット５２０は、データユニット５００と関連付けられたエア識別（ＡＩＤ）を示す“ＡＩＤ”フィールドをさらに含むことができる。“ＡＩＤ”フィールドは、長さが９乃至１３ビットであることができ、及び上述されるようにＰＡＩＤフィールドを含むことができる。ＳＩＧＮＡＬユニット５２０は、２乃至６つの第１の予約ビットをさらに含むことができる。“ＡＩＤ”フィールドに関するビット及び第１の予約ビットの合計は、１５であることができる。ＳＩＧＮＡＬユニット５２０は、ペイロード５３０の長さを示す“長さ”フィールドをさらに含むことができる。“長さ”フィールドは、長さが９ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、５１１バイトよりも大きいパケットサイズに関して使用される。
【０１９９】
ＳＩＧＮＡＬユニット５２０は、２つの第２の予約されたビットをさらに含むことができる。ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０２００】
以下において説明されるように、様々な実施形態において、予約されたビットは、異なるパケットタイプのための追加情報を搬送するために使用することができる。例えば、予約されたビットは、肯定応答（ＡＣＫ）パケットに関連する追加情報を含むことができる。幾つかの実施形態では、予約されたビットは、先行フィールドを拡張するために使用することができる。例えば、表１８に示される例では、第１の予約されたビットのうちの１つ以上を、“ＡＩＤ”フィールドに関する追加ビットとして使用することができ、第２の予約されたビットのうちの１つ以上を、“長さ”フィールドに関する追加ビットとして使用することができる。幾つかの実施形態では、予約されたビットのうちの１つ以上は、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための１つ以上のドップラ軽減ビットとして使用される。
【０２０１】
一実施形態では、１ＭＨｚ  ＳＩＧ−Ａパケットに関して、ＳＩＧＮＡＬユニット５２０は、以下の表１９に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表１９に示される全フィールドを有する。幾つかの実施形態では、ＳＩＧＮＡＬユニット５２０は、表１９に示されるフィールドのみを有する。幾つかの実施形態では、ＳＩＧＮＡＬユニット５２０は、表１９に示されるフィールドを有し、表１９に示される順序である。幾つかの実施形態では、表１９に示される複数のフィールドの情報の少なくとも一部分は、単一のフィールドに含められる。例えば、表１９の第１及び第２のフィールドは、第１及び第２の両方のフィールドの情報を含む単一のフィールドにまとめることができる。
【表１９】
0005937215.tif 000020
【０２０２】
表１９に示される態様では、ＳＩＧＮＡＬユニット５２０は、空間−時間ブロックコーディング（ＳＴＢＣ）が使用されるかどうかを示す“ＳＴＢＣ”フィールドを含むことができる。“ＳＴＢＣ”フィールドは、長さが１ビットであることができる。ＳＩＧＮＡＬユニット５２０は、使用される空間ストリーム数を示す“Ｎｕｍ  ＳＳ”フィールドをさらに含むことができる。“Ｎｕｍ  ＳＳ”フィールドは、長さが２ビットであることができる。
【０２０３】
ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０２０４】
ＳＩＧＮＡＬユニット５２０は、使用される符号化のタイプを示す“コーディング”フィールドをさらに含むことができる。“コーディング”フィールドは、長さが２ビットであることができる。“コーディング”フィールドの第１のビットは、単一のユーザに関する、又はマルチユーザの場合はユーザ０に関する、コーディングタイプを示すことができる。コーディング”フィールドの第２のビットは、ＬＤＰＣ符号化の結果余分のシンボルが得られたかどうかを示すために使用することができる。マルチユーザの場合は、“コーディング”フィールドの第２のビットは、ＬＤＰＣ符号化の結果いずれかのユーザに関して余分のシンボルが得られたかどうかを示すために使用することができる。ＳＩＧＮＡＬユニット５２０は、ＳＵ送信における波形にビーム形成ステアリング行列が適用されるかどうかを示す“ビーム形成”フィールドをさらに含むことができる。“ビーム形成”フィールドは、長さが１ビットであることができる。
【０２０５】
ＳＩＧＮＡＬユニット５２０は、使用される変調コーディング方式（ＭＣＳ）を示す“ＭＣＳ”フィールドをさらに含むことができる。“ＭＣＳ”フィールドは、長さが４ビットであることができる。マルチユーザの場合は、ユーザ１乃至３に関するコーディングを示すために“ＭＣＳ”フィールドの幾つかのビットを使用することができる。例えば、“ＭＣＳ”フィールドの第１、第２、及び第３のビットは、ユーザ１、２、及び３のそれぞれに関するコーディングを示すために使用することができる。一実施形態では、“ＭＣＳ”フィールドは、例えば、四位相偏移変調（ＱＰＳＫ）が使用されることを示すことができる。ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。
【０２０６】
ＳＩＧＮＡＬユニット５２０は、データユニット５００と関連付けられたエア識別（ＡＩＤ）を示す“ＡＩＤ”フィールドをさらに含むことができる。“ＡＩＤ”フィールドは、長さが９ビットであることができ、及び上述されるようにＰＡＩＤフィールドを含むことができる。ＳＩＧＮＡＬユニット５２０は、２つの予約されたビットをさらに含むことができる。ＳＩＧＮＡＬユニット５２０は、ペイロード５３０の長さを示す“長さ”フィールドをさらに含むことができる。“長さ”フィールドは、長さが９ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、５１１バイトよりも大きいパケットサイズに関して使用される。
【０２０７】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０２０８】
以下において説明されるように、様々な実施形態において、予約されたビットは、異なるパケットタイプのための追加情報を搬送するために使用することができる。例えば、予約されたビットは、肯定応答（ＡＣＫ）パケットに関連する追加情報を含むことができる。幾つかの実施形態では、予約されたビットは、先行フィールドを拡張するために使用することができる。例えば、表１９に示される例では、予約されたビットのうちの１つ以上を、“ＡＩＤ”フィールドに関する追加ビットとして使用することができる。幾つかの実施形態では、予約されたビットのうちの１つ以上は、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための１つ以上のドップラ軽減ビットとして使用される。
【０２０９】
一実施形態では、１ＭＨｚ  ＳＩＧ−Ａパケットに関して、ＳＩＧＮＡＬユニット５２０は、以下の表２０に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表２０に示される全フィールドを有する。幾つかの実施形態では、ＳＩＧＮＡＬユニット５２０は、表２０に示されるフィールドのみを有する。幾つかの実施形態では、ＳＩＧＮＡＬユニット５２０は、表２０に示されるフィールドを有し、表２０に示される順序である。幾つかの実施形態では、表２０に示される複数のフィールドの情報の少なくとも一部分は、単一のフィールドに含められる。例えば、表２０の第１及び第２のフィールドは、第１及び第２の両方のフィールドの情報を含む単一のフィールドにまとめることができる。
【表２０】
0005937215.tif 000021
【０２１０】
表２０に示される態様では、ＳＩＧＮＡＬユニット５２０は、空間−時間ブロックコーディング（ＳＴＢＣ）が使用されるかどうかを示す“ＳＴＢＣ”フィールドを含むことができる。“ＳＴＢＣ”フィールドは、長さが１ビットであることができる。ＳＩＧＮＡＬユニット５２０は、使用される空間ストリーム数を示す“Ｎｕｍ  ＳＳ”フィールドをさらに含むことができる。“Ｎｕｍ  ＳＳ”フィールドは、長さが２ビットであることができる。
【０２１１】
ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０２１２】
ＳＩＧＮＡＬユニット５２０は、使用される符号化のタイプを示す“コーディング”フィールドをさらに含むことができる。“コーディング”フィールドは、長さが２ビットであることができる。“コーディング”フィールドの第１のビットは、単一のユーザに関する、又はマルチユーザの場合はユーザ０に関する、コーディングタイプを示すことができる。コーディング”フィールドの第２のビットは、ＬＤＰＣ符号化の結果余分のシンボルが得られたかどうかを示すために使用することができる。マルチユーザの場合は、“コーディング”フィールドの第２のビットは、ＬＤＰＣ符号化の結果いずれかのユーザに関して余分のシンボルが得られたかどうかを示すために使用することができる。ＳＩＧＮＡＬユニット５２０は、ＳＵ送信における波形にビーム形成ステアリング行列が適用されるかどうかを示す“ビーム形成”フィールドをさらに含むことができる。“ビーム形成”フィールドは、長さが１ビットであることができる。
【０２１３】
ＳＩＧＮＡＬユニット５２０は、使用される変調コーディング方式（ＭＣＳ）を示す“ＭＣＳ”フィールドをさらに含むことができる。“ＭＣＳ”フィールドは、長さが４ビットであることができる。マルチユーザの場合は、ユーザ１乃至３に関するコーディングを示すために“ＭＣＳ”フィールドの幾つかのビットを使用することができる。例えば、“ＭＣＳ”フィールドの第１、第２、及び第３のビットは、ユーザ１、２、及び３のそれぞれに関するコーディングを示すために使用することができる。一実施形態では、“ＭＣＳ”フィールドは、例えば、四位相偏移変調（ＱＰＳＫ）が使用されることを示すことができる。ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。
【０２１４】
ＳＩＧＮＡＬユニット５２０は、データユニット５００と関連付けられたエア識別（ＡＩＤ）を示す“ＡＩＤ”フィールドをさらに含むことができる。“ＡＩＤ”フィールドは、長さが１２ビットであることができ、及び上述されるようにＰＡＩＤフィールドを含むことができる。ＳＩＧＮＡＬユニット５２０は、０乃至６つの第１の予約されたビットをさらに含むことができる。
【０２１５】
ＳＩＧＮＡＬユニット５２０は、ペイロード５３０の長さを示す“長さ”フィールドをさらに含むことができる。“長さ”フィールドは、長さが９ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、５１１バイトよりも大きいパケットサイズに関して使用される。ＳＩＧＮＡＬユニット５２０は、０乃至６つの第２の予約されたビットをさらに含むことができる。
【０２１６】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０２１７】
一実施形態では、１ＭＨｚ  ＳＩＧ−Ａパケットに関して、ＳＩＧＮＡＬユニット５２０は、以下の表２１に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表２１に示される全フィールドを有する。幾つかの実施形態では、ＳＩＧＮＡＬユニット５２０は、表２１に示されるフィールドのみを有する。幾つかの実施形態では、ＳＩＧＮＡＬユニット５２０は、表２１に示されるフィールドを有し、表２１に示される順序である。幾つかの実施形態では、表２１に示される複数のフィールドの情報の少なくとも一部分は、単一のフィールドに含められる。例えば、表２１の第１及び第２のフィールドは、第１及び第２の両方のフィールドの情報を含む単一のフィールドにまとめることができる。
【表２１】
0005937215.tif 000022
【０２１８】
表２１に示される態様では、ＳＩＧＮＡＬユニット５２０は、空間−時間ブロックコーディング（ＳＴＢＣ）が使用されるかどうかを示す“ＳＴＢＣ”フィールドを含むことができる。“ＳＴＢＣ”フィールドは、長さが１ビットであることができる。ＳＩＧＮＡＬユニット５２０は、使用される空間ストリーム数を示す“Ｎｕｍ  ＳＳ”フィールドをさらに含むことができる。“Ｎｕｍ  ＳＳ”フィールドは、長さが２ビットであることができる。
【０２１９】
ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０２２０】
ＳＩＧＮＡＬユニット５２０は、使用される符号化のタイプを示す“コーディング”フィールドをさらに含むことができる。“コーディング”フィールドは、長さが１ビットであることができる。ＳＩＧＮＡＬユニット５２０は、使用される変調コーディング方式（ＭＣＳ）を示す“ＭＣＳ”フィールドをさらに含むことができる。“ＭＣＳ”フィールドは、長さが４ビットであることができる。マルチユーザの場合は、ユーザ１乃至３に関するコーディングを示すために“ＭＣＳ”フィールドの幾つのビットを使用することができる。例えば、“ＭＣＳ”フィールドの第１、第２、及び第３のビットは、ユーザ１、２、及び３のそれぞれに関するコーディングを示すために使用することができる。一実施形態では、“ＭＣＳ”フィールドは、例えば、四位相偏移変調（ＱＰＳＫ）が使用されることを示すことができる。ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。
【０２２１】
ＳＩＧＮＡＬユニット５２０は、ペイロード５３０の長さを示す“長さ”フィールドをさらに含むことができる。“長さ”フィールドは、長さが９ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、５１１バイトよりも大きいパケットサイズに関して使用される。ＳＩＧＮＡＬユニット５２０は、ドップラ／予約ビットをさらに含むことができ、それらは、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための予約ビットとして又はドップラ軽減ビットとして使用される。
【０２２２】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドを省略することができ、例えば、以下においてさらに詳細に説明されるテールバイティング（ｔａｉｌ  ｂｉｔｉｎｇ）を使用することができる。
【０２２３】
一実施形態では、短いプリアンブルを有する２ＭＨｚ  ＳＩＧパケットに関して、ＳＩＧＮＡＬユニット５２０は、以下の表２２に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表２２に示される全フィールドを有する。幾つかの実施形態では、ＳＩＧＮＡＬユニット５２０は、表２２に示されるフィールドのみを有する。幾つかの実施形態では、ＳＩＧＮＡＬユニット５２０は、表２２に示されるフィールドを有し、表２２に示される順序である。幾つかの実施形態では、表２２に示される複数のフィールドの情報の少なくとも一部分は、単一のフィールドに含められる。例えば、表２２の第１及び第２のフィールドは、第１及び第２の両方のフィールドの情報を含む単一のフィールドにまとめることができる。
【０２２４】
以下において説明されるように、表２２に示されるフィールドのうちの１つ以上のフィールド内の例外値は、ＳＩＧＮＡＬユニット５２０の１つ以上のフィールドが別々に解釈されるべきであることを示すことができる。例えば、ＳＩＧＮＡＬユニット内の１つのフィールドが例外状態を含むときには、ＳＩＧＮＡＬユニット５２０の１つ以上のその他のフィールドは、代替のフレームタイプ、例えば、ＡＣＫフレーム、ビーコンフレーム、ＳＹＮＣビーコンフレーム、リンク適合フレーム、等、に関連するその他の情報を含むことができる。その他の情報は、同期化情報、ビーコン情報、リンク適合情報、肯定応答情報、等を含むことができる。概して、ゼロ長のペイロードは、例外状態を有するＳＩＧＮＡＬユニット５２０内の１つ以上のフィールドによって示すことができる。
【０２２５】
一実施形態では、２ＭＨｚ  ＳＩＧパケットの“長さ”フィールド内のすべてゼロの値は、予約されたビットのうちの１つ以上が代替のフレームタイプを示すことを示すことができる。他の実施形態では、“ＭＣＳ”フィールド内のすべて１の値は、ペイロード長がゼロであること、及び“長さ”フィールドの１つ以上のビットが代替フレームタイプに関連するデータを含むことを示すことができる。他の実施形態では、１つ以上の“予約された”ビット内のゼロでない値は、ペイロード長がゼロであること、及び“長さ”フィールドの１つ以上のビットが代替フレームタイプに関連するデータを含むことを示すことができる。幾つかの実施形態では、“長さ”フィールド内の例外値は、ＳＩＧフィールドがどのように解釈されるべきかを示すことができる。幾つかの実施形態では、“長さ”フィールド内の例外値は、ＰＨＹプリアンブルに後続するデータのシンボル数、及び任意選択で、いずれのＭＣＳでシンボルが符号化されるかを示すことができる。“長さ”フィールドの例外値は、例えば、小さい長さ、例えば、０、１、２，３、又は例えば、５又は１０よりも小さい値を含むことができる。
【表２２】
0005937215.tif 000023
【０２２６】
表２２に示される態様では、ＳＩＧＮＡＬユニット５２０は、長さが１ビットであることができる第１の“予約”フィールドを含むことができる。ＳＩＧＮＡＬユニット５２０は、空間―時間ブロックコーディング（ＳＴＢＣ）が使用されるかどうかを示す“ＳＴＢＣ”フィールドをさらに含むことができる。ＳＩＧＮＡＬユニット５２０は、長さが１ビットであることができる第２の“予約”フィールドを含むことができる。
【０２２７】
ＳＩＧＮＡＬユニット５２０は、使用される帯域幅（ＢＷ）を示す“ＢＷ”フィールドをさらに含むことができる。“ＢＷ”フィールドは、長さが２ビットであることができる。様々な実施形態において、２ビットの“ＢＷ”フィールドは、帯域幅が２ＭＨｚ、４ＭＨｚ、８ＭＨｚ、又は１６ＭＨｚのいずれであるかを示すことができる。ＳＩＧＮＡＬユニット５２０は、“Ｎｓｔｓ”フィールドをさらに含むことができる。“Ｎｓｔｓ”フィールドは、空間時間ストリーム（ＳＴＳ）の数を提供することができる。“Ｎｓｔｓ”フィールドは、長さが２ビットであることができる。
【０２２８】
ＳＩＧＮＡＬユニット５２０は、データユニット５００と関連付けられた部分的関連付け識別子を示す“ＰＡＩＤ”フィールドをさらに含むことができる。“ＰＡＩＤ”フィールドは、長さが９ビットであることができる。ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０２２９】
ＳＩＧＮＡＬユニット５２０は、使用される符号化のタイプを示す“コーディング”フィールドをさらに含むことができる。“コーディング”フィールドは、長さが２ビットであることができる。ＳＩＧＮＡＬユニット５２０は、使用される変調コーディング方式（ＭＣＳ）を示す“ＭＣＳ”フィールドをさらに含むことができる。“ＭＣＳ”フィールドは、長さ４ビットであることができる。マルチユーザの場合は、ユーザ１乃至３に関するコーディングを示すために“ＭＣＳ”フィールドの幾つかのビットを使用することができる。例えば、“ＭＣＳ”フィールドの第１、第２、及び第３のビットは、ユーザ１、２、及び３のそれぞれに関するコーディングを示すために使用することができる。一実施形態では、“ＭＣＳ”フィールドは、例えば、四位相偏移変調（ＱＰＳＫ）が使用されることを示すことができる。ＳＩＧＮＡＬユニット５２０は、チャネル推定に関して平滑化（ｓｍｏｏｔｈｉｎｇ）が推奨されるかどうかを示す“平滑化”フィールドをさらに含むことができる。“平滑化”フィールドは、長さが１ビットであることができる。ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。
【０２３０】
ＳＩＧＮＡＬユニット５２０は、ペイロード５３０の長さを示す“長さ”フィールドをさらに含むことができる。“長さ”フィールドは、長さが９ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、５１１バイトよりも大きいパケットサイズに関して使用される。ＳＩＧＮＡＬユニット５２０は、ＳＩＧＮＡＬユニットが肯定応答かどうかを示す“ＡＣＫ表示”フィールドをさらに含むことができる。一実施形態では、“ＡＣＫ表示”フィールドは、ＳＩＧＮＡＬユニット５２０が肯定応答（０ｘ００）、ブロック肯定応答（０ｘ０１）、又は肯定応答でない（０ｘ１０）のいずれであるかを示すことができる。（０ｘ１１）の値は予約することができる。“ＡＣＫ表示”フィールドは、長さが２ビットであることができる。ＳＩＧＮＡＬユニットは、第３の“予約”フィールドを含むことができる。第３の“予約”フィールドは、長さが２ビットであることができる。
【０２３１】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０２３２】
一実施形態では、第１の“予約”フィールド、“ＳＴＢＣ”フィールド、第２の“予約”フィールド、“ＢＷ”フィールド、“Ｎｓｔｓ”フィールド、“ＰＡＩＤ”フィールド、“ＳＧＩ”フィールド、“コーディング”フィールド、“ＭＣＳ”フィールド、及び“平滑化”フィールドは、ＳＩＧ−Ａの第１のシンボルを用いて符号化することができる。一実施形態では、“アグリゲーション”フィールド、“長さ”フィールド、“ＡＣＫ表示”フィールド、第３の“予約”フィールド、“ＣＲＣ”フィールド、及び“テール”フィールドは、ＳＩＧ−Ａの第２のシンボルを用いて符号化することができる。
【０２３３】
一実施形態では、長いプリアンブルを有し、単一ユーザのために使用される２ＭＨｚ  ＳＩＧ−Ａパケットに関して、ＳＩＧＮＡＬユニット５２０は、以下の表２３に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表２３に示される全フィールドを有する。幾つかの実施形態では、ＳＩＧＮＡＬユニット５２０は、表２３に示されるフィールドのみを有する。幾つかの実施形態では、ＳＩＧＮＡＬユニット５２０は、表２３に示されるフィールドを有し、表２３に示される順序である。幾つかの実施形態では、表２３に示される複数のフィールドの情報の少なくとも一部分は、単一のフィールドに含められる。例えば、表２３の第１及び第２のフィールドは、第１及び第２の両方のフィールドの情報を含む単一のフィールドにまとめることができる。
【０２３４】
以下において説明されるように、表２３に示されるフィールドのうちの１つ以上のフィールド内の例外値は、ＳＩＧＮＡＬユニット５２０の１つ以上のフィールドが別々に解釈されるべきであることを示すことができる。例えば、ＳＩＧＮＡＬユニット５２０内の１つのフィールドが例外状態を含むときには、ＳＩＧＮＡＬユニット５２０の１つ以上のその他のフィールドは、代替のフレームタイプ、例えば、ＡＣＫフレーム、ビーコンフレーム、ＳＹＮＣビーコンフレーム、リンク適合フレーム、等、に関連するその他の情報を含むことができる。その他の情報は、同期化情報、ビーコン情報、リンク適合情報、肯定応答情報、等を含むことができる。概して、ゼロ長のペイロードは、例外状態を有するＳＩＧＮＡＬユニット５２０内の１つ以上のフィールドによって示すことができる。
【０２３５】
一実施形態では、２ＭＨｚ  ＳＩＧ−Ａパケットの“長さ”フィールド内のすべてゼロの値は、予約されたビットのうちの１つ以上が代替のフレームタイプを示すことを示すことができる。他の実施形態では、“ＭＣＳ”フィールド内のすべて１の値は、ペイロード長がゼロであること、及び“長さ”フィールドの１つ以上のビットが代替フレームタイプに関連するデータを含むことを示すことができる。他の実施形態では、１つ以上の“予約された”ビット内のゼロでない値は、ペイロード長がゼロであること、及び“長さ”フィールドの１つ以上のビットが代替フレームタイプに関連するデータを含むことを示すことができる。幾つかの実施形態では、“長さ”フィールド内の例外値は、ＳＩＧフィールドがどのように解釈されるべきかを示すことができる。幾つかの実施形態では、“長さ”フィールド内の例外値は、ＰＨＹプリアンブルに後続するデータのシンボル数、及び任意選択で、いずれのＭＣＳでシンボルが符号化されるかを示すことができる。長さ”フィールドの例外値は、例えば、小さい長さ、例えば、０、１、２，３、又は例えば、５又は１０よりも小さい値を含むことができる。
【表２３】
0005937215.tif 000024
【０２３６】
表２３に示される態様では、ＳＩＧＮＡＬユニット５２０は、ＳＩＧＮＡＬユニットが単一ユーザ又は複数のユーザのいずれが対象であるかを示す“ＭＵ／ＳＵ”フィールドを含むことができる。“ＭＵ／ＳＵ”フィールドは、長さが１ビットであることができる。“ＭＵ／ＳＵ”フィールドは、単一ユーザに関してはゼロに設定することができる。ＳＩＧＮＡＬユニット５２０は、空間―時間ブロックコーディング（ＳＴＢＣ）が使用されるかどうかを示す“ＳＴＢＣ”フィールドをさらに含むことができる。“ＳＴＢＣ”フィールドは、長さが１ビットであることができる。ＳＩＧＮＡＬユニット５２０は、長さが１ビットであることができる第１の“予約”フィールドをさらに含むことができる。
【０２３７】
ＳＩＧＮＡＬユニット５２０は、使用される帯域幅（ＢＷ）を示す“ＢＷ”フィールドをさらに含むことができる。“ＢＷ”フィールドは、長さが２ビットであることができる。様々な実施形態において、２ビットの“ＢＷ”フィールドは、帯域幅が２ＭＨｚ、４ＭＨｚ、８ＭＨｚ、又は１６ＭＨｚのいずれであるかを示すことができる。ＳＩＧＮＡＬユニット５２０は、“Ｎｓｔｓ”フィールドをさらに含むことができる。“Ｎｓｔｓ”フィールドは、空間時間ストリーム（ＳＴＳ）の数を提供することができる。“Ｎｓｔｓ”フィールドは、長さが２ビットであることができる。ＳＩＧＮＡＬユニット５２０は、データユニット５００と関連付けられた部分的関連付け識別子を示す“ＰＡＩＤ”フィールドをさらに含むことができる。“ＰＡＩＤ”フィールドは、長さが９ビットであることができる。
【０２３８】
ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０２３９】
ＳＩＧＮＡＬユニット５２０は、使用される符号化のタイプを示す“コーディング”フィールドをさらに含むことができる。“コーディング”フィールドは、長さが２ビットであることができる。一実施形態では、“コーディング”フィールドの第１のビットは、単一のユーザに関するコーディングタイプであり、第２のビットは、ＬＤＰＣ  Ｎｓｙｍ曖昧さ（ＬＤＰＣ  Ｎｓｙｍ  ａｍｂｉｇｕｉｔｙ）に関するコーディングタイプである。ＳＩＧＮＡＬユニット５２０は、使用される変調コーディング方式（ＭＣＳ）を示す“ＭＣＳ”フィールドをさらに含むことができる。“ＭＣＳ”フィールドは、長さが４ビットであることができる。“ＭＣＳ”フィールドは、単一のユーザに関するコーディングを示すことができる。マルチユーザの場合は、ユーザ１乃至３に関するコーディングを示すために“ＭＣＳ”フィールドの幾つかのビットを使用することができる。例えば、“ＭＣＳ”フィールドの第１、第２、及び第３のビットは、ユーザ１、２、及び３のそれぞれに関するコーディングを示すために使用することができる。一実施形態では、“ＭＣＳ”フィールドは、例えば、四位相偏移変調（ＱＰＳＫ）が使用されることを示すことができる。ＳＩＧＮＡＬユニット５２０は、直交成分行列（Ｑ行列）がデータＳＴＦ（Ｄ−ＳＴＦ）から開始して変化するかどうかを示す“ビーム変化表示”フィールドをさらに含むことができる。“ビーム変化表示”フィールドは、長さが１ビットであることができる。ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。
【０２４０】
ＳＩＧＮＡＬユニット５２０は、ペイロード５３０の長さを示す“長さ”フィールドをさらに含むことができる。“長さ”フィールドは、長さが９ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、５１１バイトよりも大きいパケットサイズに関して使用される。ＳＩＧＮＡＬユニット５２０は、ＳＩＧＮＡＬユニットが肯定応答かどうかを示す“ＡＣＫ表示”フィールドをさらに含むことができる。一実施形態では、“ＡＣＫ表示”フィールドは、ＳＩＧＮＡＬユニット５２０が肯定応答（０ｘ００）、ブロック肯定応答（０ｘ０１）、又は肯定応答でない（０ｘ１０）のいずれであるかを示すことができる。（０ｘ１１）の値は予約することができる。“ＡＣＫ表示”フィールドは、長さが２ビットであることができる。ＳＩＧＮＡＬユニットは、第２の“予約”フィールドを含むことができる。“予約”フィールドは、長さが２ビットであることができる。
【０２４１】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０２４２】
一実施形態では、“ＭＵ／ＳＵ”フィールド、“ＳＴＢＣ”フィールド、第１の“予約”フィールド、“ＢＷ”フィールド、“Ｎｓｔｓ”フィールド、“ＰＡＩＤ”フィールド、“ＳＧＩ”フィールド、“コーディング”フィールド、“ＭＣＳ”フィールド、及び“ビーム変化表示”フィールドは、ＳＩＧ−Ａの第１のシンボルを用いて符号化することができる。一実施形態では、“アグリゲーション”フィールド、“長さ”フィールド、“ＡＣＫ表示”フィールド、第２の“予約”フィールド、“ＣＲＣ”フィールド、及び“テール”フィールドは、ＳＩＧ−Ａの第２のシンボルを用いて符号化することができる。
【０２４３】
一実施形態では、長いプリアンブルを有し、マルチユーザのために使用される２ＭＨｚ  ＳＩＧ−Ａパケットに関して、ＳＩＧＮＡＬユニット５２０は、以下の表２４に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表２４に示される全フィールドを有する。幾つかの実施形態では、ＳＩＧＮＡＬユニット５２０は、表２４に示されるフィールドのみを有する。幾つかの実施形態では、ＳＩＧＮＡＬユニット５２０は、表２４に示されるフィールドを有し、表２４に示される順序である。幾つかの実施形態では、表２４に示される複数のフィールドの情報の少なくとも一部分は、単一のフィールドに含められる。例えば、表２４の第１及び第２のフィールドは、第１及び第２の両方のフィールドの情報を含む単一のフィールドにまとめることができる。
【０２４４】
以下において説明されるように、表２４に示されるフィールドのうちの１つ以上のフィールド内の例外値は、ＳＩＧＮＡＬユニット５２０の１つ以上のフィールドが別々に解釈されるべきであることを示すことができる。例えば、ＳＩＧＮＡＬユニット内の１つのフィールドが例外状態を含むときには、ＳＩＧＮＡＬユニット５２０の１つ以上のその他のフィールドは、代替のフレームタイプ、例えば、ＡＣＫフレーム、ビーコンフレーム、ＳＹＮＣビーコンフレーム、リンク適合フレーム、等、に関連するその他の情報を含むことができる。その他の情報は、同期化情報、ビーコン情報、リンク適合情報、肯定応答情報、等を含むことができる。概して、ゼロ長のペイロードは、例外状態を有するＳＩＧＮＡＬユニット５２０内の１つ以上のフィールドによって示すことができる。
【０２４５】
一実施形態では、２ＭＨｚ  ＳＩＧ−Ａパケットの“長さ”フィールド内のすべてゼロの値は、予約されたビットのうちの１つ以上が代替のフレームタイプを示すことを示すことができる。他の実施形態では、“ＭＣＳ”フィールド内のすべて１の値は、ペイロード長がゼロであること、及び“長さ”フィールドの１つ以上のビットが代替フレームタイプに関連するデータを含むことを示すことができる。他の実施形態では、１つ以上の“予約された”ビット内のゼロでない値は、ペイロード長がゼロであること、及び“長さ”フィールドの１つ以上のビットが代替フレームタイプに関連するデータを含むことを示すことができる。幾つかの実施形態では、“長さ”フィールド内の例外値は、ＳＩＧフィールドがどのように解釈されるべきかを示すことができる。幾つかの実施形態では、“長さ”フィールド内の例外値は、ＰＨＹプリアンブルに後続するデータのシンボル数、及び任意選択で、いずれのＭＣＳでシンボルが符号化されるかを示すことができる。長さ”フィールドの例外値は、例えば、小さい長さ、例えば、０、１、２，３、又は例えば、５又は１０よりも小さい値を含むことができる。
【表２４】
0005937215.tif 000025
【０２４６】
表２４に示される態様では、ＳＩＧＮＡＬユニット５２０は、ＳＩＧＮＡＬユニットが単一ユーザ又は複数のユーザのいずれが対象であるかを示す“ＭＵ／ＳＵ”フィールドを含むことができる。“ＭＵ／ＳＵ”フィールドは、長さが１ビットであることができる。“ＭＵ／ＳＵ”フィールドは、マルチユーザに関しては１に設定することができる。ＳＩＧＮＡＬユニット５２０は、空間―時間ブロックコーディング（ＳＴＢＣ）が使用されるかどうかを示す“ＳＴＢＣ”フィールドをさらに含むことができる。“ＳＴＢＣ”フィールドは、長さが１ビットであることができる。ＳＩＧＮＡＬユニット５２０は、長さが１ビットであることができる第１の“予約”フィールドをさらに含むことができる。
【０２４７】
ＳＩＧＮＡＬユニット５２０は、使用される帯域幅（ＢＷ）を示す“ＢＷ”フィールドをさらに含むことができる。“ＢＷ”フィールドは、長さが２ビットであることができる。様々な実施形態において、２ビットの“ＢＷ”フィールドは、帯域幅が２ＭＨｚ、４ＭＨｚ、８ＭＨｚ、又は１６ＭＨｚのいずれであるかを示すことができる。ＳＩＧＮＡＬユニット５２０は、“Ｎｓｔｓ”フィールドをさらに含むことができる。“Ｎｓｔｓ”フィールドは、空間時間ストリーム（ＳＴＳ）の数を提供することができる。“Ｎｓｔｓ”フィールドは、長さが８ビットであることができる。最大で４つのユーザまで1つのユーザ当たり“Ｎｓｔｓ”フィールドの２ビットを提供することができる。ＳＩＧＮＡＬユニット５２０は、データユニット５００と関連付けられたグループ識別子を示す“ＧＩＤ”フィールドをさらに含むことができる。“ＧＩＤ”フィールドは、長さが６ビットであることができる。
【０２４８】
ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０２４９】
ＳＩＧＮＡＬユニット５２０は、使用される符号化のタイプを示す“コーディング−Ｉ”フィールドをさらに含むことができる。“コーディング−Ｉ”フィールドは、長さが４ビットであることができる。各ビットは、４つのユーザの各々に関するコーディングタイプを示すことができる。ＳＩＧＮＡＬユニット５２０は、ＬＤＰＣ  Ｎｓｙｍ曖昧さを示す“コーディング−ＩＩ”フィールドをさらに含むことができる。ＳＩＧＮＡＬユニット５２０は、Ｑ行列がＤ−ＳＴＦから始めて変化するかどうかを示す“ビーム変化表示”をさらに含むことができる。“ビーム変化表示”は、長さが１ビットであることができる。
【０２５０】
ＳＩＧＮＡＬユニット５２０は、ペイロード５３０の長さを示す“長さ”フィールドをさらに含むことができる。“長さ”フィールドは、長さが９ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、５１１バイトよりも大きいパケットサイズに関して使用される。ＳＩＧＮＡＬユニット５２０は、ＳＩＧＮＡＬユニットが肯定応答かどうかを示す“ＡＣＫ表示”フィールドをさらに含むことができる。一実施形態では、“ＡＣＫ表示”フィールドは、ＳＩＧＮＡＬユニット５２０が肯定応答（０ｘ００）、ブロック肯定応答（０ｘ０１）、又は肯定応答でない（０ｘ１０）のいずれであるかを示すことができる。（０ｘ１１）の値は予約することができる。“ＡＣＫ表示”フィールドは、長さが２ビットであることができる。ＳＩＧＮＡＬユニットは、第２の“予約”フィールドを含むことができる。“予約”フィールドは、長さが１ビットであることができる。
【０２５１】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０２５２】
一実施形態では、“ＭＵ／ＳＵ”フィールド、“ＳＴＢＣ”フィールド、第１の“予約”フィールド、“ＢＷ”フィールド、“Ｎｓｔｓ”フィールド、“ＧＩＤ”フィールド、“ＳＧＩ”フィールド、及び“コーディング−Ｉ” フィールドは、ＳＩＧ−Ａの第１のシンボルを用いて符号化することができる。一実施形態では、“コーディング−ＩＩ” フィールド、“ビーム変化表示”フィールド、“長さ”フィールド、“ＡＣＫ表示”フィールド、第２の“予約”フィールド、“ＣＲＣ”フィールド、及び“テール”フィールドは、ＳＩＧ−Ａの第２のシンボルを用いて符号化することができる。
【０２５３】
一実施形態では、１ＭＨｚ  ＳＩＧパケットに関して、ＳＩＧＮＡＬユニット５２０は、以下の表２５に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表２５に示される全フィールドを有する。幾つかの実施形態では、ＳＩＧＮＡＬユニット５２０は、表２５に示されるフィールドのみを有する。幾つかの実施形態では、ＳＩＧＮＡＬユニット５２０は、表２５に示されるフィールドを有し、表２５に示される順序である。幾つかの実施形態では、表２５に示される複数のフィールドの情報の少なくとも一部分は、単一のフィールドに含められる。例えば、表２４の第１及び第２のフィールドは、第１及び第２の両方のフィールドの情報を含む単一のフィールドにまとめることができる。
【０２５４】
以下において説明されるように、表２５に示されるフィールドのうちの１つ以上のフィールド内の例外値は、ＳＩＧＮＡＬユニット５２０の１つ以上のフィールドが別々に解釈されるべきであることを示すことができる。例えば、ＳＩＧＮＡＬユニット内の１つのフィールドが例外状態を含むときには、ＳＩＧＮＡＬユニット５２０の１つ以上のその他のフィールドは、代替のフレームタイプ、例えば、ＡＣＫフレーム、ビーコンフレーム、ＳＹＮＣビーコンフレーム、リンク適合フレーム、等、に関連するその他の情報を含むことができる。その他の情報は、同期化情報、ビーコン情報、リンク適合情報、肯定応答情報、等を含むことができる。概して、ゼロ長のペイロードは、例外状態を有するＳＩＧＮＡＬユニット５２０内の１つ以上のフィールドによって示すことができる。
【０２５５】
一実施形態では、１ＭＨｚ  ＳＩＧパケットの“長さ”フィールド内のすべてゼロの値は、予約されたビットのうちの１つ以上が代替のフレームタイプを示すことを示すことができる。他の実施形態では、“ＭＣＳ”フィールド内のすべて１の値は、ペイロード長がゼロであること、及び“長さ”フィールドの１つ以上のビットが代替フレームタイプに関連するデータを含むことを示すことができる。他の実施形態では、１つ以上の“予約された”ビット内のゼロでない値は、ペイロード長がゼロであること、及び“長さ”フィールドの１つ以上のビットが代替フレームタイプに関連するデータを含むことを示すことができる。幾つかの実施形態では、“長さ”フィールド内の例外値は、ＳＩＧフィールドがどのように解釈されるべきかを示すことができる。幾つかの実施形態では、“長さ”フィールド内の例外値は、ＰＨＹプリアンブルに後続するデータのシンボル数、及び任意選択で、いずれのＭＣＳでシンボルが符号化されるかを示すことができる。長さ”フィールドの例外値は、例えば、小さい長さ、例えば、０、１、２，３、又は例えば、５又は１０よりも小さい値を含むことができる。
【表２５】
0005937215.tif 000026
【０２５６】
表２５に示される態様では、ＳＩＧＮＡＬユニット５２０は、“Ｎｓｔｓ”フィールドを含むことができる。“Ｎｓｔｓ”フィールドは、空間時間ストリーム（ＳＴＳ）の数を提供することができる。“Ｎｓｔｓ”フィールドは、長さが２ビットであることができる。ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０２５７】
ＳＩＧＮＡＬユニット５２０は、使用される符号化のタイプを示す“コーディング”フィールドをさらに含むことができる。“コーディング”フィールドは、長さが２ビットであることができる。１つのビットは、コーディングタイプ（ＬＰＤＣ／ＢＣＣ）を示すことができる。第２のビットは、ＬＤＰＣ  Ｎｓｙｍ曖昧さを示すことができる。ＳＩＧＮＡＬユニット５２０は、空間―時間ブロックコーディング（ＳＴＢＣ）が使用されるかどうかを示す“ＳＴＢＣ”フィールドをさらに含むことができる。“ＳＴＢＣ”フィールドは、長さが１ビットであることができる。ＳＩＧＮＡＬユニット５２０は、長さが１ビットであることができる第１の“予約”フィールドをさらに含むことができる。
【０２５８】
ＳＩＧＮＡＬユニット５２０は、使用される変調コーディング方式（ＭＣＳ）を示す“ＭＣＳ”フィールドをさらに含むことができる。“ＭＣＳ”フィールドは、長さが４ビットであることができる。一実施形態では、“ＭＣＳ”フィールドは、例えば、四位相偏移変調（ＱＰＳＫ）が使用されることを示すことができる。ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。
【０２５９】
ＳＩＧＮＡＬユニット５２０は、ペイロード５３０の長さを示す“長さ”フィールドをさらに含むことができる。“長さ”フィールドは、長さが９ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、５１１バイトよりも大きいパケットサイズに関して使用される。ＳＩＧＮＡＬユニット５２０は、ＳＩＧＮＡＬユニットが肯定応答かどうかを示す“ＡＣＫ表示”フィールドをさらに含むことができる。一実施形態では、“ＡＣＫ表示”フィールドは、ＳＩＧＮＡＬユニット５２０が肯定応答（０ｘ００）、ブロック肯定応答（０ｘ０１）、又は肯定応答でない（０ｘ１０）のいずれであるかを示すことができる。（０ｘ１１）の値は予約することができる。“ＡＣＫ表示”フィールドは、長さが２ビットであることができる。ＳＩＧＮＡＬユニットは、第２の“予約”フィールドを含むことができる。“予約”フィールドは、長さが３ビットであることができる。
【０２６０】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０２６１】
一実施形態では、１つの予約されたビットが第１のシンボルの直後に置かれる。これは、新しいＰＨＹ特徴を提供することができる。これは、合計４つの予約されたビットを提供する。
【０２６２】
一実施形態では、短いプリアンブルを有する２ＭＨｚ  ＳＩＧパケットに関して、ＳＩＧＮＡＬユニット５２０は、以下の表２６に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。
【０２６３】
フィールドの順序設定は、パケットを受信又は送信するか又は生成することのピーク対平均電力比に影響を及ぼすことがある。従って、幾つかの実施形態では、パケットを受信又は送信するか又は生成するときに経験するピーク対平均電力比を下げるためにフィールドの順序設定を変更させることができる。表２６に示されるフィールド及びフィールド順を有するパケットに関するピーク対平均電力比が測定されている。測定では、予約されたビットが１に設定されているときには第１のシンボルに関しては１１．５９デシベル、第２のシンボルに関しては９．８６デシベルのピーク対平均電力比を示す。予約されたビットがゼロに設定されているときには、実験結果は、第１のシンボルに関しては１３．４８４５デシベル、第２のシンボルに関しては１０．４７４２デシベルのピーク対平均電力比を示している。
【０２６４】
幾つかの実施形態では、ＳＩＧＮＡＬユニット５２０は、表２６に示される全フィールドを有する。幾つかの実施形態では、ＳＩＧＮＡＬユニット５２０は、表２６に示されるフィールドのみを有する。幾つかの実施形態では、ＳＩＧＮＡＬユニット５２０は、表２６に示されるフィールドを有し、表２６に示される順序である。幾つかの実施形態では、表２６に示される複数のフィールドの情報の少なくとも一部分は、単一のフィールドに含められる。例えば、表２６の第１及び第２のフィールドは、第１及び第２の両方のフィールドの情報を含む単一のフィールドにまとめることができる。
【０２６５】
以下において説明されるように、表２６に示されるフィールドのうちの１つ以上のフィールド内の例外値は、ＳＩＧＮＡＬユニット５２０の１つ以上のフィールドが別々に解釈されるべきであることを示すことができる。例えば、ＳＩＧＮＡＬユニット５２０内の１つのフィールドが例外状態を含むときには、ＳＩＧＮＡＬユニット５２０の１つ以上のその他のフィールドは、代替のフレームタイプ、例えば、ＡＣＫフレーム、ビーコンフレーム、ＳＹＮＣビーコンフレーム、リンク適合フレーム、等、に関連するその他の情報を含むことができる。その他の情報は、同期化情報、ビーコン情報、リンク適合情報、肯定応答情報、等を含むことができる。概して、ゼロ長のペイロードは、例外状態を有するＳＩＧＮＡＬユニット５２０内の１つ以上のフィールドによって示すことができる。
【０２６６】
一実施形態では、２ＭＨｚ  ＳＩＧパケットの“長さ”フィールド内のすべてゼロの値は、予約されたビットのうちの１つ以上が代替のフレームタイプを示すことを示すことができる。他の実施形態では、“ＭＣＳ”フィールド内のすべて１の値は、ペイロード長がゼロであること、及び“長さ”フィールドの１つ以上のビットが代替フレームタイプに関連するデータを含むことを示すことができる。他の実施形態では、１つ以上の“予約された”ビット内のゼロでない値は、ペイロード長がゼロであること、及び“長さ”フィールドの１つ以上のビットが代替フレームタイプに関連するデータを含むことを示すことができる。幾つかの実施形態では、“長さ”フィールド内の例外値は、ＳＩＧフィールドがどのように解釈されるべきかを示すことができる。幾つかの実施形態では、“長さ”フィールド内の例外値は、ＰＨＹプリアンブルに後続するデータのシンボル数、及び任意選択で、いずれのＭＣＳでシンボルが符号化されるかを示すことができる。長さ”フィールドの例外値は、例えば、小さい長さ、例えば、０、１、２，３、又は例えば、５又は１０よりも小さい値を含むことができる。
【表２６】
0005937215.tif 000027
【０２６７】
表２６に示される態様では、ＳＩＧＮＡＬユニット５２０は、長さが１ビットであることができる第１の“予約”フィールドを含むことができる。ＳＩＧＮＡＬユニット５２０は、空間―時間ブロックコーディング（ＳＴＢＣ）が使用されるかどうかを示す“ＳＴＢＣ”フィールドをさらに含むことができる。ＳＩＧＮＡＬユニット５２０は、長さが１ビットであることができる第２の“予約”フィールドをさらに含むことができる。
【０２６８】
ＳＩＧＮＡＬユニット５２０は、使用される帯域幅（ＢＷ）を示す“ＢＷ”フィールドをさらに含むことができる。“ＢＷ”フィールドは、長さが２ビットであることができる。様々な実施形態において、２ビットの“ＢＷ”フィールドは、帯域幅が２ＭＨｚ、４ＭＨｚ、８ＭＨｚ、又は１６ＭＨｚのいずれであるかを示すことができる。
【０２６９】
ＳＩＧＮＡＬユニット５２０は、“Ｎｓｔｓ”フィールドをさらに含むことができる。“Ｎｓｔｓ”フィールドは、空間時間ストリーム（ＳＴＳ）の数を提供することができる。“Ｎｓｔｓ”フィールドは、長さが２ビットであることができる。
【０２７０】
ＳＩＧＮＡＬユニット５２０は、ペイロード５３０の長さを示す“長さ”フィールドをさらに含むことができる。“長さ”フィールドは、長さが９ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、５１１バイトよりも大きいパケットサイズに関して使用される。ＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０２７１】
ＳＩＧＮＡＬユニット５２０は、使用される符号化のタイプを示す“コーディング”フィールドをさらに含むことができる。“コーディング”フィールドは、長さが２ビットであることができる。ＳＩＧＮＡＬユニット５２０は、使用される変調コーディング方式（ＭＣＳ）を示す“ＭＣＳ”フィールドさらに含むことができる。“ＭＣＳ”フィールドは、長さ４ビットであることができる。マルチユーザの場合は、ユーザ１乃至３に関するコーディングを示すために“ＭＣＳ”フィールドの幾つかのビットを使用することができる。例えば、“ＭＣＳ”フィールドの第１、第２、及び第３のビットは、ユーザ１、２、及び３のそれぞれに関するコーディングを示すために使用することができる。一実施形態では、“ＭＣＳ”フィールドは、例えば、四位相偏移変調（ＱＰＳＫ）が使用されることを示すことができる。ＳＩＧＮＡＬユニット５２０は、チャネル推定に関して平滑化（ｓｍｏｏｔｈｉｎｇ）が推奨されるかどうかを示す“平滑化”フィールドをさらに含むことができる。“平滑化”フィールドは、長さが１ビットであることができる。ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。
【０２７２】
ＳＩＧＮＡＬユニット５２０は、データユニット５００と関連付けられた部分的関連付け識別子を示す“ＰＡＩＤ”フィールドをさらに含むことができる。“ＰＡＩＤ”フィールドは、長さが９ビットであることができる。ＳＩＧＮＡＬユニット５２０は、ＳＩＧＮＡＬユニットが肯定応答かどうかを示す“ＡＣＫ表示”フィールドをさらに含むことができる。一実施形態では、“ＡＣＫ表示”フィールドは、ＳＩＧＮＡＬユニット５２０が肯定応答（０ｘ００）、ブロック肯定応答（０ｘ０１）、又は肯定応答でない（０ｘ１０）のいずれであるかを示すことができる。（０ｘ１１）の値は予約することができる。“ＡＣＫ表示”フィールドは、長さが２ビットであることができる。ＳＩＧＮＡＬユニットは、第３の“予約”フィールドを含むことができる。第３の“予約”フィールドは、長さが２ビットであることができる。
【０２７３】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０２７４】
一実施形態では、第１の“予約”フィールド、“ＳＴＢＣ”フィールド、第２の“予約”フィールド、“ＢＷ”フィールド、“Ｎｓｔｓ”フィールド、“長さ”フィールド、“ＳＧＩ”フィールド、“コーディング”フィールド、“ＭＣＳ”フィールド、及び“平滑化”フィールドは、ＳＩＧ−Ａの第１のシンボルを用いて符号化することができる。一実施形態では、“アグリゲーション”フィールド、“ＰＡＩＤ”フィールド、“ＡＣＫ表示”フィールド、第３の“予約”フィールド、“ＣＲＣ”フィールド、及び“テール”フィールドは、ＳＩＧ−Ａの第２のシンボルを用いて符号化することができる。
【０２７５】
一実施形態では、１つの予約されたビットが第１のシンボル内に置かれる。これは、新しいＰＨＹ特徴を提供することができる。
【０２７６】
一実施形態では、表２６に示されるようにフィールド順序が設定された状態の２ＭＨＺｚのショートプリアンブルＳＩＧフィールドの第１のシンボルを生成又は受信することは、７．１デシベル未満の最大ピーク対平均電力比（ＰＡＰＲ）を提供することができる。このＰＡＰＲは、オープンループ送信、２５６バイトパケット、アグリゲーションオフ、ＡＣＫに設定されたＡＣＫ表示フィールド、１つのストリーム；ＭＣＳ０及びＭＣＳ７を用いて測定することができる。このＰＡＰＲを決定時には残りの指定されていないフィールドのすべての組み合わせを考慮することができる。８０２．１１ｎ又は８０２ａｃでは、ＣＲＣフィールドは、正規の８ビットＣＲＣフィールドの４つの最下位ビット（ＬＳＢ）を使用する。両方のＳＩＧシンボルに関してＱＢＰＳＫ変調が使用される。４ｘのオーバーサンプリングされたＩＦＦＴも使用される。上記の最大ＰＡＰＲ値は、無指定フィールドのすべての組み合わせに対するＰＡＰＲを測定することによって決定された。
【０２７７】
一実施形態では、長いプリアンブルを有し、単一ユーザのために使用される２ＭＨｚ  ＳＩＧ−Ａパケットに関して、ＳＩＧＮＡＬユニット５２０は、以下の表２７に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。
【０２７８】
フィールドの順序設定は、パケットを受信又は送信するか又は生成することのピーク対平均電力比に影響を及ぼすことがある。従って、幾つかの実施形態では、パケットを受信又は送信するか又は生成するときに経験するピーク対平均電力比を下げるためにフィールドの順序設定を変更させることができる。表２７に示されるフィールド及びフィールド順を有するパケットに関するピーク対平均電力比が測定されている。測定では、予約されたビットが１に設定されているときには第１のシンボルに関しては１１．１３０４デシベル、第２のシンボルに関しては１０．４４４２デシベルのピーク対平均電力比を示す。予約されたビットがゼロに設定されているときには、実験結果は、第１のシンボルに関しては１３．４８４５デシベル、第２のシンボルに関しては８．８６０６デシベルのピーク対平均電力比を示している。
【０２７９】
幾つかの実施形態では、ＳＩＧＮＡＬユニット５２０は、表２７に示される全フィールドを有する。幾つかの実施形態では、ＳＩＧＮＡＬユニット５２０は、表２７に示されるフィールドのみを有する。幾つかの実施形態では、ＳＩＧＮＡＬユニット５２０は、表２７に示されるフィールドを有し、表２７に示される順序である。幾つかの実施形態では、表２７に示される複数のフィールドの情報の少なくとも一部分は、単一のフィールドに含められる。例えば、表２７の第１及び第２のフィールドは、第１及び第２の両方のフィールドの情報を含む単一のフィールドにまとめることができる。
【０２８０】
以下において説明されるように、表２７に示されるフィールドのうちの１つ以上のフィールド内の例外値は、ＳＩＧＮＡＬユニット５２０の１つ以上のフィールドが別々に解釈されるべきであることを示すことができる。例えば、ＳＩＧＮＡＬユニット５２０内の１つのフィールドが例外状態を含むときには、ＳＩＧＮＡＬユニット５２０の１つ以上のその他のフィールドは、代替のフレームタイプ、例えば、ＡＣＫフレーム、ビーコンフレーム、ＳＹＮＣビーコンフレーム、リンク適合フレーム、等、に関連するその他の情報を含むことができる。その他の情報は、同期化情報、ビーコン情報、リンク適合情報、肯定応答情報、等を含むことができる。概して、ゼロ長のペイロードは、例外状態を有するＳＩＧＮＡＬユニット５２０内の１つ以上のフィールドによって示すことができる。
【０２８１】
一実施形態では、２ＭＨｚ  ＳＩＧ−Ａパケットの“長さ”フィールド内のすべてゼロの値は、予約されたビットのうちの１つ以上が代替のフレームタイプを示すことを示すことができる。他の実施形態では、“ＭＣＳ”フィールド内のすべて１の値は、ペイロード長がゼロであること、及び“長さ”フィールドの１つ以上のビットが代替フレームタイプに関連するデータを含むことを示すことができる。他の実施形態では、１つ以上の“予約された”ビット内のゼロでない値は、ペイロード長がゼロであること、及び“長さ”フィールドの１つ以上のビットが代替フレームタイプに関連するデータを含むことを示すことができる。幾つかの実施形態では、“長さ”フィールド内の例外値は、ＳＩＧフィールドがどのように解釈されるべきかを示すことができる。幾つかの実施形態では、“長さ”フィールド内の例外値は、ＰＨＹプリアンブルに後続するデータのシンボル数、及び任意選択で、いずれのＭＣＳでシンボルが符号化されるかを示すことができる。長さ”フィールドの例外値は、例えば、小さい長さ、例えば、０、１、２，３、又は例えば、５又は１０よりも小さい値を含むことができる。
【表２７】
0005937215.tif 000028
【０２８２】
表２７に示される態様では、ＳＩＧＮＡＬユニット５２０は、ＳＩＧＮＡＬユニットが単一ユーザ又は複数のユーザのいずれが対象であるかを示す“ＭＵ／ＳＵ”フィールドを含むことができる。“ＭＵ／ＳＵ”フィールドは、長さが１ビットであることができる。“ＭＵ／ＳＵ”フィールドは、単一ユーザに関してはゼロに設定することができる。ＳＩＧＮＡＬユニット５２０は、空間―時間ブロックコーディング（ＳＴＢＣ）が使用されるかどうかを示す“ＳＴＢＣ”フィールドをさらに含むことができる。“ＳＴＢＣ”フィールドは、長さが１ビットであることができる。ＳＩＧＮＡＬユニット５２０は、長さが１ビットであることができる第１の“予約”フィールドをさらに含むことができる。
【０２８３】
ＳＩＧＮＡＬユニット５２０は、使用される帯域幅（ＢＷ）を示す“ＢＷ”フィールドをさらに含むことができる。“ＢＷ”フィールドは、長さが２ビットであることができる。様々な実施形態において、２ビットの“ＢＷ”フィールドは、帯域幅が２ＭＨｚ、４ＭＨｚ、８ＭＨｚ、又は１６ＭＨｚのいずれであるかを示すことができる。ＳＩＧＮＡＬユニット５２０は、“Ｎｓｔｓ”フィールドをさらに含むことができる。“Ｎｓｔｓ”フィールドは、空間時間ストリーム（ＳＴＳ）の数を提供することができる。“Ｎｓｔｓ”フィールドは、長さが２ビットであることができる。
【０２８４】
ＳＩＧＮＡＬユニット５２０は、ペイロード５３０の長さを示す“長さ”フィールドをさらに含むことができる。“長さ”フィールドは、長さが９ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、５１１バイトよりも大きいパケットサイズに関して使用される。
【０２８５】
ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０２８６】
ＳＩＧＮＡＬユニット５２０は、使用される符号化のタイプを示す“コーディング”フィールドをさらに含むことができる。“コーディング”フィールドは、長さが２ビットであることができる。一実施形態では、“コーディング”フィールドの第１のビットは、単一のユーザに関するコーディングタイプであり、第２のビットは、ＬＤＰＣ  Ｎｓｙｍ曖昧さに関するコーディングタイプである。ＳＩＧＮＡＬユニット５２０は、使用される変調コーディング方式（ＭＣＳ）を示す“ＭＣＳ”フィールドをさらに含むことができる。“ＭＣＳ”フィールドは、長さが４ビットであることができる。“ＭＣＳ”フィールドは、単一のユーザに関するコーディングを示すことができる。マルチユーザの場合は、ユーザ１乃至３に関するコーディングを示すために“ＭＣＳ”フィールドの幾つかのビットを使用することができる。例えば、“ＭＣＳ”フィールドの第１、第２、及び第３のビットは、ユーザ１、２、及び３のそれぞれに関するコーディングを示すために使用することができる。一実施形態では、“ＭＣＳ”フィールドは、例えば、四位相偏移変調（ＱＰＳＫ）が使用されることを示すことができる。ＳＩＧＮＡＬユニット５２０は、Ｑ行列がデータＳＴＦ（Ｄ−ＳＴＦ）から始まって変化するかどうかを示す“ビーム変化表示”フィールドをさらに含むことができる。“ビーム変化表示”フィールドは、長さが１ビットであることができる。ＳＩＧＮＡＬユニット５２０は、Ａ−ＭＰＤＵが使用されているかどうかを示す“アグリゲーション”フィールドをさらに含むことができる。“アグリゲーション”フィールドは、長さが１ビットであることができる。
【０２８７】
ＳＩＧＮＡＬユニット５２０は、データユニット５００と関連付けられた部分的関連付け識別子を示す“ＰＡＩＤ”フィールドをさらに含むことができる。“ＰＡＩＤ”フィールドは、長さが９ビットであることができる。
【０２８８】
ＳＩＧＮＡＬユニット５２０は、ＳＩＧＮＡＬユニットが肯定応答かどうかを示す“ＡＣＫ表示”フィールドをさらに含むことができる。一実施形態では、“ＡＣＫ表示”フィールドは、ＳＩＧＮＡＬユニット５２０が肯定応答（０ｘ００）、ブロック肯定応答（０ｘ０１）、又は肯定応答でない（０ｘ１０）のいずれであるかを示すことができる。（０ｘ１１）の値は予約することができる。“ＡＣＫ表示”フィールドは、長さが２ビットであることができる。ＳＩＧＮＡＬユニットは、第２の“予約”フィールドを含むことができる。“予約”フィールドは、長さが２ビットであることができる。
【０２８９】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０２９０】
一実施形態では、“ＭＵ／ＳＵ”フィールド、“ＳＴＢＣ”フィールド、第１の“予約”フィールド、“ＢＷ”フィールド、“Ｎｓｔｓ”フィールド、“長さ”フィールド、“ＳＧＩ”フィールド、“コーディング”フィールド、“ＭＣＳ”フィールド、及び“ビーム変化表示”フィールドは、ＳＩＧ−Ａの第１のシンボルを用いて符号化することができる。一実施形態では、“アグリゲーション”フィールド、“ＰＡＩＤ”フィールド、“ＡＣＫ表示”フィールド、第２の“予約”フィールド、“ＣＲＣ”フィールド、及び“テール”フィールドは、ＳＩＧ−Ａの第２のシンボルを用いて符号化することができる。
【０２９１】
一実施形態では、表２７に示されるようにフィールド順序が設定された状態で２ＭＨＺｚの長いプリアンブル単一ユーザＳＩＧ−Ａフィールドの第１のシンボルを生成又は受信することは、８．７デシベル未満の最大ピーク対平均電力比（ＰＡＰＲ）を結果的に得ることができる。このＰＡＰＲは、単一ユーザＢＦ送信、２５６バイトパケット、アグリゲーションオフ、ＡＣＫに設定されたＡＣＫ表示フィールド、１つのストリーム、及びＭＣＳ７を用いて測定することができる。このＰＡＰＲを決定時には残りの指定されていないフィールドのすべての組み合わせを考慮することができる。８０２．１１ｎ又は８０２ａｃでは、ＣＲＣフィールドは、正規の８ビットＣＲＣフィールドの４つの最下位ビット（ＬＳＢ）を使用する。両方のＳＩＧシンボルに関してＱＢＰＳＫ変調が使用される。４ｘのオーバーサンプリングされたＩＦＦＴも使用される。上記の最大ＰＡＰＲ値は、無指定フィールドのすべての組み合わせに対するＰＡＰＲを測定することによって決定された。
【０２９２】
一実施形態では、長いプリアンブルを有し、マルチユーザのために使用される２ＭＨｚ  ＳＩＧ−Ａパケットに関して、ＳＩＧＮＡＬユニット５２０は、以下の表２８に示されるフィールドのうちの１つ以上を含むことができる。フィールドは、特定の長さを有し、特定の順序で示されているが、様々な実施形態では、１つ以上のフィールドを再編、追加、省略することができ、又は異なる長さを有することができる。幾つかの実施形態では、ＳＩＧＮＡＬユニット５２０は、表２８に示される全フィールドを有する。
【０２９３】
フィールドの順序設定は、パケットを受信又は送信するか又は生成することのピーク対平均電力比に影響を及ぼすことがある。従って、幾つかの実施形態では、パケットを受信又は送信するか又は生成するときに経験するピーク対平均電力比を下げるためにフィールドの順序設定を変更することができる。表２８に示されるフィールド及びフィールド順を有するパケットに関するピーク対平均電力比が測定されている。測定では、予約されたビットが１に設定されているときには第１のシンボルに関しては１１．８９９７デシベル、第２のシンボルに関しては１１．０１４デシベルのピーク対平均電力比を示す。予約されたビットがゼロに設定されているときには、実験結果は、第１のシンボルに関しては１０．６８６５デシベル、第２のシンボルに関しては１１．８５７０デシベルのピーク対平均電力比を示している。
【０２９４】
幾つかの実施形態では、ＳＩＧＮＡＬユニット５２０は、表２８に示されるフィールドのみを有する。幾つかの実施形態では、ＳＩＧＮＡＬユニット５２０は、表２８に示されるフィールドを有し、表２８に示される順序である。幾つかの実施形態では、表２８に示される複数のフィールドの情報の少なくとも一部分は、単一のフィールドに含められる。例えば、表２８の第１及び第２のフィールドは、第１及び第２の両方のフィールドの情報を含む単一のフィールドにまとめることができる。
【０２９５】
以下において説明されるように、表２８に示されるフィールドのうちの１つ以上のフィールド内の例外値は、ＳＩＧＮＡＬユニット５２０の１つ以上のフィールドが別々に解釈されるべきであることを示すことができる。例えば、ＳＩＧＮＡＬユニット５２０内の１つのフィールドが例外状態を含むときには、ＳＩＧＮＡＬユニット５２０の１つ以上のその他のフィールドは、代替のフレームタイプ、例えば、ＡＣＫフレーム、ビーコンフレーム、ＳＹＮＣビーコンフレーム、リンク適合フレーム、等、に関連するその他の情報を含むことができる。その他の情報は、同期化情報、ビーコン情報、リンク適合情報、肯定応答情報、等を含むことができる。概して、ゼロ長のペイロードは、例外状態を有するＳＩＧＮＡＬユニット５２０内の１つ以上のフィールドによって示すことができる。
【０２９６】
一実施形態では、２ＭＨｚ  ＳＩＧ−Ａパケットの“長さ”フィールド内のすべてゼロの値は、予約されたビットのうちの１つ以上が代替のフレームタイプを示すことを示すことができる。他の実施形態では、“ＭＣＳ”フィールド内のすべて１の値は、ペイロード長がゼロであること、及び“長さ”フィールドの１つ以上のビットが代替フレームタイプに関連するデータを含むことを示すことができる。他の実施形態では、１つ以上の“予約された”ビット内のゼロでない値は、ペイロード長がゼロであること、及び“長さ”フィールドの１つ以上のビットが代替フレームタイプに関連するデータを含むことを示すことができる。幾つかの実施形態では、“長さ”フィールド内の例外値は、ＳＩＧフィールドがどのように解釈されるべきかを示すことができる。幾つかの実施形態では、“長さ”フィールド内の例外値は、ＰＨＹプリアンブルに後続するデータのシンボル数、及び任意選択で、いずれのＭＣＳでシンボルが符号化されるかを示すことができる。長さ”フィールドの例外値は、例えば、小さい長さ、例えば、０、１、２，３、又は例えば、５又は１０よりも小さい値を含むことができる。
【表２８】
0005937215.tif 000029
【０２９７】
表２８に示される態様では、ＳＩＧＮＡＬユニット５２０は、ＳＩＧＮＡＬユニットが単一ユーザ又は複数のユーザのいずれが対象であるかを示す“ＭＵ／ＳＵ”フィールドを含むことができる。“ＭＵ／ＳＵ”フィールドは、長さが１ビットであることができる。“ＭＵ／ＳＵ”フィールドは、マルチユーザに関しては１に設定することができる。ＳＩＧＮＡＬユニット５２０は、空間―時間ブロックコーディング（ＳＴＢＣ）が使用されるかどうかを示す“ＳＴＢＣ”フィールドをさらに含むことができる。“ＳＴＢＣ”フィールドは、長さが１ビットであることができる。ＳＩＧＮＡＬユニット５２０は、長さが１ビットであることができる第１の“予約”フィールドをさらに含むことができる。
【０２９８】
ＳＩＧＮＡＬユニット５２０は、“Ｎｓｔｓ”フィールドをさらに含むことができる。“Ｎｓｔｓ”フィールドは、空間時間ストリーム（ＳＴＳ）の数を提供することができる。“Ｎｓｔｓ”フィールドは、長さが８ビットであることができる。最大で４つのユーザまで1つのユーザ当たり“Ｎｓｔｓ”フィールドの２ビットを提供することができる。ＳＩＧＮＡＬユニット５２０は、使用される帯域幅（ＢＷ）を示す“ＢＷ”フィールドをさらに含むことができる。“ＢＷ”フィールドは、長さが２ビットであることができる。様々な実施形態において、２ビットの“ＢＷ”フィールドは、帯域幅が２ＭＨｚ、４ＭＨｚ、８ＭＨｚ、又は１６ＭＨｚのいずれであるかを示すことができる。ＳＩＧＮＡＬユニット５２０は、データユニット５００と関連付けられたグループ識別子を示す“ＧＩＤ”フィールドをさらに含むことができる。“ＧＩＤ”フィールドは、長さが６ビットであることができる。
【０２９９】
ＳＩＧＮＡＬユニット５２０は、使用されるショートガード間隔（ＳＧＩ）を示す“ＳＧＩ”フィールドをさらに含むことができる。“ＳＧＩ”フィールドは、長さが１ビットであることができる。幾つかの実施形態では、ショートガード間隔は、２μｓであることができ、通常のガード間隔は、８μｓであることができる。幾つかの実施形態では、ショートガード間隔は、２μｓであることができ、通常のガード間隔は、４μｓであることができる。
【０３００】
ＳＩＧＮＡＬユニット５２０は、使用される符号化のタイプを示す“コーディング−Ｉ”フィールドをさらに含むことができる。“コーディング−Ｉ”フィールドは、長さが４ビットであることができる。各ビットは、４つのユーザの各々に関するコーディングタイプを示すことができる。ＳＩＧＮＡＬユニット５２０は、ＬＤＰＣ  Ｎｓｙｍ曖昧さを示す“コーディング−ＩＩ”フィールドをさらに含むことができる。ＳＩＧＮＡＬユニット５２０は、Ｑ行列がＤ−ＳＴＦから始めて変化するかどうかを示す“ビーム変化表示”フィールドをさらに含むことができる。“ビーム変化表示”フィールドは、長さが１ビットであることができる。
【０３０１】
ＳＩＧＮＡＬユニット５２０は、ペイロード５３０の長さを示す“長さ”フィールドをさらに含むことができる。“長さ”フィールドは、長さが９ビットであることができる。一実施形態では、“長さ”フィールドは、Ａ−ＭＰＤＵが使用されているときには単位がシンボルのペイロード５３０の長さを示すことができる。“長さ”フィールドは、Ａ−ＭＰＤＵが使用されていないときには単位がバイトのペイロード５３０の長さを示すことができる。一実施形態では、Ａ−ＭＰＤＵは、５１１バイトよりも大きいパケットサイズに関して使用される。ＳＩＧＮＡＬユニット５２０は、ＳＩＧＮＡＬユニットが肯定応答かどうかを示す“ＡＣＫ表示”フィールドをさらに含むことができる。一実施形態では、“ＡＣＫ表示”フィールドは、ＳＩＧＮＡＬユニット５２０が肯定応答（０ｘ００）、ブロック肯定応答（０ｘ０１）、又は肯定応答でない（０ｘ１０）のいずれであるかを示すことができる。（０ｘ１１）の値は予約することができる。“ＡＣＫ表示”フィールドは、長さが２ビットであることができる。ＳＩＧＮＡＬユニットは、第２の“予約”フィールドを含むことができる。“予約”フィールドは、長さが１ビットであることができる。
【０３０２】
ＳＩＧＮＡＬユニット５２０は、ＳＩＧＮＡＬユニット５２０の１つ以上のフィールドに関して計算された巡回冗長性検査（ＣＲＣ）の結果を示す“ＣＲＣ”フィールドをさらに含むことができる。“ＣＲＣ”フィールドは、長さが４ビットであることができる。一実施形態では、ＣＲＣの代わりに、又はＣＲＣに加えて他の誤り検出コードを使用することができる。ＳＩＧＮＡＬユニット５２０は、畳み込み符号器及び／又は復号器の状態をリセットするために使用される“テール”フィールドをさらに含むことができる。“テール”フィールドは、長さが６ビットであることができる。
【０３０３】
一実施形態では、“ＭＵ／ＳＵ”フィールド、“ＳＴＢＣ”フィールド、第１の“予約”フィールド、“ＢＷ”フィールド、“Ｎｓｔｓ”フィールド、“ＧＩＤ”フィールド、“ＳＧＩ”フィールド、及び“コーディング−Ｉ”フィールドは、ＳＩＧ−Ａの第１のシンボルを用いて符号化することができる。一実施形態では、“コーディング−ＩＩ”フィールド、“ビーム変化表示”フィールド、“長さ”フィールド、“ＡＣＫ表示”フィールド、第２の“予約”フィールド、“ＣＲＣ”フィールド、及び“テール”フィールドは、ＳＩＧ−Ａの第２のシンボルを用いて符号化することができる。
【０３０４】
一実施形態では、表２８に示されるようにフィールド順序が設定された状態で８ＭＨＺｚの長いプリアンブルマルチユーザＳＩＧ−Ａフィールドの第２のシンボルを生成又は受信することは、１１．１デシベル未満の最大ピーク対平均電力比（ＰＡＰＲ）を結果的に得ることができる。このＰＡＰＲは、３つのユーザによるマルチユーザ送信を用いて測定することができる。グループＩＤは３に設定される。１５００バイトのパケットが使用され、ＡＣＫ表示フィールドがブロックＡＣＫ（ＢＡ）に設定され、１つのユーザ当たり１つのストリームであり、及びＭＣＳ７である。この最大ＰＡＰＲを決定時には残りの指定されていないフィールドのすべての組み合わせを考慮することができる。８０２．１１ｎ又は８０２ａｃでは、ＣＲＣフィールドは、正規の８ビットＣＲＣフィールドの４つの最下位ビット（ＬＳＢ）を使用する。両方のＳＩＧシンボルに関してＱＢＰＳＫ変調が使用される。４ｘのオーバーサンプリングされたＩＦＦＴも使用される。上記の最大ＰＡＰＲ値は、無指定フィールドのすべての組み合わせに対するＰＡＰＲを測定することによって決定される。
【０３０５】
ＳＩＧＮＡＬユニット５２０の７つのシンボルの各々は、実軸又は虚軸のいずれかにおいて回転状態を有するＢＰＳＫ信号点配置によって表されるため、各々のシンボルの回転状態は、追加の１ビットの情報を通信することができる。例えば、第１のシンボルが実軸上にある場合は、これは、ＳＴＢＣがオンであることを通信することができる。ＳＩＧＮＡＬユニット５２０のいずれのビットも、シンボル回転状態を通じて通信することができる。表２８に示される例では、シンボルのうちの１つの回転状態を通じて少なくとも１ビットが通信される。幾つかの実施形態では、シンボル回転状態を通じて最大で６つの予約されたビットを通信することができる。シンボル回転状態を通じて通信された予約されたビットは、第１の予約されたビット、第２の予約されたビット、又は第１及び第２の予約されたビットの組み合わせであることができる。幾つかの実施形態では、ロバストネス（ｒｏｂｕｓｔｎｅｓｓ）のために、複数のシンボルの回転状態によって単一のビットを通信することができる。
【０３０６】
以下において説明されるように、様々な実施形態において、予約されたビットは、異なるパケットタイプのための追加情報を搬送するために使用することができる。例えば、予約されたビットは、肯定応答（ＡＣＫ）パケットに関連する追加情報を含むことができる。幾つかの実施形態では、先行フィールドを拡張するために使用することができる。例えば、表１９に示される例では、予約されたビットのうちの１つ以上は、“ＡＩＤ”フィールドに関する追加ビットとして使用することができる。幾つかの実施形態では、予約されたビットのうちの１つ以上は、ＳＩＧＮＡＬユニット５２０の送信中の‘高い時間的チャネル変動’の影響を受信機が軽減するのを可能にすることができるセクションがＳＩＧＮＡＬユニット５２０に存在することを受信機にシグナリングするための１つ以上のドップラ軽減ビットとして使用される。
【０３０７】
様々な実施形態において、ＳＩＧＮＡＬユニット５２０内の１つ以上のフィールドは、１つ以上の“例外の”状態又は値を含むことができる。例外状態は、例えば、通常は発生しないフィールド値を含むことができる。例えば、“ＭＣＳ”フィールドの値が通常は“００”、“０１”、又は“１０”のいずれかであることができる場合は、すべて１の値（例えば、“１１”）は、例外値とみなすことができる。他の例として、“長さ”フィールド内のすべてゼロの値は、例外状態であることができる。他の例として、いずれかの“予約”ビット内のゼロでない値は、例外状態であることができる。
【０３０８】
例外的なフィールド状態は、ＳＩＧＮＡＬユニット５２０の１つ以上のフィールドが別々に解釈されるべきであることを示すことができる。例えば、ＳＩＧＮＡＬユニット内の１つのフィールドが例外状態を含む時には、ＳＩＧＮＡＬユニット５２０の１つ以上のその他のフィールドは、代替のフレームタイプ、例えば、ＡＣＫフレーム、ビーコンフレーム、ＳＹＮＣビーコンフレーム、リンク適合フレーム、等、に関連するその他の情報を含むことができる。その他の情報は、同期化情報、ビーコン情報、リンク適合情報、肯定応答情報、等を含むことができる。概して、ゼロ長のペイロードは、例外状態を有するＳＩＧＮＡＬユニット５２０内の１つ以上のフィールドによって示すことができる。
【０３０９】
一実施形態では、“長さ”フィールド内のすべてゼロの値は、予約されたビットのうちの１つ以上が代替のフレームタイプを示すことを示すことができる。他の実施形態では、“ＭＣＳ”フィールド内のすべて１の値は、ペイロード長がゼロであること、及び“長さ”フィールドの１つ以上のビットが代替フレームタイプに関連するデータを含むことを示すことができる。他の実施形態では、１つ以上の“予約された”ビット内のゼロでない値は、ペイロード長がゼロであること、及び“長さ”フィールドの１つ以上のビットが代替フレームタイプに関連するデータを含むことを示すことができる。幾つかの実施形態では、“長さ”フィールド内の例外値は、ＳＩＧフィールドがどのように解釈されるべきかを示すことができる。幾つかの実施形態では、“長さ”フィールド内の例外値は、ＰＨＹプリアンブルに後続するデータのシンボル数、及び任意選択で、いずれのＭＣＳでシンボルが符号化されるかを示すことができる。長さ”フィールドの例外値は、例えば、小さい長さ、例えば、０、１、２，３、又は例えば、５又は１０よりも小さい値を含むことができる。
【０３１０】
幾つかの実施形態では、“予約”ビット内の例外値は、現在のフレームにＡＣＫパケットが後続するかどうかを示す。幾つかの実装においては、“予約”ビットは、現在のフレームが制御フレームであること、及び残りのビットが長さを含むＭＡＣ表示用に予約されていることを示すことができる。
【表２９】
0005937215.tif 000030
【０３１１】
表２９は、２ＭＨｚ以上の帯域幅モードにおいて短いフォーマットのプリアンブルで使用することができるＳＩＧフィールドの例を示す。ＳＩＧフィールドの最初の１０のフィールド（すなわち、予約、ＳＴＢＣ、予約、ＢＷ、Ｎｓｔｓ、長さ、ＳＧＩ、コーディング、ＭＣＳ、及び平滑化）は、ＳＩＧフィールドの第１のシンボル内に存在することができ、ＳＩＧフィールドの最後の６つのフィールド（すなわち、アグリゲーションビット、ＰＡＩＤ、ＡＣＫ表示、予約、ＣＲＣ、及びテール）は、ＳＩＧフィールドの第２のシンボル内に存在することができる。特定の実施形態では、後続して開発されるＰＨＹ特徴のために少なくとも１つの予約されたビットをＳＩＧフィールドの第１のシンボル内に含めることができる。
【表３０】
0005937215.tif 000031
【０３１２】
表３０は、単一ユーザ（ＳＵ）送信に関する２ＭＨｚ以上の帯域幅モードにおいて長いフォーマットのプリアンブルで使用することができるＳＩＧ−Ａフィールドの例を示す。ＳＩＧ−Ａフィールドの最初の１０のフィールド（すなわち、ＭＵ／ＳＵビット、ＳＴＢＣ、予約、ＢＷ、Ｎｓｔｓ、長さ、ＳＧＩ、コーディング、ＭＣＳ、及びビーム変化表示ビット）は、ＳＩＧ−Ａフィールドの第１のシンボル内に存在することができ、ＳＩＧフィールドの最後の６つのフィールド（すなわち、アグリゲーションビット、ＰＡＩＤ、ＡＣＫ表示、予約、ＣＲＣ、及びテール）は、ＳＩＧフィールドの第２のシンボル内に存在することができる。
【表３１】
0005937215.tif 000032
【０３１３】
表３１は、マルチユーザ（ＭＵ）送信（例えば、最大４つのユーザ）に関する２ＭＨｚ以上の帯域幅モードにおいて長いフォーマットのプリアンブルで使用することができるＳＩＧ−Ａフィールドの例を示す。ＳＩＧ−Ａフィールドの最初の８つのフィールド（すなわち、ＭＵ／ＳＵビット、ＳＴＢＣ、予約、Ｎｓｔｓ、ＢＷ、ＧＩＤ、ＳＧＩ、及びコーディング−Ｉ）は、ＳＩＧ−Ａフィールドの第１のシンボル内に存在することができ、ＳＩＧフィールドの最後の７つのフィールド（すなわち、コーディング−ＩＩ、予約、長さ、ＡＣＫ表示、予約、ＣＲＣ、及びテール）は、ＳＩＧフィールドの第２のシンボル内に存在することができる。表３０に示されるＳＵ  ＳＩＧ−Ａフィールドと比較してＮｓｔｓ及びＢＷフィールドの順序は逆にできることが注目される。この逆転は、表３１に示されるＭＵ  ＳＩＧ−Ａフィールドに関するピーク対平均電力比（ＰＡＰＲ）が向上することになる。
【表３２】
0005937215.tif 000033
【０３１４】
表３２は、１ＭＨｚ送信で使用することができるＳＩＧフィールドの例を示す。特定の実施形態では、表３２のＳＩＧフィールドは、６つのシンボル（３６ビット、１ＭＨｚ帯域幅で６ビット／シンボル）。
【０３１５】
図６は、データユニットを生成及び送信する典型的な方法６００の一態様のフローチャートを示す。方法６００は、上述されるデータユニット及びＳＩＧＮＡＬユニットを生成するために使用することができる。データユニットは、ＡＰ又はＳＴＡのいずれかで生成し、無線ネットワーク内の他のデバイスに送信することができる。方法６００は、以下では、無線デバイス２０２ａの要素に関して説明されるが（図３）、ここにおいて説明されるステップのうちの１つ以上を実装するためにその他のコンポーネントを使用できることを当業者は評価するであろう。ステップは、一定の順序で生じるとして説明されるが、これらのステップは順序を変更することができ、ステップは省略することができ、及び／又はさらなるステップを追加することができる。
【０３１６】
６０２において、プロセッサ２０４は、ＳＩＧＮＡＬユニット５２０を生成する。ＳＩＧＮＡＬユニット５２０は、少なくとも１つの符号化されたＰＡＩＤフィールドを含む。ＰＡＩＤフィールドは、信号ユニットを受信する１つ以上のデバイスによって信号ユニットの一部分が復号されるべきであることを示す値を有し、ＰＡＩＤフィールドのその値は、信号ユニットの一部分が信号ユニットを受信する１つ以上のその他のデバイスによって復号されるべきでないことを示す。一実施形態では、変調器３０２は、ＳＩＧＮＡＬユニット５２０を含む送信を変調することができ、変換モジュール３０４は、送信に対応するトーンを翻訳して時間領域に入れる。６０４に進み、送信機２１０は、無線チャネルを通じてＳＩＧＮＡＬユニットを含むデータユニットを送信する。
【０３１７】
図７は、ＳＩＧＮＡＬユニット５２０を含むデータユニットを受信及び処理する典型的な方法７００の他の態様のフローチャートを示す。方法７００は、上述されるデータユニットを受信するために使用することができる。パケットは、ＡＰ又はＳＴＡのいずれかにおいて無線ネットワーク内の他のデバイスから受信することができる。方法７００は、以下では、無線デバイス２０２ｂの要素に関して説明されるが（図４）、ここにおいて説明されるステップのうちの１つ以上を実装するためにその他のコンポーネントを使用できることを当業者は評価するであろう。ステップは、一定の順序で生じるとして説明されるが、これらのステップは順序を変更することができ、ステップは省略することができ、及び／又はさらなるステップを追加することができる。
【０３１８】
７０２において、受信機２１２は、ＳＩＧＮＡＬユニット５２０を受信する。ＳＩＧＮＡＬユニット５２０は、少なくとも１つの符号化されたＰＡＩＤフィールドを含む。例えば、ＳＩＧＮＡＬユニット５２０は、上の表１乃至２８に示されるフィールドのうちの１つ以上を含むことができる。７０４に進み、プロセッサ２０４は、ＰＡＩＤフィールドを復号する。７０６に進み、プロセッサ２０４は、ＳＩＧＮＡＬユニット５２０の復号されていない部分が復号されるべきであることを示す値をＰＡＩＤフィールドが有するかどうかを決定する。７０８において、プロセッサ２０４は、ＳＩＧＮＡＬユニット５２０が復号されるべきであることを示す値をＰＡＩＤフィールドが有する場合にＳＩＧＮＡＬユニット５２０を復号する。７１０において、プロセッサ２０４は、ＳＩＧＮＡＬユニット５２０が復号されるべきであることを示す値をＰＡＩＤフィールドの値が有さない場合はある時間の間延期する。
【０３１９】
上述される少なくとも幾つかの実施形態では、ＳＩＧＮＡＬユニット５２０は、畳み込みコードを用いてコーディングされ、ＳＩＧＮＡＬユニット５２０にテールビットが含められる。テールビットは、“ゼロテールコード”におけるように、すべてゼロであることができ、符号器をゼロ状態に戻すために使用され、従って、受信機での復号プロセスは、ゼロ状態から開始することができる。各ＳＩＧＮＡＬユニット５２０の最後にテールビットを加えることによって、符号器は、すべてのＳＩＧＮＡＬユニット５２０の前にゼロ状態に戻される。従って、各ＳＩＧＮＡＬユニット５２０は、すべてのＳＩＧＮＡＬユニット５２０の前に符号器を再初期化することによってすべてのその他のＳＩＧＮＡＬユニット５２０とは別々に符号化することができる。独立して符号化されたＳＩＧＮＡＬユニットは、同じく独立して変調することができる。さらに、符号器の開始状態及び終了状態の両方が、ＳＩＧＮＡＬユニット５２０を復号するために使用される復号器によって知られている。従って、各ＳＩＧＮＡＬユニット５２０は、各々のその他のＳＩＧＮＡＬユニット５２０と別々に復号することができ、幾つかの場合は別々に復調することができる。
【０３２０】
幾つかの実施形態では、ＳＩＧＮＡＬユニット５２０は、短いブロックコードとして送信することができる。例えば、ここにおいて説明されるいずれの実施形態も、短いブロックコードとして送信することができる。従って、幾つかの実施形態では、ＳＩＧＮＡＬユニット５２０は、テールビットを有さない（“テールバイティング”と呼ばれる）。例えば、ＳＩＧＮＡＬユニット５２０は、テールビットを有さないこと以外は、ここにおいて説明されるその他のいずれの実施形態とも同じであることができる。例えば、表１乃至２８を参照して説明されるいずれの実施形態も、テールビットなしの短いブロックコードとして送信することができる。
【０３２１】
ＳＩＧＮＡＬユニット５２０は、例えば、拡張されたハミングコード、例えば、（８、４、４）レート１／２拡張ハミングコード、を用いて線形のブロックコード又は短いブロックコードとして符号化することができる。ＳＩＧＮＡＬユニット５２０は、例えば、拡張されたゴレイ（Ｇｏｌａｙ）コード、例えば、（２４、１２、８）レート１／２拡張ゴレイコード、を用いて短いブロックコードとして符号化することができる。ＳＩＧＮＡＬユニット５２０は、例えば、平方剰余（ｑｕａｄｒａｔｉｃ−ｒｅｓｉｄｕｅ）（ＱＲ）コード、例えば、（４８、２４、１２）レート１／２ＱＲコード（登録商標）、を用いて短いブロックコードとして符号化することができる。ＳＩＧＮＡＬユニット５２０は、例えば、テールバイティング畳み込みコード（ＴＢＣＣ）、例えば、以下において説明されるＴＢＣＣコード、を用いて短いブロックコードとして符号化することができる。
【０３２２】
テールバイティングが使用されるときには、ＳＩＧＮＡＬユニット５２０内にはテールビットは含まれない。むしろ、ＳＩＧＮＡＬユニット５２０の最後の、例えば、“ｎ”のビット（“ｎ”は、予め決定されたビット数を表す）が符号器を初期化するために使用され、符号器の開始状態と終了状態を同一にするが、必ずしもゼロではない。符号器を初期化するためにＳＩＧＮＡＬユニット５２０の最後の“ｎ”ビットを使用することによって、ＳＩＧＮＡＬユニット５２０の各フィールド又はサブフィールドは、畳み込みコーディングを各フィールド又はサブフィールドに循環的に適用することによってすべてのその他のフィールド又はサブフィールドとは別々に符号化することができる。独立して符号化されたフィールド又はサブフィールドは、同じく独立して変調することができる。テールバイティング符号化では、復号器は、符号器の開始状態と終了状態が同一であることを知っているが、それらの状態がどのような状態であるか知らない。従って、復号器は、例えば、受信されたフィールド又はサブフィールドの繰り返し時に畳み込み復号を適用することによって、フィールド又はサブフィールドを復号するために開始状態及び終了状態を決定することができなければならない。復号器は、プリアンブル内で提供された情報からフィールド又はサブフィールドの開始状態及び終了状態を決定することができる。従って、各フィールド又はサブフィールドは、ＳＩＧＮＡＬユニット５２０内の互いのフィールド又はサブフィールドと別々に復号すること、及び幾つかの場合は復調することができる。テールバイティングが使用されるときには、ＣＲＣも各フィールド又はサブフィールドに加えることができ、従って、ＳＩＧＮＡＬユニット５２０内の互いのフィールド又はサブフィールドから独立した形で、各フィールド又はサブフィールドが成功裏に復号されているかどうかに関する決定を行うことができる。符号化プロセスの結果、各フィールド又はサブフィールドに関して１つ以上の変調シンボルを生成するためにまとめてブロック化して信号点配置にマッピングすることができる各フィールド又はサブフィールドに関するコードシンボルのシーケンスを得ることができる。
【０３２３】
図８は、データユニットを生成及び送信する典型的な方法８００の一態様のフローチャートを示す。方法８００は、上述されるデータユニット及びＳＩＧＮＡＬユニット５２０を生成するために使用することができる。データユニットは、ＡＰ１０４又はＳＴＡ１０６のいずれかで生成し、無線ネットワーク内の他のノードに送信することができる。方法８００は、以下では、無線デバイス２０２ａの要素に関して説明されるが（図３）、ここにおいて説明されるステップのうちの１つ以上を実装するためにその他のコンポーネントを使用できることを当業者は評価するであろう。ステップは、一定の順序で生じるとして説明されるが、これらのステップは順序を変更することができ、ステップは省略することができ、及び／又はさらなるステップを追加することができる。
【０３２４】
８０２において、プロセッサ２０４は、ＳＩＧＮＡＬユニット５２０を生成する。ＳＩＧＮＡＬユニット５２０は、少なくとも１つの長さフィールドと、１つ以上の追加のフィールドと、を含む。例えば、ＳＩＧＮＡＬユニット５２０は、上の表１乃至２８に示されるフィールドのうちの１つ以上を含むことができる。１つ以上の追加のフィールドのうちの第１のフィールドは、ゼロ長のペイロードを示す例外値を含むことができる。上述されるように、例外値は、通常の動作範囲外のフィールド値を含むことができる。一実施形態では、変調器３０２は、ＳＩＧＮＡＬユニット５２０を含む送信を変調することができ、変換モジュール３０４は、ＳＩＧＮＡＬユニット５２０に対応するトーンを翻訳して時間領域に入れることができる。８０４において、送信機２１０は、無線チャネルを通じてＳＩＧＮＡＬユニット５２０を含むデータユニットを送信する。
【０３２５】
図９は、ＳＩＧＮＡＬユニット５２０を含むデータユニットを受信及び処理する典型的な方法９００の他の態様のフローチャートを示す。方法９００は、上述されるデータユニットを受信するために使用することができる。パケットは、ＡＰ１０４又はＳＴＡ１０６のいずれかにおいて無線ネットワーク内の他のノードから受信することができる。方法９００は、以下では、無線デバイス２０２ｂの要素に関して説明されるが（図４）、ここにおいて説明されるステップのうちの１つ以上を実装するためにその他のコンポーネントを使用できることを当業者は評価するであろう。ステップは、一定の順序で生じるとして説明されるが、これらのステップは順序を変更することができ、ステップは省略することができ、及び／又はさらなるステップを追加することができる。
【０３２６】
９０２において、受信機２１２は、ＳＩＧＮＡＬユニット５２０を受信する。ＳＩＧＮＡＬユニット５２０は、少なくとも１つの長さフィールドと、１つ以上の追加のフィールドと、を含む。例えば、ＳＩＧＮＡＬユニット５２０は、上の表１乃至２８に示されるフィールドのうちの１つ以上を含むことができる。
【０３２７】
９０４に進み、プロセッサ２０４は、１つ以上の追加のフィールドのうちの第１のフィールドがゼロ長のペイロードを示す例外値を有するかどうかを決定する。上述されるように、例外値は、通常の動作範囲外のフィールド値を含むことができる。
【０３２８】
９０６に進み、プロセッサ２０４は、決定された例外値に基づいて長さフィールドを復号する。例えば、ＭＣＳフィールドは、すべて１の例外値を含むことができる。プロセッサ２０４は、予約されたビットを復号し、代替のフレームタイプを決定することができる。例えば、プロセッサ２０４は、ＡＣＫフレームタイプを決定することができる。次に、プロセッサ２０４は、ＡＣＫフレームの１つ以上のパラメータに関連する長さフィールド内のビットを復号することができる。
【０３２９】
特定の実施形態において、デバイスは、長さフィールドとアグリゲーションフィールドとを含むＳＩＧユニット（例えば、ＳＩＧＮＡＬユニット５２０）を生成することができる。例えば、長さフィールドは、長さが９ビットであることができ、アグリゲーションフィールドは、長さが１ビットであることができる。ＳＩＧユニットの生成前、生成後、又は生成中に、デバイスは、アグリゲーションされた送信（例えば、Ａ−ＭＰＤＵ）を使用すべきかどうかを決定することができる。特定の実施形態において、アグリゲーションされた送信は、サイズが５１２バイト以上のフレームサイズに関しては強制的であることができ、５１２バイト未満のフレームサイズに関しては任意選択であることができる。アグリゲーションされた送信を使用すると決定したことに応答して、デバイスは、アグリゲーションフィールドを第１の値（例えば、“１”）に設定することができ、及び、長さフィールドをシンボル数に設定することができる。アグリゲーションされた送信を使用しないと決定したことに応答して、デバイスは、アグリゲーションフィールドを第２の値（例えば、“０”）に設定することができ、及び、長さフィールドをバイト数に設定することができる。デバイスは、無線ネットワーク（ＩＥＥＥ８０２．１１ａｈプロトコルに準拠した１ＧＨｚ未満のネットワーク）を介してＳＩＧユニットを送信することができる。ＳＩＧユニットは、フレーム、例えば、単一ユーザ（ＳＵ）フレーム又はマルチユーザ（ＭＵ）フレーム、のプリアンブル内に含めることができる。
【０３３０】
特定の実施形態において、デバイスは、長さフィールドとアグリゲーションフィールドとを含むＳＩＧユニット（例えば、ＳＩＧＮＡＬユニット５２０）を受信することができる。デバイスは、アグリゲーションフィールドが第１の値（例えば、“１”）を有すると決定したことに応答して長さフィールドをシンボル数として解釈することができる。デバイスは、アグリゲーションフィールドが第２の値（例えば、“１”）を有すると決定したことに応答して長さフィールドをバイト数として解釈することができる。
【０３３１】
他の特定の実施形態において、デバイスは、ＳＩＧユニットを含むフレームが１ＭＨｚ帯域幅と関連付けられているかどうかを最初に決定することができる。フレームが１ＭＨｚ帯域幅と関連付けられている場合は、デバイスは、上述されるように、アグリゲーションフィールドの値に基づいて長さフィールドをバイト数又はシンボル数として解釈することができる。しかしながら、フレームが１ＭＨｚ帯域幅と関連付けられていない場合は、デバイスは、（例えば、ＳＩＧユニットの回転を検査することによって）フレームが短いフォーマットのプリアンブル又は長いフォーマットのプリアンブルのいずれを有するかを決定することができる。フレームが短いフォーマットのプリアンブルを有する場合は、デバイスは、上述されるように、アグリゲーションフィールドの値に基づいて長さフィールドをバイト数又はシンボル数として解釈することができる。逆に、フレームが長いフォーマットのプリアンブルを有する場合は、デバイスは、（例えば、ＳＵ／ＭＵフィールドを検査することによって）フレームがＳＵフレーム又はＭＵフレームのいずれであるかを決定することができる。フレームがＳＵフレームである場合は、デバイスは、上述されるように、アグリゲーションフィールドの値に基づいて長さフィールドをバイト数又はシンボル数として解釈することができる。フレームがＭＵフレームである場合は、デバイスは、（無線プロトコル又は規格、例えば、ＩＥＥＥ８０２．１１ａｈ、では、長いフォーマットのプリアンブルを有するＭＵフレームの長さをシンボル数として表すように強制することができるため）長さフィールドをシンボル数として自動的に解釈することができる。
【０３３２】
図１０は、本開示に従って採用することができる他の典型的な無線デバイス１０００の機能ブロック図である。デバイス１０００は、無線送信のためにデータユニットを生成するための生成モジュール１００２を含む。生成モジュール１００２は、図６のブロック６０２及び／又は図８のブロック８０２に関して上述される機能のうちの１つ以上を実施するように構成することができる。生成モジュール１００２は、プロセッサ２０４及びＤＳＰ２２０のうちの１つ以上に対応することができる。デバイス１０００は、データユニットを無線で送信するための送信モジュール１００４をさらに含む。送信モジュール１００４は、図６のブロック６０４及び／又は図８のブロック８０４に関して上述される機能のうちの１つ以上を実施するように構成することができる。送信モジュール１００４は、送信機２１０に対応することができる。特定の実施形態において、データユニットは、ＳＩＧＮＡＬユニット（例えば、ＳＩＧＮＡＬユニット５２０）を含むことができ、ＳＩＧＮＡＬユニットの長さフィールドはアグリゲーションフィールドの値に基づいて解釈され及び／又はＳＩＧＮＡＬユニットの特定のフィールドは、ゼロ長のペイロードを示す値を有する。
【０３３３】
図１１は、本開示に従って採用することができるさらに他の典型的な無線デバイス１１００の機能ブロック図である。デバイス１１００は、データユニットを無線で受信するための受信モジュール１１０２を含む。受信モジュール１１０２は、図７のブロック７０２及び／又は図９のブロック９０２に関して上述される機能のうちの１つ以上を実施するように構成することができる。受信モジュール１１０２は、受信機２１２に対応することができ、及び増幅器４０１を含むことができる。
【０３３４】
デバイス１１００は、データユニットの様々な特徴を決定するための決定モジュール１１０４をさらに含む。例えば、決定モジュール１１０４は、１つ以上の追加フィールドの第１のフィールドがゼロ長のペイロードを示す例外値を有するかどうかを決定することができる。上述されるように、例外値は、通常の動作範囲外のフィールド値を含むことができる。他の例として、決定モジュールは、ＳＩＧユニットの復号されていない部分が復号されるべきであることを示す値をＰＡＩＤフィールドが有することを決定することができる。決定モジュール１１０４は、図９のブロック９０４及び／又は図７のブロック７０６に関して上述される機能のうちの１つ以上を実施するように構成することができる。決定モジュール１１０４は、プロセッサ２０４、信号検出器２１８、及びＤＳＰ２２０のうちの１つ以上に対応することができる。
【０３３５】
デバイス１１００は、データを復号するための復号モジュール１１０６をさらに含む。例えば、復号モジュール１１０６は、決定された例外値に基づいて長さフィールドを復号することができる。復号モジュール１１０６は、ＳＩＧユニットが復号されるべきであることをＰＡＩＤフィールドの値が示す場合はＰＡＩＤフィールド及びＳＩＧユニットも復号することができる。復号モジュール１１０６は、ＳＩＧユニットが復号されるべきでないことをＰＡＩＤフィールドの値が示す場合はある時間の間延期することができる。復号モジュール１１０６は、図７のブロック７０４、図７のブロック７０８、図７のブロック７１０、及び／又は図９のブロック９０６に関して上述される機能のうちの１つ以上を実施するように構成することができる。復号モジュール１１０６は、プロセッサ２０４、信号検出器２１８、及びＤＳＰ２２０のうちの１つ以上に対応することができ、及び、チャネル推定器及び等化器４０５を含むことができる。
【０３３６】
ここにおいて使用される場合、表現“決定すること”は、非常に様々な行動を包含する。例えば、“決定すること”は、算出すること、計算すること、処理すること、導き出すこと、調査すること、検索すること（例えば、テーブル、データベース又は他のデータ構造において検索すること）、確認すること、等を含むことができる。さらに、“決定すること”は、受信すること（例えば情報を受信すること）、アクセスすること（例えばメモリ内のデータにアクセスすること）、等を含むことができる。さらに、“決定すること”は、解決すること、選択すること、選ぶこと、確立すること、等を含むことができる。さらに、ここにおいて使用される場合の“チャネル幅”は、幾つかの態様では帯域幅を包含することができ又は帯域幅と呼ばれることもある。
【０３３７】
ここにおいて使用される場合、アイテムのリストの中の“少なくとも１つの”という句は、それらのアイテムのあらゆる組み合わせを意味し、単一の数を含む。一例として、“ａ、ｂ、又はｃのうちの少なくとも１つ”は、ａのみ、ｂのみ、ｃのみ、ａ及びｂ、ａ及びｃ、ｂ及びｃ、及び、ａ、ｂ、及びｃを網羅することが意図される。
【０３３８】
上述される方法の様々な動作は、それらの動作を行うことが可能なあらゆる適切な手段、例えば、様々なハードウェア及び／又はソフトウェアコンポーネント、回路、及び／又はモジュール、によって行うことができる。概して、図において例示される動作は、それらの動作を行うことができる対応する機能上の手段によって行うことができる。
【０３３９】
本開示と関係させて説明される様々な例示的な論理ブロック、モジュール及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ信号（ＦＰＧＡ）、その他のプログラマブルロジックデバイス（ＰＬＤ）、ディスクリートゲートロジック、ディスクリートトランジスタロジック、ディスクリートハードウェアコンポーネント又はそれらのあらゆる組み合わせを用いて実装又は実行することができる。汎用プロセッサはマイクロプロセッサであることができるが、代替においては、プロセッサは、市販のどのようなプロセッサ、コントローラ、マイクロコントローラ、又はステートマシンであってもよい。プロセッサは、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はあらゆるその他の構成、として実装することも可能である。
【０３４０】
１つ以上の態様において、説明される機能は、ハードウェア、ソフトウェア、ファームウェア、又はそれらの組み合わせにおいて実装することができる。ソフトウェアにおいて実装される場合は、これらの機能は、コンピュータによって読み取り可能な媒体において１つ以上の命令又はコードとして格納すること又は送信することができる。コンピュータによって読み取り可能な媒体は、コンピュータ記憶媒体と、１つの場所から他へのコンピュータプログラムの転送を容易にするあらゆる媒体を含む通信媒体との両方を含む。記憶媒体は、コンピュータによってアクセス可能なあらゆる利用可能な媒体であることができる。一例として、及び制限することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、希望されるプログラムコードを命令又はデータ構造の形態で搬送又は格納するために用いることができ及びコンピュータによってアクセス可能なその他の媒体、を備えることができる。さらに、いずれの接続もコンピュータによって読み取り可能な媒体であると適切に呼ばれる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを複製し、ｄｉｓｃは、レーザを用いて光学的にデータを複製する。従って、幾つかの態様では、コンピュータによって読み取り可能な媒体は、非一時的なコンピュータによって読み取り可能な媒体（例えば、有形な媒体）を含むことができる。さらに、幾つかの態様では、コンピュータによって読み取り可能な媒体は、一時的なコンピュータによって読み取り可能な媒体（例えば、信号）を含むことができる。上記の組合せも、コンピュータによって読み取り可能な媒体の適用範囲に含めるべきである。
【０３４１】
ここにおいて開示される方法は、説明される方法を達成させるための１つ以上のステップ又は行動を含む。方法のステップ及び／又は行動は、請求項の適用範囲を逸脱することなしに互換することができる。換言すると、ステップ又は行動の特定の順序が要求されないかぎり、特定のステップ及び／又は行動の順序及び／又は使用は、請求項の適用範囲を逸脱することなしに変更することができる。
【０３４２】
説明される機能は、ハードウェア、ソフトウェア、ファームウェア、又はそれらの組み合わせにおいて実装することができる。ソフトウェアにおいて実装される場合は、これらの機能は、コンピュータによって読み取り可能な媒体において１つ以上の命令として格納することができる。記憶媒体は、コンピュータによってアクセスすることができるあらゆる利用可能な媒体であることができる。一例として、及び制限することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、希望されるプログラムコードを命令又はデータ構造の形態で搬送又は格納するために用いることができ及びコンピュータによってアクセス可能なその他の媒体、を含むことができる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピーディスク（ｄｉｓｋ）と、Ｂｌｕ−ｒａｙ（登録商標）ディスク（ｄｉｓｃ）と、を含み、ここで、ｄｉｓｋは、通常は磁気的にデータを複製し、ｄｉｓｃは、レーザを用いて光学的にデータを複製する。
【０３４３】
従って、幾つかの態様は、ここにおいて提示される動作を行うためのコンピュータプログラム製品を含むことができる。例えば、該コンピュータプログラム製品は、命令が格納されている（及び／又は符号化されている）コンピュータによって読み取り可能な媒体を含むことができ、それらの命令は、ここにおいて説明される動作を行うために１つ以上のプロセッサによって実行可能である。幾つかの態様に関しては、コンピュータプログラム製品は、パッケージング材料を含むことができる。
【０３４４】
ソフトウェア又は命令は、送信媒体を通じて送信することもできる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、送信媒体の定義の中に含まれる。
【０３４５】
さらに、ここにおいて説明される方法及び技法を実施するためのモジュール及び／又はその他の適切な手段をダウンロードできること及び／又はユーザ端末及び／又は基地局によってその他の方法で適宜入手できることが評価されるべきである。例えば、該デバイスは、ここにおいて説明される方法を実施するための手段の転送を容易にするためにサーバに結合することができる。代替として、ここにおいて説明される様々な方法は、記憶手段（例えば、ＲＡＭ、ＲＯＭ、物理的記憶媒体、例えば、コンパクトディスク（ＣＤ）又はフロッピーディスク、等）を介して提供することができ、従って、ユーザ端末及び／又は基地局は、記憶手段をデバイスに結合又は提供した時点で様々な方法を入手することができる。さらに、ここにおいて説明される方法及び技法をデバイスに提供するためのあらゆるその他の適切な技法を利用することができる。
【０３４６】
請求項は、上記される正確な構成及びコンポーネントに限定されないことが理解されるべきである。請求項の適用範囲を逸脱することなしに上述される方法及び装置の配置、動作及び詳細の修正、変更及び変形を行うことができる。
【０３４７】
上記は、本開示の態様を対象とするが、本開示の基本的な適用範囲を逸脱することなしにその他の及びさらなる態様を考案することができる。
以下に本願発明の当初の特許請求の範囲に記載された発明を付記する。
［Ｃ１］
方法であって、
長さフィールドとアグリゲーションフィールドとを備える信号（ＳＩＧ）ユニットを、第１の無線デバイスにおいて第２の無線デバイスから受信することと、
前記アグリゲーションフィールドが第１の値を有すると決定したことに応答して前記長さフィールドをシンボル数として解釈することと、
前記アグリゲーションフィールドが第２の値を有すると決定したことに応答して前記長さフィールドをバイト数として解釈することと、を備える、方法。
［Ｃ２］
前記ＳＩＧユニットは、１ギガヘルツ（ＧＨｚ）未満の無線ネットワークを介して受信されるＣ１に記載の方法。
［Ｃ３］
前記１ＧＨｚ未満の無線ネットワークは、米国電気電子学会（ＩＥＥＥ）８０２．１１ａｈプロトコルに準拠して動作するＣ２に記載の方法。
［Ｃ４］
前記アグリゲーションフィールドは、前記第２の無線デバイスがアグリゲーションされたメディアアクセス制御（ＭＡＣ）プロトコルデータユニット（Ａ−ＭＰＤＵ）を前記第１の無線デバイスに送信中であるかどうかを示すＣ１に記載の方法。
［Ｃ５］
前記長さフィールドは、９ビットのフィールドであるＣ１に記載の方法。
［Ｃ６］
前記アグリゲーションフィールドは、１ビットのフィールドであるＣ１に記載の方法。
［Ｃ７］
前記ＳＩＧユニットは、パケットのプリアンブル内に含められるＣ１に記載の方法。
［Ｃ８］
方法であって、
第１の無線デバイスに送信されるべき信号（ＳＩＧ）ユニットを第２の無線デバイスにおいて生成することであって、前記ＳＩＧユニットは、長さフィールドと、アグリゲーションフィールドと、を備えることと、
前記第１の無線デバイスに対してアグリゲーションされた送信を使用すると決定したことに応答して、前記アグリゲーションフィールドを第１の値に設定し、前記長さフィールドをシンボル数に設定することと、
前記第１の無線デバイスに対して前記アグリゲーションされた送信を使用しないと決定したことに応答して、前記アグリゲーションフィールドを第２の値に設定し、前記長さフィールドをバイト数に設定することと、を備える、方法。
［Ｃ９］
１ギガヘルツ（ＧＨｚ）未満の無線ネットワークを介して前記第１の無線デバイスに前記ＳＩＧユニットを送信することをさらに備えるＣ８に記載の方法。
［Ｃ１０］
前記１ＧＨｚ未満の無線ネットワークは、米国電気電子学会（ＩＥＥＥ）８０２．１１ａｈプロトコルに準拠して動作するＣ９に記載の方法
［Ｃ１１］
前記長さフィールドは、９ビットのフィールドであるＣ８に記載の方法。
［Ｃ１２］
前記アグリゲーションフィールドは、１ビットのフィールドであるＣ８に記載の方法。
［Ｃ１３］
前記ＳＩＧユニットは、パケットのプリアンブル内に含められるＣ８に記載の方法。
［Ｃ１４］
前記アグリゲーションされた送信は、１つ以上のアグリゲーションされたメディアアクセス制御（ＭＡＣ）プロトコルデータユニット（Ａ−ＭＰＤＵ）を備えるＣ８に記載の方法。
［Ｃ１５］
前記ＳＩＧユニットがマルチユーザ（ＭＵ）フレームの一部であると決定したことに応答して前記アグリゲーションされた送信を使用することを決定することをさらに備えるＣ８に記載の方法。
［Ｃ１６］
前記ＳＩＧが５１１バイトよりも長いフレームの一部であると決定したことに応答して前記アグリゲーションされた送信を使用することを決定することをさらに備えるＣ８に記載の方法。
［Ｃ１７］
方法であって、
無線デバイスにおいて、１ギガヘルツ（ＧＨｚ）未満の無線ネットワークを介してフレームを受信することであって、前記フレームは、長さフィールドとアグリゲーションフィールドとを備える信号（ＳＩＧ）ユニットを含むことと、
前記フレームが１メガヘルツ（ＭＨｚ）帯域幅モードと関連付けられていると決定したことに応答して、前記アグリゲーションフィールドの値に基づいて前記長さフィールドをバイト数又はシンボル数として解釈することと、
前記フレームが前記１ＭＨｚ帯域幅モードと関連付けられていないと決定したことに応答して、前記フレームが短いフォーマットのプリアンブル又は長いフォーマットのプリアンブルのいずれを含むかを決定することと、
前記フレームが前記短いフォーマットのプリアンブルを含むと決定したことに応答して、前記アグリゲーションフィールドの前記値に基づいて前記長さフィールドをバイト数又はシンボル数として解釈することと、
前記フレームが前記長いフォーマットのプリアンブルを含むと決定したことに応答して、前記フレームが単一のユーザ（ＳＵ）フレームであるか又はマルチユーザ（ＭＵ）フレームであるかを決定することと、
前記フレームが前記ＳＵフレームであると決定したことに応答して、前記アグリゲーションフィールドの前記値に基づいて前記長さフィールドをバイト数又はシンボル数として解釈することと、
前記フレームが前記ＭＵフレームであると決定したことに応答して、前記長さフィールドをシンボル数として解釈することと、を備える、方法。
［Ｃ１８］
装置であって、
長さフィールドとアグリゲーションフィールドとを備える信号（ＳＩＧ）ユニットを受信するように構成された受信機と、
前記アグリゲーションフィールドが第１の値を有すると決定したことに応答して前記長さフィールドをシンボル数として解釈し、及び
前記アグリゲーションフィールドが第２の値を有すると決定したことに応答して前記長さフィールドをバイト数として解釈するように構成されたプロセッサと、を備える、装置。
［Ｃ１９］
前記アグリゲーションフィールドは、前記受信機によって受信されたデータが１つ以上のアグリゲーションされたメディアアクセス制御（ＭＡＣ）プロトコルデータユニット（Ａ−ＭＰＤＵ）に対応するかどうかを示すＣ１８に記載の装置。
［Ｃ２０］
装置であって、
信号（ＳＩＧ）ユニットを生成し、
アグリゲーションされた送信を使用すると決定したことに応答して、アグリゲーションフィールドを第１の値に設定し、長さフィールドをシンボル数に設定し、及び
前記アグリゲーションされた送信を使用しないと決定したことに応答して、前記アグリゲーションフィールドを第２の値に設定し、前記長さフィールドをバイト数に設定するように構成されたプロセッサであって、前記ＳＩＧユニットは、前記長さフィールドと、前記アグリゲーションフィールドと、を備えるプロセッサと、
前記ＳＩＧユニットを送信するように構成された送信機と、を備える、装置。
［Ｃ２１］
前記プロセッサは、前記ＳＩＧユニットがマルチユーザ（ＭＵ）フレームの一部であると決定したことに応答して、前記ＳＩＧユニットが５１１バイトよりも長いフレームの一部であると決定したことに応答して、又はそれらの組み合わせであると決定したことに応答して前記アグリゲーションされた送信を使用することを決定するようにさらに構成されるＣ２０に記載の装置。
［Ｃ２２］
装置であって、
長さフィールドとアグリゲーションフィールドとを備える信号（ＳＩＧ）ユニットを受信するための手段と、
前記長さフィールドを解釈するための手段と、を備え、解釈するための前記手段は、前記アグリゲーションフィールドが第１の値を有すると決定したことに応答して前記長さフィールドをシンボル数として解釈し、
解釈するための前記手段は、前記アグリゲーションフィールドが第２の値を有すると決定したことに応答して前記長さフィールドをバイト数として解釈する、装置。
［Ｃ２３］
装置であって、
長さフィールドとアグリゲーションフィールドとを備える信号（ＳＩＧ）ユニットを生成するための手段と、
前記ＳＩＧユニットを無線デバイスに送信するための手段と、を備え、
前記無線デバイスに対してアグリゲーションされた送信を使用すると決定したことに応答して、生成するための前記手段は、前記アグリゲーションフィールドを第１の値に設定し、前記長さフィールドをシンボル数に設定し、及び
前記無線デバイスに対して前記アグリゲーションされた送信を使用しないと決定したことに応答して、前記アグリゲーションフィールドを第２の値に設定し、前記長さフィールドをバイト数に設定する、装置。
［Ｃ２４］
非一時的なコンピュータによって読み取り可能な媒体であって、
コンピュータによって実行されたときに、
長さフィールドとアグリゲーションフィールドとを備える信号（ＳＩＧ）ユニットを受信し、
前記アグリゲーションフィールドが第１の値を有すると決定したことに応答して前記長さフィールドをシンボル数として解釈し、及び
前記アグリゲーションフィールドが第２の値を有すると決定したことに応答して前記長さフィールドをバイト数として解釈することを前記コンピュータに行わせる命令を備える、非一時的なコンピュータによって読み取り可能な媒体。
［Ｃ２５］
非一時的なコンピュータによって読み取り可能な媒体であって、
コンピュータによって実行されたときに、
無線デバイスに送信されるべき信号（ＳＩＧ）ユニットを生成し、
前記無線デバイスに対してアグリゲーションされた送信を使用すると決定したことに応答して、アグリゲーションフィールドを第１の値に設定し、長さフィールドをシンボル数に設定し、及び
前記無線デバイスに対して前記アグリゲーションされた送信を使用しないと決定したことに応答して、前記アグリゲーションフィールドを第２の値に設定し、前記長さフィールドをバイト数に設定することを前記コンピュータに行わせる命令を備え、前記ＳＩＧユニットは、前記長さフィールドと、前記アグリゲーションフィールドと、を備える、非一時的なコンピュータによって読み取り可能な媒体。
【図１】
0005937215.tif 000034
【図２】
0005937215.tif 000035
【図３】
0005937215.tif 000036
【図４】
0005937215.tif 000037
【図５】
0005937215.tif 000038
【図６】
0005937215.tif 000039
【図７】
0005937215.tif 000040
【図８】
0005937215.tif 000041
【図９】
0005937215.tif 000042
【図１０】
0005937215.tif 000043
【図１１】
0005937215.tif 000044